(57)【要約】【課題】確変昇格演出の興趣を高めた遊技機を提供する。【解決手段】予告演出で使用されたキャラクタＡ〜キャラクタＣがストックされた状態で、演出制御基板のＣＰＵが大当り終了後再抽選演出表示を実行することを示す演出制御コマンドを受信し、昇格演出を実行することに決定すると、（１）〜（４）可変表示パターンに対応したリーチ演出が実行され、（５）通常大当り図柄が導出表示される。そして、大当り遊技状態となった後、（６）大当り遊技状態が終了した旨の表示がなされる。（７）その後、ストックされたキャラクタＡ〜Ｃを使用する昇格演出が実行され、（８）確変大当り図柄が導出表示されるなど高確率状態に昇格した旨の表示がなされる。【選択図】図５２
2008272265.tif 000002
【特許請求の範囲】
【請求項１】
各々が識別可能な複数種類の識別情報の可変表示を行い表示結果を導出表示する複数の可変表示部を有する可変表示装置を備え、前記識別情報の可変表示の表示結果が予め定められた特定表示結果となったときに、遊技者にとって有利な特定遊技状態に制御する遊技機であって、
前記導出表示以前に前記特定遊技状態とするか否か、及び前記特定遊技状態が終了した後に該特定遊技状態とは異なる遊技者にとって有利な特別遊技状態に制御するか否かを決定する事前決定手段と、
前記事前決定手段の決定にもとづいて、前記可変表示装置における識別情報の変動パターンを決定する変動パターン決定手段と、
前記可変表示制御装置を含む演出装置を制御する演出制御手段と、を備え、
前記演出制御手段は、
前記変動パターン決定手段により決定された変動パターンにもとづいて、前記可変表示中に行う演出パターンを決定する演出パターン決定手段と、
前記変動パターン決定手段により決定された変動パターンにもとづいて、前記識別情報と異なる複数種類の所定画像によって前記特定遊技状態とするか否かの予告を実行する予告実行手段と、
前記予告実行手段により予告が実行されることを条件に、その予告で用いられる前記所定画像を所定数まで特定可能に記憶する記憶手段と、
前記記憶手段の記憶内容により特定される前記所定画像に対応する画像を表示する所定画像表示手段と、
前記事前決定手段により前記特定遊技状態とすると決定されたときに、前記特定遊技状態が終了した後に前記特別遊技状態に制御されるか否かを報知するための特別遊技状態報知演出を実行する特別遊技状態報知演出実行手段と、を含み、
前記特別遊技状態報知演出実行手段は、前記記憶手段の記憶内容にもとづいて、複数の特別遊技状態報知演出パターンの中から特別遊技状態報知演出パターンを選択し、選択した特別遊技状態報知演出パターンに対応する特別遊技状態報知演出を実行する
ことを特徴とする遊技機。
【請求項２】
前記記憶手段は、前記事前決定手段が前記特定遊技状態としないと決定したときであって前記予告実行手段により予告が実行されるときに、その予告で用いられる前記所定画像を所定数まで特定可能に記憶する
ことを特徴とする請求項１に記載の遊技機。
【請求項３】
前記特定表示結果は、特別表示結果と該特別表示結果以外の非特別表示結果とを含み、
前記識別情報の表示結果が前記特別表示結果となったときに、前記特定遊技状態が終了した後に前記特別遊技状態に制御する特別遊技状態制御手段をさらに備え、
前記演出制御手段は、
前記変動パターン決定手段により決定された変動パターンにもとづいて導出表示する表示結果を決定する表示結果決定手段をさらに備え、
前記特別遊技状態報知演出実行手段は、前記非特別表示結果が導出表示された後にのみ前記特別遊技状態報知演出を実行可能であり、
前記表示結果決定手段は、前記決定された変動パターンが前記事前決定手段により特定遊技状態とする決定にもとづくものである場合、前記表示結果として特定表示結果に決定し、前記決定された変動パターンが前記事前決定手段により前記特別遊技状態とする決定にもとづくものである場合であって、前記記憶手段に記憶されている前記所定画像の数が予め定められた特定の数未満であるときには、前記所定画像の数が前記特定の数以上のときよりも、前記表示結果として特別表示結果に決定する割合が高い
ことを特徴とする請求項１または２に記載の遊技機。
【請求項４】
遊技の進行を制御する遊技制御手段と、
前記変動パターン決定手段により決定された変動パターンにもとづいて前記可変表示の変動時間を認識可能なコマンドを送信するコマンド送信手段と、をさらに備え、
前記遊技制御手段は、前記事前決定手段と、前記変動パターン決定手段と、前記コマンド送信手段と、を含み、
前記演出パターン決定手段は、前記コマンド送信手段により送信されたコマンドにもとづいて前記変動時間に対応した演出パターンを決定し、
前記予告実行手段は、前記コマンド送信手段により送信されたコマンドにもとづいて前記所定画像による予告の実行の有無と前記所定画像の種別とを決定する
ことを特徴とする請求項１、２または３に記載の遊技機。
【請求項５】
前記特別遊技状態報知演出実行手段は、前記事前決定手段により前記特別遊技状態とすると決定された場合、前記特別遊技状態としないと決定された場合よりも、前記記憶手段に記憶される前記所定画像のうち所定の組合せの前記所定画像を用いた特別遊技状態報知演出パターンを選択する割合が高い
ことを特徴とする請求項１から４のいずれか１項に記載の遊技機。
【請求項６】
前記特別遊技状態報知演出実行手段は、前記事前決定手段により前記特別遊技状態とすると決定された場合、前記特別遊技状態としないと決定された場合よりも、前記記憶手段に記憶される前記所定画像を所定の順序で表示させる特別遊技状態報知演出パターンを選択する割合が高い
ことを特徴とする請求項１から５のいずれか１項に記載の遊技機。
【請求項７】
前記特別遊技状態報知演出実行手段は、前記記憶手段に記憶される前記所定画像を用いた前記特別遊技状態報知演出を実行したことにもとづいて、前記記憶手段の記憶内容を初期化する初期化手段を含む
ことを特徴とする請求項１から６のいずれか１項に記載の遊技機。
【請求項８】
前記演出パターン決定手段は、前記変動パターン決定手段が決定した変動パターンが特定の条件を成立させるものであるとき、該変動パターンと前記記憶手段の記憶内容とにもとづいて、前記記憶手段に記憶される前記所定画像を用いた演出パターンを決定する
ことを特徴とする請求項１から７のいずれか１項に記載の遊技機。
【発明の詳細な説明】
【技術分野】
【０００１】
本発明は、パチンコ遊技機等の遊技機に係り、詳しくは、各々が識別可能な複数種類の識別情報の可変表示を行い表示結果を導出表示する複数の可変表示部を有する可変表示装置を備え、前記識別情報の可変表示の表示結果が予め定められた特定表示結果となったときに、遊技者にとって有利な特定遊技状態に制御する遊技機に関する。
【背景技術】
【０００２】
遊技機として、遊技球などの遊技媒体を発射装置によって遊技領域に発射し、遊技領域に設けられている入賞口などの入賞領域に遊技媒体が入賞すると、所定個の賞球が遊技者に払い出されるものがある。さらに、入賞領域に遊技媒体が入賞すると識別情報を可変表示（「変動」ともいう。）可能な可変表示装置が設けられ、可変表示装置において識別情報の可変表示の表示結果が特定表示結果（大当り図柄）となった場合に遊技者にとって有利な特定遊技状態（大当り遊技状態）に制御可能になるように構成されたものがある。
【０００３】
また、可変表示装置において識別情報の可変表示の表示結果が特定表示結果に含まれる特別表示結果（確変図柄）となった場合には、特定遊技状態の終了後、可変表示装置における可変表示が複数回実行されるまでの間、特定遊技状態となる確率を通常よりも向上させる確率変動状態等、遊技者にとって有利な特別遊技状態（確変遊技状態）に制御する。
【０００４】
このような遊技機において、可変表示装置の表示結果を特別表示結果以外の特定表示結果として特定遊技状態になった後に、特別遊技状態に昇格する演出（確変昇格演出）を実行し、特定遊技状態終了後に特別遊技状態に制御可能に構成されたものがある。
【０００５】
また、可変表示装置の表示結果が特定表示結果となる可能性を演出により前もって予告することによって、最終的な結果が表示されるまでの間において遊技者の期待感を効果的に高めて、遊技の興趣を向上させることができる。
【０００６】
例えば、特許文献１の遊技機や特許文献２の遊技機においては、演出アイテムや特典画像といった演出媒体の数を変化させる演出により大当り遊技状態となることや確変遊技状態などの有利な状態となることを予告し、遊技者の期待感を高めている。
【特許文献１】特開２００５−１６０８２０号公報
【特許文献２】特開２００５−２３７７４４号公報
【発明の開示】
【発明が解決しようとする課題】
【０００７】
しかし、これらの従来の遊技機では、予告に使用した演出媒体を上述の確変昇格演出に用いるという思想は含まれていなかった。そして、確変昇格演出は単調なものとなっていた。
【０００８】
この発明は、上記実情に鑑み考え出されたものであり、確変昇格演出の興趣を高めた遊技機を提供することを目的とする。
【課題を解決するための手段】
【０００９】
上記目的を達成するため、本発明の遊技機は、各々が識別可能な複数種類の識別情報（例えば飾り図柄）の可変表示を行い表示結果を導出表示する複数の可変表示部を有する可変表示装置（例えば画像表示装置５）を備え、識別情報の可変表示の表示結果が予め定められた特定表示結果（例えば大当り図柄）となったときに、遊技者にとって有利な特定遊技状態（例えば大当り遊技状態）に制御する遊技機（例えばパチンコ遊技機１）であって、導出表示以前に特定遊技状態とするか否か、及び特定遊技状態が終了した後に該特定遊技状態とは異なる遊技者にとって有利な特別遊技状態（例えば高確率状態）に制御するか否かを決定する事前決定手段（例えばＣＰＵ１０３がステップＳ３０１〜Ｓ３１１の処理を実行する部分）と、事前決定手段の決定にもとづいて、可変表示装置における識別情報の変動パターンを決定する変動パターン決定手段（例えばＣＰＵ１０３がステップＳ２２１〜Ｓ２２９の処理を実行する部分）と、可変表示制御装置を含む演出装置を制御する演出制御手段（例えば演出制御基板１２）と、を備え、演出制御手段は、変動パターン決定手段により決定された変動パターンにもとづいて、可変表示中に行う演出パターンを決定する演出パターン決定手段（例えばＣＰＵ２００がステップＳ６２１〜Ｓ６２７の処理を実行する部分）と、変動パターン決定手段により決定された変動パターンにもとづいて、識別情報と異なる複数種類の所定画像によって特定遊技状態とするか否かの予告を実行する予告実行手段（例えばＣＰＵ２００がステップＳ６０１〜Ｓ６０６の処理を実行する部分及びステップＳ４２３の処理を実行する部分）と、予告実行手段により予告が実行されることを条件に、その予告で用いられる所定画像を所定数まで特定可能に記憶する記憶手段（例えばＣＰＵ２００がステップＳ６０７〜Ｓ６０９の処理を実行する部分）と、記憶手段の記憶内容により特定される所定画像に対応する画像を表示する所定画像表示手段（例えば画像表示装置５のキャラクタ記憶表示エリア５Ａ及びＣＰＵ２００がステップＳ４２３の処理を実行する部分）と、事前決定手段により特定遊技状態とすると決定されたときに、特定遊技状態が終了した後に特別遊技状態に制御されるか否かを報知するための特別遊技状態報知演出（例えば昇格演出）を実行する特別遊技状態報知演出実行手段（例えばＣＰＵ２００がステップＳ５１４〜Ｓ５２３、Ｓ５３６Ａ〜Ｓ５４３の処理を実行する部分、及びステップＳ４２３の処理を実行する部分）と、を含み、特別遊技状態報知演出実行手段は、記憶手段の記憶内容にもとづいて、複数の特別遊技状態報知演出パターンの中から特別遊技状態報知演出パターンを選択し（例えばＣＰＵ２００がステップＳ６３１〜Ｓ６３５の処理を実行し）、選択した特別遊技状態報知演出パターンに対応する特別遊技状態報知演出を実行する（例えばＣＰＵ２００がＳ５４２の処理を実行する）ことを特徴とする。
【００１０】
記憶手段は、事前決定手段が特定遊技状態としないと決定したときであって予告実行手段により予告が実行されるときに、その予告で用いられる所定画像を所定数まで特定可能に記憶する（例えばＣＰＵ２００がステップＳ６０８の処理でＮｏであると判定したときに、ステップＳ６０９の処理を実行する）ように構成されてもよい。
【００１１】
特定表示結果は、特別表示結果（例えば確変大当り図柄）と該特別表示結果以外の非特別表示結果（例えば通常大当り図柄）とを含み、識別情報の表示結果が特別表示結果となったときに、特定遊技状態が終了した後に特別遊技状態に制御する特別遊技状態制御手段（例えばＣＰＵ１０３がステップＳ２４４やＳ２５１の処理を実行する部分）をさらに備え、演出制御手段は、変動パターン決定手段により決定された変動パターンにもとづいて導出表示する表示結果を決定する表示結果決定手段（例えばＣＰＵ２００がステップＳ５０１〜Ｓ５２３の処理を実行する部分）をさらに備え、特別遊技状態報知演出実行手段は、非特別表示結果が導出表示された後にのみ特別遊技状態報知演出を実行可能（例えばＣＰＵ２００がステップＳ５２１にて決定した飾り図柄を導出表示させた後に、ステップＳ６３１〜Ｓ６３５の処理で決定した昇格演出を実行する部分）であり、表示結果決定手段は、決定された変動パターンが事前決定手段により特定遊技状態とする決定にもとづくものである場合（例えばＣＰＵ２００がステップＳ５０２の処理でＹｅｓであると判定した場合）、表示結果として特定表示結果に決定し（例えばＣＰＵ２００がステップＳ５２２、Ｓ５２３の処理を実行する部分）、決定された変動パターンが事前決定手段により特別遊技状態とする決定にもとづくものである場合（例えばＣＰＵ２００がステップＳ５１８の処理でＹｅｓであると判定した場合）であって、記憶手段に記憶されている所定画像の数が予め定められた特定の数未満であるとき（例えばＣＰＵ２００がステップＳ５１９Ａの処理でＮｏであると判定したとき）には、所定画像の数が特定の数以上のとき（例えばＣＰＵ２００がステップＳ５１９Ａの処理でＹｅｓであると判定したとき）よりも、表示結果として特別表示結果に決定する割合が高い（例えばＣＰＵ２００がステップＳ５２１の処理で通常大当り図柄を決定するよりもステップＳ５２０の処理で確変大当り図柄を決定する割合が高い）ように構成されてもよい。
【００１２】
遊技の進行を制御する遊技制御手段（例えば主基板１１）と、変動パターン決定手段により決定された変動パターンにもとづいて可変表示の変動時間を認識可能なコマンドを送信するコマンド送信手段（例えばＣＰＵ１０３がステップＳ２３０の処理を実行する部分）と、をさらに備え、遊技制御手段は、事前決定手段と、変動パターン決定手段と、コマンド送信手段と、を含み、演出パターン決定手段は、コマンド送信手段により送信されたコマンドにもとづいて変動時間に対応した演出パターンを決定し（例えばＣＰＵ２００がステップＳ３３のコマンド解析処理でコマンドを解析し、その解析結果にもとづいてステップＳ６２１〜Ｓ６２７の処理を実行し）、予告実行手段は、コマンド送信手段により送信されたコマンドにもとづいて所定画像による予告の実行の有無と所定画像の種別とを決定する（例えばＣＰＵ２００がステップＳ３３のコマンド解析処理でコマンドを解析し、その解析結果にもとづきステップＳ６０１〜Ｓ６０６の処理を実行する）ように構成されてもよい。
【００１３】
特別遊技状態報知演出実行手段は、事前決定手段により特別遊技状態とすると決定された場合（例えばＣＰＵ２００がステップＳ６３１の処理でＹｅｓであると判定した場合）、特別遊技状態としないと決定された場合（例えばＣＰＵ２００がステップＳ６３１の処理でＮｏであると判定した場合）よりも、記憶手段に記憶される所定画像のうち所定の組合せの所定画像を用いた特別遊技状態報知演出パターン（例えばキャラクタＡ及びＢを用いた昇格演出パターン、キャラクタＡ、Ｂ及びＣを用いた昇格演出パターン）を選択する割合が高い（例えば昇格有り要昇格演出決定用テーブル２４０のほうが昇格無し用昇格演出決定用テーブル２４１より、キャラクタＡ及びＢを用いた昇格演出パターン、キャラクタＡ、Ｂ及びＣを用いた昇格演出パターンに決定されやすいように判定値が割り振られている）ように構成されてもよい。
【００１４】
特別遊技状態報知演出実行手段は、事前決定手段により特別遊技状態とすると決定された場合（例えばＣＰＵ２００がステップＳ６３１の処理でＹｅｓであると判定した場合）、特別遊技状態としないと決定された場合（例えばＣＰＵ２００がステップＳ６３１の処理でＮｏであると判定した場合）よりも、記憶手段に記憶される所定画像を所定の順序で表示させる特別遊技状態報知演出パターン（例えばキャラクタ記憶した順番に表示させる昇格演出パターン）を選択する割合が高い（例えば昇格有り要昇格演出決定用テーブル２４２ほうが昇格無し用昇格演出決定用テーブル２４３より、記憶順に表示させる昇格演出パターンに決定されやすいように判定値が割り振られている）ように構成されてもよい。
【００１５】
特別遊技状態報知演出実行手段は、記憶手段に記憶される所定画像を用いた特別遊技状態報知演出を実行したことにもとづいて、記憶手段の記憶内容を初期化する初期化手段（例えばＣＰＵ２００がステップＳ６３６の処理を実行する部分）を含むように構成されてもよい。
【００１６】
演出パターン決定手段は、変動パターン決定手段が決定した変動パターンが特定の条件を成立させるものであるとき（例えばリーチＢ〜Ｅの可変表示パターンであるとき）、該変動パターンと記憶手段の記憶内容とにもとづいて、記憶手段に記憶される所定画像を用いた演出パターンを決定する（例えばＣＰＵ２００がステップＳ６２２〜Ｓ６２７の処理を実行する）ように構成されてもよい。
【発明の効果】
【００１７】
請求項１に記載の遊技機においては、導出表示以前に特定遊技状態とするか否か、及び特定遊技状態が終了した後に該特定遊技状態とは異なる遊技者にとって有利な特別遊技状態に制御するか否かを決定する事前決定手段と、事前決定手段の決定にもとづいて、可変表示装置における識別情報の変動パターンを決定する変動パターン決定手段と、可変表示制御装置を含む演出装置を制御する演出制御手段と、を備え、演出制御手段は、変動パターン決定手段により決定された変動パターンにもとづいて、可変表示中に行う演出パターンを決定する演出パターン決定手段と、変動パターン決定手段により決定された変動パターンにもとづいて、識別情報と異なる複数種類の所定画像によって特定遊技状態とするか否かの予告を実行する予告実行手段と、予告実行手段により予告が実行されることを条件に、その予告で用いられる所定画像を所定数まで特定可能に記憶する記憶手段と、記憶手段の記憶内容により特定される所定画像に対応する画像を表示する所定画像表示手段と、事前決定手段により特定遊技状態とすると決定されたときに、特定遊技状態が終了した後に特別遊技状態に制御されるか否かを報知するための特別遊技状態報知演出を実行する特別遊技状態報知演出実行手段と、を含み、特別遊技状態報知演出実行手段は、記憶手段の記憶内容にもとづいて、複数の特別遊技状態報知演出パターンの中から特別遊技状態報知演出パターンを選択し、選択した特別遊技状態報知演出パターンに対応する特別遊技状態報知演出を実行する。このように、いずれの所定画像が記憶されているかにより異なる昇格演出を選択することが可能になり、昇格演出のバリエーションを増やすことができ、演出が単調になることなく遊技の興趣を向上させることができる。
【００１８】
請求項２に記載の遊技機においては、記憶手段は、事前決定手段が特定遊技状態としないと決定したときであって予告実行手段により予告が実行されるときに、その予告で用いられる所定画像を所定数まで特定可能に記憶する。このように、はずれのときの演出内容を記憶し、その記憶内容が昇格演出に反映されるのではずれ変動と昇格演出とに関連性を持たせることができ、遊技の興趣を向上させることができる。
【００１９】
請求項３に記載の遊技機においては、特定表示結果は、特別表示結果と該特別表示結果以外の非特別表示結果とを含み、識別情報の表示結果が特別表示結果となったときに、特定遊技状態が終了した後に特別遊技状態に制御する特別遊技状態制御手段をさらに備え、演出制御手段は、変動パターン決定手段により決定された変動パターンにもとづいて導出表示する表示結果を決定する表示結果決定手段をさらに備え、特別遊技状態報知演出実行手段は、非特別表示結果が導出表示された後にのみ特別遊技状態報知演出を実行するものであり、表示結果決定手段は、決定された変動パターンが事前決定手段により特定遊技状態とする決定にもとづくものである場合、表示結果として特定表示結果に決定し、決定された変動パターンが事前決定手段により特別遊技状態とする決定にもとづくものである場合であって、記憶手段に記憶されている所定画像の数が予め定められた特定の数未満であるときには、所定画像の数が特定の数以上のときよりも、表示結果として特別表示結果に決定する割合が高い。これにより、記憶されている所定画像の数が少ない又はない場合に昇格演出を実行する割合を減らすことができるので、演出が不自然になることがない。また、昇格演出のバリエーションを確保することができるので、遊技の興趣を保つことできる。
【００２０】
請求項４に記載の遊技機においては、遊技の進行を制御する遊技制御手段と、変動パターン決定手段により決定された変動パターンにもとづいて可変表示の変動時間を認識可能なコマンドを送信するコマンド送信手段と、をさらに備え、遊技制御手段は、事前決定手段と、変動パターン決定手段と、コマンド送信手段と、を含み、演出パターン決定手段は、コマンド送信手段により送信されたコマンドにもとづいて変動時間に対応した演出パターンを決定し、予告実行手段は、コマンド送信手段により送信されたコマンドにもとづいて所定画像による予告の実行の有無と所定画像の種別とを決定する。これにより、各手段の制御負担を分散し軽減させることができる。
【００２１】
請求項５に記載の遊技機においては、特別遊技状態報知演出実行手段は、事前決定手段により特別遊技状態とすると決定された場合、特別遊技状態としないと決定された場合よりも、記憶手段に記憶される所定画像のうち所定の組合せの所定画像を用いた特別遊技状態報知演出パターンを選択する割合が高い。このように、いずれの所定画像の組合せにより昇格演出が実行されるかに遊技者の注意を惹きつけることができるので、遊技の興趣を向上させることができる。
【００２２】
請求項６に記載の遊技機においては、特別遊技状態報知演出実行手段は、事前決定手段により特別遊技状態とすると決定された場合、特別遊技状態としないと決定された場合よりも、記憶手段に記憶される所定画像を所定の順序で表示させる特別遊技状態報知演出パターンを選択する割合が高い。これにより、所定画像の表示される順序により遊技者に異なる期待感を与えることができるので、遊技の興趣を向上させることができる。
【００２３】
請求項７に記載の遊技機においては、特別遊技状態報知演出実行手段は、記憶手段に記憶される所定画像を用いた特別遊技状態報知演出を実行したことにもとづいて、記憶手段の記憶内容を初期化する初期化手段を含む。このように、一度使用した記憶手段の記憶内容をクリアすることで、昇格演出のパターンが単調になることを防止でき、遊技の興趣をさらに向上させることができる。
【００２４】
請求項８に記載の遊技機においては、演出パターン決定手段は、変動パターン決定手段が決定した変動パターンが特定の条件を成立させるものであるとき、該変動パターンと記憶手段の記憶内容とにもとづいて、記憶手段に記憶される所定画像を用いた演出パターンを決定する。このように、特定の条件が成立したときにいずれの所定画像が記憶されているかにより異なる演出パターンを決定できるので、演出が単調になることなく遊技の興趣を向上させることができる。
【発明を実施するための最良の形態】
【００２５】
以下、図面を参照しつつ、本発明の一実施形態を詳細に説明する。本実施例における遊技機としては、７セグメントやドットマトリクスのＬＥＤ（発光ダイオード）等からなる表示装置により特図ゲームを行う遊技機等であればよい。
【００２６】
図１は、本実施例におけるパチンコ遊技機１の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２にはガイドレールによって囲まれた、ほぼ円形状の遊技領域が形成されている。この遊技領域の中央位置上方には、識別可能な識別情報としての特別図柄を可変表示する特別図柄表示装置４が設けられている。特別図柄表示装置４の下方には、特別図柄とは異なる飾り図柄の可変表示や所定の演出表示となる画像表示などを行うことができる画像表示装置５が設けられている。画像表示装置５の下方には、普通可変入賞球装置（始動入賞口）６が配置されている。普通可変入賞球装置６の下方には、特別可変入賞球装置７や普通図柄表示装置４０が設けられている。
【００２７】
特別図柄表示装置４は、例えば７セグメントやドットマトリクスのＬＥＤ等から構成されている。特別図柄表示装置４は、普通可変入賞球装置６への遊技球の入賞により始動条件が成立したことに基づいて行われる可変表示ゲームとしての特図ゲームにおいて、例えば「０」〜「９」を示す数字等から構成され、各々が識別可能な複数種類の識別情報として機能する特別図柄を可変表示する。
【００２８】
特別図柄表示装置４により行われる特図ゲームでは、特別図柄の可変表示を開始させた後、所定時間が経過すると、特別図柄の可変表示結果となる確定図柄を停止表示（導出表示）する。このとき、特別図柄表示装置４にて特図ゲームでの確定図柄として特定の特別図柄（大当り図柄）が停止表示されれば特定表示結果としての「大当り」となり、大当り図柄以外の特別図柄が停止表示されれば「ハズレ」となる。特図ゲームでの可変表示結果が「大当り」になると、特別可変入賞球装置７が備える開閉板を開閉させることによる特定遊技状態としての大当り遊技状態に制御される。この実施の形態におけるパチンコ遊技機１では、具体的な一例として、図柄番号が奇数である特別図柄を大当り図柄とし、偶数である特別図柄をハズレ図柄としている。
【００２９】
特別図柄表示装置４による特図ゲームで大当り図柄が停止表示されたことに基づく大当り遊技状態においては、特別可変入賞球装置７の開閉板が、所定期間（例えば２９秒）あるいは所定個数（例えば１０個）の入賞球が発生するまでの期間において開成され、開成されている間は遊技盤２の表面を落下する遊技球を受け止め、その後に閉成することで１回のラウンドが終了する。そして、この開閉サイクルとしてのラウンドを所定の上限回数（例えば１５ラウンド）まで繰り返すことができる。
【００３０】
画像表示装置５は、例えばＬＣＤ等から構成され、多数の画素（ピクセル）を用いたドットマトリクス方式による画面表示を行うものであればよい。画像表示装置５の表示画面では、特別図柄表示装置４による特図ゲームにおける特別図柄の可変表示に対応して、例えば３つに分割された表示領域としての可変表示部にて、各々が識別可能な複数種類の飾り図柄を可変表示する。具体的な一例として、画像表示装置５には、「左」、「中」、「右」の可変表示部が配置され、各可変表示部にて飾り図柄が可変表示される。そして、特別図柄表示装置４における特別図柄の可変表示が開始されるときには、画像表示装置５における「左」、「中」、「右」の各可変表示部にて飾り図柄の可変表示（例えば切替表示やスクロール表示）を開始させ、その後、特別図柄表示装置４における特別図柄の可変表示結果として確定図柄が停止表示されるときに、画像表示装置５における「左」、「中」、「右」の各可変表示部にて確定図柄となる飾り図柄が停止表示されることで、可変表示結果となる飾り図柄の組合せが停止表示（導出表示）される。
【００３１】
例えば、「左」、「中」、「右」の各可変表示部では、１０種類の数字「０」〜「９」を示す図柄が飾り図柄として変動可能に表示される。そして、「左」、「中」、「右」の各可変表示部では、飾り図柄の可変表示が開始されると、図柄が示す番号の小さいものから大きいものへと切替表示やスクロール表示が行われ、飾り図柄「９」が表示されると、次に飾り図柄「０」が表示される。そして、特別図柄表示装置４における特別図柄の確定図柄が大当り図柄である場合すなわち大当り発生時には、「左」、「中」、「右」の可変表示部にて同一の飾り図柄が停止表示される。
【００３２】
この実施の形態では、図柄番号が奇数である飾り図柄「１」、「３」、「５」、「７」または「９」を確変大当り用飾り図柄とし、偶数である飾り図柄「０」、「２」、「４」、「６」または「８」を示す飾り図柄を通常大当り用飾り図柄とする。飾り図柄の可変表示結果として確変大当り用飾り図柄が停止表示されたときや、後述する大当り終了後再抽選演出表示の再抽選結果として確変大当り用飾りが停止表示されたときは、所定の特別表示結果としての確変大当りとなる。確変大当りとなったときには、その確変大当りに基づく大当り遊技状態が終了した後、所定回数（例えば１００回）の特図ゲームが実行されるまで、あるいは、特図ゲームにおける可変表示結果が大当りとなるまで、特別遊技状態の１つとして、継続して確率変動制御（確変制御）が行われる高確率状態（確率向上状態）となる。この高確率状態では、特図ゲームにおいて可変表示結果として大当り図柄が停止表示されて大当り遊技状態に制御される確率が、通常遊技状態時よりも向上する。なお、通常遊技状態とは、大当り遊技状態や特別遊技状態以外の遊技状態のことであり、特図ゲームにおける確定図柄として大当り図柄が停止表示されて大当りとなる確率が、電源投入直後などの初期設定状態と同一に制御されている。
【００３３】
他方、飾り図柄における可変表示結果として通常大当り用飾り図柄が停止表示され、後述する昇格演出も行われなかったときには通常大当りとなる。この通常大当りとなったときには、大当り遊技状態が終了した後に確変制御が行われないため、特図ゲームにおける可変表示結果が大当りとなって大当り遊技状態に制御される確率は向上しない。なお、通常大当りとなって大当り遊技状態が終了した後には、その通常大当りに基づく大当り遊技状態が終了した後、所定回数（例えば１００回）の特図ゲームが実行されるまで、または、特図ゲームにおける可変表示結果が大当りとなるまで、高確率状態とは異なる特別遊技状態の１つとして、継続して時間短縮制御（時短制御）が行われる時間短縮状態となるようにしてもよい。時短制御が行われる時間短縮状態では、各特図ゲームにて大当りとなって大当り遊技状態に制御される確率は通常遊技状態と同一であるが、特図ゲームにおいて特別図柄の可変表示が開始されてから表示結果となる確定図柄が停止表示されるまでの時間である可変表示時間は、通常遊技状態よりも短くなるように制御される。
【００３４】
加えて、画像表示装置５には、普通可変入賞球装置６に入った有効入賞球数すなわち保留記憶数（始動入賞記憶数）を表示する特別図柄始動記憶表示エリアが設けられていてもよい。特別図柄始動記憶表示エリアでは、保留記憶数が所定の上限値（例えば「４」）未満のときの有効始動入賞に対応して、入賞表示が行われる。具体的な一例として、通常青色であった表示を赤色表示に変化させる。この場合、飾り図柄の表示エリア（可変表示部）と特別図柄始動記憶表示エリアとを区分けして設けることで、飾り図柄の可変表示中も保留記憶数が表示された状態とすることができる。なお、特別図柄始動記憶表示エリアを飾り図柄の表示エリアの一部に設けるようにしてもよい。この場合には、飾り図柄の可変表示中には保留記憶数の表示を中断するようにすればよい。また、保留記憶数を表示する表示器（特別図柄始動記憶表示器）が、画像表示装置５とは別個に設けられてもよい。
【００３５】
また、画像表示装置５では、大当りとなることを予告する予告演出が実行される場合がある。予告演出は、画像表示装置５に表示結果が導出表示される前などに、所定画像としてキャラクタを表示させることにより実行される。この予告演出で用いられるキャラクタは複数種類用意される。画像表示装置５には、キャラクタ記憶表示エリア５Ａが設けられ、予告演出で用いられたキャラクタがストックされて表示される。ストックされたキャラクタは、他の演出（特定のリーチ演出、昇格演出）に用いられる。
【００３６】
普通可変入賞球装置６は、図示せぬソレノイドによって垂直（通常開放）位置と傾動（拡大開放）位置との間で可動制御される一対の可動翼片を有するチューリップ型役物（普通電動役物）を備えて構成されている。普通可変入賞球装置６は、普通図柄表示装置４０による普通図柄の可変表示（普通図ゲーム）で表示結果が「当り」となったときに、電動チューリップの可動翼片を所定時間が経過するまで傾動位置に制御することで、可動翼片を垂直位置としたときに比べて遊技球が入賞しやすくなる。普通可変入賞球装置６に入賞した遊技球は、各入賞口スイッチ７０（図２）に含まれる始動入賞口スイッチによって検出される。
【００３７】
特別可変入賞球装置７は、図示せぬソレノイドによって入賞領域を開成及び閉成制御する開閉板を備えて構成されている。この開閉板は、例えばパチンコ遊技機１の電源投入後に大当り遊技状態が発生する以前までのような通常時には、閉成した状態にある。他方、特別図柄表示装置４による特図ゲームでの可変表示結果などに基づいて大当り遊技状態となった場合に、ソレノイドによって入賞領域を所定期間あるいは所定個数の入賞球が発生するまでの期間において開成した後、閉成する。特別可変入賞球装置７にて開閉板が開成しているときに入賞領域に遊技球が入賞した場合には、各入賞口スイッチ７０（図２）に含まれる大入賞口スイッチによって当該遊技球が検出されたことに基づいて、所定数の賞球の払い出しが行われる。
【００３８】
普通図柄表示装置４０は、例えばＬＥＤ等から構成され、遊技領域に設けられた所定の通過ゲートを遊技球が通過することを始動条件とする普通図ゲームにおいて、点灯、点滅、発色などが制御される。この普通図ゲームにおいて所定の当りパターンで表示が行われると、普通図ゲームにおける表示結果が「当り」となる。ここで、前述の高確率状態と時間短縮状態では、普通図柄表示装置４０による普通図ゲームにおける可変表示時間が通常遊技状態のときよりも短くなるとともに、各回の普通図ゲームで表示結果が当り図柄となる確率が向上するようにしてもよい。このときにはさらに、普通可変入賞球装置６における可動翼片の傾動時間が通常遊技状態のときよりも長くなるとともに、その傾動回数が通常遊技状態のときよりも増加するようにしてもよい。このように、高確率状態や時間短縮状態では、大当り遊技状態とは異なる遊技者にとって有利な遊技状態となる。ここで、時間短縮状態では、確変制御が行われず、大当り遊技状態となる確率は通常遊技状態のときと同じであるので、高確率状態の方が時間短縮状態よりも遊技者にとって有利である。
【００３９】
また、遊技盤２の表面には、上記の構成以外にも、ランプを内蔵した風車、アウト口等が設けられている。遊技機用枠３の左右上部位置には、効果音等を再生出力するためのスピーカ８Ｌ、８Ｒが設けられており、さらに遊技領域周辺部には、遊技効果ランプ９が設けられている。パチンコ遊技機１の遊技領域における各構造物（例えば普通可変入賞球装置６や特別可変入賞球装置７等）の周囲には装飾用ＬＥＤが設置されていてもよい。
【００４０】
パチンコ遊技機１には、図２に示すような主基板１１と、演出制御基板１２が搭載されている。主基板１１と演出制御基板１２は、パチンコ遊技機１の背面にて適所に配置され、両基板の間に、例えば演出制御信号の信号線やストローブ信号を送受信するための演出制御ＩＮＴ信号の信号線などが配線されている。なお、演出制御基板１２は、演出制御基板や音声制御基板、ランプ制御基板といった複数の独立した基板によって構成されてもよいし、これらをまとめた１つの基板として構成されてもよい。その他、パチンコ遊技機１の背面には、電源電圧を供給する電源基板や、払出制御基板、情報端子基板などといった、各種の制御基板が配置されている。
【００４１】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、それぞれに指令情報の一例となる制御コマンドを制御信号として出力して送信する機能、ホールの管理コンピュータに対して各種情報を出力する機能などを備えている。また、主基板１１は、特別図柄表示装置４を構成する各セグメントの点灯／消灯制御を行うことにより特別図柄表示装置４における特別図柄の可変表示を制御する一方で、普通図柄表示装置４０の点灯／点滅／発色制御を行うことにより普通図柄表示装置４０における普通図柄の可変表示を制御する。
【００４２】
このような主基板１１から演出制御基板１２に対して送信される制御コマンドは、例えば電気信号として伝送される演出制御コマンドである。図３は、この実施の形態で用いられる演出制御コマンドの内容の一例を示す説明図である。演出制御コマンドは、例えば２バイト構成であり、１バイト目はＭＯＤＥ（コマンドの分類）を示し、２バイト目はＥＸＴ（コマンドの種類）を表す。ＭＯＤＥデータの先頭ビット（ビット７）は必ず「１」とされ、ＥＸＴデータの先頭ビットは「０」とされる。なお、図３（Ａ）に示されたコマンド形態は一例であって、他のコマンド形態を用いてもよい。また、この例では、制御コマンドが２つの制御信号で構成されることになるが、制御コマンドを構成する制御信号数は、１であってもよいし、３以上の複数であってもよい。
【００４３】
図３（Ａ）に示す例において、コマンド８０００（ｈ）〜８０ＸＸ（ｈ）は、特別図柄表示装置４による特図ゲームで特別図柄の可変表示を開始するときに送信される可変表示開始コマンドである。なお、ＸＸ（ｈ）は不特定の１６進数であることを示し、演出制御コマンドによる指示内容に応じて任意に設定される値であればよい。可変表示開始コマンドは、例えば特別図柄表示装置４による特別図柄の可変表示が開始されてから確定図柄が停止表示されるまでの時間である特別図柄の可変表示時間や、飾り図柄の可変表示態様をリーチとしてからハズレとなるリーチハズレとするかリーチとすることなくハズレとなる通常ハズレとするか、さらには大当り開始前再抽選演出表示を実行するか否かなどを示すＥＸＴデータを含んでいる。すなわち、可変表示開始コマンドは、特別図柄の可変表示時間（総可変表示時間）を示す演出制御コマンドであり、表示に使用する可変表示パターン（変動パターン）を指定する可変表示パターンコマンドである。
【００４４】
ここで、リーチとは、画像表示装置５にて導出表示した飾り図柄が大当り組合せの一部を構成しているときに未だ導出表示していない飾り図柄（リーチ変動図柄という）については可変表示が行われている表示態様、あるいは、全て又は一部の飾り図柄が大当り図柄の全て又は一部を構成しながら同期して可変表示している表示態様のことである。具体的には、予め定められた組合せ有効ライン上の一部の可変表示部に予め定められた大当り組合せを構成する図柄を停止表示しているときに未だ停止表示していない組合せ有効ライン上の可変表示部において可変表示が行われている表示態様（例えば、表示領域に設けられた「左」、「中」、「右」の可変表示部のうち「左」、「右」の可変表示部には大当り図柄の一部となる（例えば「７」）が停止表示されている状態で「中」の可変表示部は未だ可変表示が行われている表示態様）、あるいは、有効ライン上の可変表示部の全て又は一部の飾り図柄が大当り図柄の全て又は一部を構成しながら同期して可変表示している表示態様（例えば、表示領域に設けられた「左」、「中」、「右」の可変表示部の全てで可変表示が行われてどの状態が表示されても同一の飾り図柄が揃っている態様で可変表示が行われている表示態様）である。また、リーチの際に、通常と異なる演出がランプや音などで行われることがある。この演出をリーチ演出という。また、リーチの際に、画像表示装置５にてキャラクタ（人物等を模した演出表示であり、飾り図柄とは異なるもの）を表示させたり、背景の表示態様を変化させたり、飾り図柄の可変表示態様を変化させたりすることがある。このキャラクタの表示や背景の表示態様、飾り図柄の変動態様の変化を、リーチ演出表示という。この実施の形態では、特定のリーチの際に、予告演出で用いられストックされているキャラクタを用いたリーチ演出が行われる。
【００４５】
また、大当り開始前再抽選演出表示とは、画像表示装置５による飾り図柄の可変表示が開始されてから可変表示時間が経過する以前に、通常大当り組合せとなる飾り図柄を仮停止表示させて特図ゲームの可変表示結果が大当りとなった旨を報知した後に、飾り図柄を再可変表示させて可変表示時間が経過したときに通常大当り図柄又は確変大当り図柄を導出表示させることにより、特図ゲームの可変表示結果を通常大当りから確変大当りに昇格させるか否かの再抽選を行う演出表示のことである。具体的には、画像表示装置５による飾り図柄の可変表示を開始してから可変表示時間経過前の所定タイミングに、「左」、「中」、「右」の可変表示部に通常大当り図柄を仮停止表示させるとともに、例えば画像表示装置５に所定の大当り報知用画像を表示させたり、スピーカ８Ｌ，８Ｒから所定の大当り報知用音声を出力させたりするなどして、遊技者に大当りが発生した旨を報知する。それから所定期間経過した後、例えば画像表示装置５に所定の再抽選報知用画像を表示させたり、スピーカ８Ｌ，８Ｒから再抽選報知用音声を出力させたりするなどして、発生した通常大当りを確変大当りに昇格させるか否かの再抽選が行われる旨を遊技者に報知するとともに、画像表示装置５による飾り図柄の可変表示を再開させる。そして、飾り図柄の可変表示を開始してから可変表示時間が経過したときに、通常大当り組合せの飾り図柄又は確変大当り組合せの飾り図柄を導出表示させる。この結果、確変大当り飾り図柄が導出表示されたときには、画像表示装置５やスピーカ８Ｌ，８Ｒなどを用いて、確変大当りに昇格した旨の報知演出が実行される一方で、通常大当り飾り図柄が導出表示されたときには、昇格しなかった旨の報知演出が実行される。なお、この実施の形態では、再抽選を行う際、仮停止表示された通常大当り組合せの飾り図柄を再度可変表示させてから、通常大当り組合せの飾り図柄又は確変大当り組合せの飾り図柄を導出表示するものとしたが、仮停止表示された通常大当り図柄を可変表示させることなく、例えば所定のアニメ画像を伴った演出表示などを行った後に、通常大当り組合せの飾り図柄又は確変大当り組合せの飾り図柄に変更させるようにしてもよい。
【００４６】
コマンド９０ＸＸ（ｈ）は、画像表示装置５による飾り図柄の可変表示結果が大当りとなるか否かや、大当り終了後の遊技状態が高確率状態となるか否かを示す表示結果コマンドである。例えば図３（Ｂ）に示すように、コマンド９０００（ｈ）は、飾り図柄の可変表示結果が大当りとならないことを示している。コマンド９００１（ｈ）は、大当り終了後の遊技状態が高確率状態にならないことを示している。コマンド９００２（ｈ）は、大当り終了後の遊技状態が高確率状態になることと、大当終了後再抽選演出表示を行わないことと、を示している。コマンド９００３（ｈ）は、大当り終了後の遊技状態が高確率状態になることと、大当終了後再抽選演出表示を行うことと、を示している。このため、演出制御基板１２の側では、表示結果コマンドによって特図ゲームにおける可変表示結果の種類がハズレであるか通常大当りであるか確変大当りであるかを特定することが可能となるとともに、特図ゲームにおける可変表示結果の種類が確変大当りのときには、大当り終了後再抽選演出表示の実行の有無をも特定することができる。なお、この実施の形態では、大当り終了後再抽選演出表示の実行の有無は、最終的に演出制御基板１２の側で決定されることとなる。
【００４７】
ここで、大当り終了後再抽選演出表示とは、画像表示装置５による飾り図柄の可変表示結果として通常大当り組合せの飾り図柄が導出表示されたことに基づいて発生した大当り遊技状態の終了後に、その後の遊技状態を、飾り図柄の可変表示結果に対応する通常遊技状態から、高確率状態に昇格させるか否かの再抽選を行う演出表示である。具体的には、大当り遊技状態が終了した後に、通常の大当り終了時（再抽選を行わない大当り終了時）とは異なる態様のエンディング画像を画像表示装置５に表示することにより、終了した通常大当りを確変大当りに昇格させるか否かの再抽選が行われる旨を遊技者に報知する。その後、画像表示装置５による飾り図柄を可変表示させ、所定期間経過後、通常大当り組合せの飾り図柄又は確変大当り組合せの飾り図柄を導出表示させる。この結果、確変大当り飾り図柄が導出表示されたときには、画像表示装置５やスピーカ８Ｌ，８Ｒなどを用いて、高確率状態に昇格した旨の報知演出が実行される一方で、通常大当り飾り図柄が導出表示されたときには、昇格しなかった旨の報知演出が実行される。なお、この実施の形態では、再抽選を行う際、導出表示された通常大当り組合せの飾り図柄を可変表示させてから、通常大当り組合せの飾り図柄又は確変大当り組合せの飾り図柄を導出表示するものとしたが、導出表示させた通常大当り図柄を可変表示させることなく、例えば所定のアニメ画像を伴った演出表示などを行った後に、通常大当り組合せの飾り図柄又は確変大当り組合せの飾り図柄に変更させるようにしてもよい。また、飾り図柄に表示することなく、確変大当りとするか否かを報知するアニメ画像などを表示するようにしてもよい。例えば大当り終了時に画像表示装置５でルーレートゲームを開始させ、回転するルーレートに投入されたボールが「奇数」に入ったときには、画像表示装置５上に「確変!!」と表示して、大当り終了後の遊技状態が高確率状態となることを報知するようにし、投入されたボールが「偶数」に入ったときには、画像表示装置５上に「残念!!」と表示して、大当り終了後の遊技状態が通常遊技状態となることを報知するようにしてもよい。なお、この実施の形態では、大当り終了後再抽選演出表示の演出を昇格演出ともいう。この実施の形態では、予告演出で用いられストックされているキャラクタを用いた昇格演出が行われることがある。
【００４８】
コマンドＡ０００（ｈ）は、特別図柄表示装置４による特図ゲームでの可変表示結果が「大当り」となったことにより、大当り遊技状態が開始されることを示す大当り開始コマンドである。例えば、大当り開始コマンドは、パチンコ遊技機１が大当り遊技状態に移行することを示すコマンドである。コマンドＢ０ＸＸ（ｈ）は、大当り遊技状態が終了することを示す大当り終了コマンドである。また、この実施の形態では、大当り終了コマンドは、大当り終了後再抽選演出表示が行われるか否かと、大当り終了後再抽選演出表示が行われるときには再抽選の結果と、をも示すものとなっている。例えば図３（Ｃ）に示すように、コマンドＢ０００（ｈ）は、大当り終了後再抽選演出表示が行われない場合に送出される大当り終了コマンドであり、コマンドＢ００１（ｈ）及びＢ００２（ｈ）は、大当り終了後再抽選演出表示が行われる場合に送出される大当り終了コマンドであり、コマンドＢ００１（ｈ）は、再抽選の結果、高確率状態に昇格しないときに送出され、コマンドＢ００２（ｈ）は、再抽選の結果、高確率状態に昇格するときに送出される。このため、演出制御基板１２の側では、大当り終了コマンドによって大当り終了後再抽選演出表示が実行されるか否かと、この再抽選により高確率状態に昇格するか否かと、を特定することができる。
【００４９】
その他、演出制御コマンドとしては、大当り遊技状態が終了するときに確変制御が開始されることを示す確変開始コマンド、大当り遊技状態が終了するときに時短制御が開始されることを示す時短開始コマンド、確変制御が終了されることを示す確変終了コマンドや時短制御が終了されることを示す時短終了コマンドなどが用意されていてもよい。
【００５０】
主基板１１には、図２に示すように、始動入賞口である普通可変入賞球装置６、大入賞口である特別可変入賞球装置７やその他の入賞口への遊技球の入賞等を検出するための各入賞口スイッチ７０からの検出信号を受信するための配線も接続されている。さらに、主基板１１には、普通可変入賞球装置６における可動翼片の可動制御や特別可変入賞球装置７における開成・閉成制御を行うための指令信号をソレノイド２１及び２２へ送信するための配線が接続されている。
【００５１】
主基板１１は、遊技制御用マイクロコンピュータ１００、スイッチ回路１０７、ソレノイド回路１０８などを搭載して構成される。遊技制御用マイクロコンピュータ１００は、例えば１チップマイクロコンピュータであり、遊技制御用のプログラムを記憶するＲＯＭ（Read Only Memory）１０１と、ワークメモリとして使用されるＲＡＭ（Random Access Memory）１０２と、遊技制御用のプログラムに従って制御動作を行うＣＰＵ（Central Processing Unit）１０３と、Ｉ／Ｏ（Input/Output）ポート１０４と、を含んでいる。
【００５２】
また、遊技制御用マイクロコンピュータ１００は、図４に示すように、特図保留メモリ１１０と、ランダムカウンタ１１１と、大当り判定用テーブルメモリ１１２と、確定特別図柄決定用テーブルメモリ１１３と、可変表示パターンテーブルメモリ１１４と、可変表示パターン決定用テーブルメモリ１１５と、再抽選演出表示実行決定用テーブルメモリ１１６と、フラグメモリ１１７と、各種タイマ１１８と、を備えている。
【００５３】
特図保留メモリ１１０は、遊技球が普通可変入賞球装置６に入賞して特別図柄の可変表示（特図ゲーム）を実行するための条件（始動条件）が成立したが、従前の可変表示を実行中である等の理由のために可変表示を実際に開始するための条件（開始条件）が成立していない保留状態を記憶するためのメモリである。特図保留メモリ１１０では、４つのエントリが設けられており、各エントリには、普通可変入賞球装置６への入賞順に保留番号とその入賞により抽出された乱数値（後述するランダムＲ１の値）が対応付けて格納される。特別図柄の可変表示が１回終了したり、大当り遊技状態が終了したりするごとに、最上位の情報に基づいた可変表示の開始条件が成立し、最上位の情報に基づいた可変表示が実行される。このとき、第２位以下の格納データが１位ずつ繰り上がる。また、特別図柄の可変表示中等に遊技球が普通可変入賞球装置６に新たに入賞した場合には、その入賞による乱数値が最上位の空エントリに格納される。
【００５４】
ランダムカウンタ１１１は、遊技制御に用いられる判定用乱数や表示用乱数のカウントを行うものである。図５は、ランダムカウンタ１１１によりカウントされる各乱数を示す説明図である。ランダムカウンタ１１１は、図５に示すように、ランダムＲ１〜Ｒ６のカウントを行う。ランダムＲ１は、大当りを発生させてパチンコ遊技機１を特定遊技状態とするか否かを決定する大当り判定用の乱数であり、「０」〜「６５５３５」の範囲の値をとる。ランダムＲ２は、パチンコ遊技機１を大当り遊技状態とした後に高確率状態へと移行する確率変動制御（確変制御）を行うか否かを判定するための乱数であり、「０」〜「９」の範囲の値をとる。
【００５５】
ランダムＲ３は、確定図柄として導出表示する特別図柄を決定する確定特別図柄決定用の乱数であり、「０」〜「２４９」の範囲の値をとる。ランダムＲ４は、ハズレ時にリーチとするか否かを決定するリーチ判定用の乱数であり、「０」〜「１５３０」の範囲の値をとる。ランダムＲ５は、特別図柄の可変表示に用いる可変表示パターンを決定するための表示用の乱数であり、「０」〜「１０８」の範囲の値をとる。ランダムＲ６は、大当り遊技状態の終了後に再抽選演出表示（昇格演出）を実行するか否かを判定する再抽選演出表示実行決定用の乱数であり、「０」〜「９９」の範囲の値をとる。
【００５６】
図４に示す大当り判定用テーブルメモリ１１２は、ＣＰＵ１０３が特図ゲームにおける表示結果を大当りとするか否かを判定するために設定される複数の大当り判定用テーブルを記憶する。具体的には、大当り判定用テーブルメモリ１１２は、図６（Ａ）に示す通常時大当り判定用テーブル１２０と、図６（Ｂ）に示す確変時大当り判定用テーブル１２１と、を格納する。
【００５７】
図６（Ａ）に示す通常時大当り判定用テーブル１２０と、図６（Ｂ）に示す確変時大当り判定用テーブル１２１と、は、特別図柄表示装置４による特図ゲームの表示結果を大当りとするか否かを判定するためのテーブルである。各大当り判定用テーブル１２０及び１２１では、ランダムＲ１の値と特図ゲームの表示結果を示す設定データとが対応付けて格納されている。そして、確変時大当り判定用テーブル１２１では、通常時大当り判定用テーブル１２０に比べてより多くのランダムＲ１の値が、「大当り」の表示結果と対応付けられている。すなわち、確変時大当り判定用テーブル１２１を用いて特図ゲームの表示結果を決定することで、通常遊技状態のときよりも大当り遊技状態となる確率が高い高確率状態とすることができる。
【００５８】
この実施の形態において、図６（Ａ）に示す通常時大当り判定用テーブル１２０には、ランダムカウンタ１１１より抽出されるランダムＲ１の値「０〜６５５３５」のうち「２００１〜２１８４」が「大当り」の表示結果と対応付けられている。一方、図６（Ｂ）に示す確変時大当り判定用テーブル１２１には、ランダムカウンタ１１１によりカウントされるランダムＲ１の値「０〜６５５３５」のうち「２００１〜３１０４」が「大当り」の表示結果と対応付けられている。
【００５９】
図４に示す確定特別図柄決定用テーブルメモリ１１３は、特図ゲームでの確定図柄として導出表示する特別図柄を決定するために設定される複数の確定特別図柄決定用テーブルを記憶する。具体的には、確定特別図柄決定用テーブルメモリ１１３は、図７（Ａ）に示すハズレ時確定特別図柄決定用テーブル１３０と、図７（Ｂ）に示す大当り時確定特別図柄決定用テーブル１３１と、を格納する。
【００６０】
図７（Ａ）に示すハズレ時確定特別図柄決定用テーブル１３０と、図７（Ｂ）に示す大当り時確定特別図柄決定用テーブル１３１と、は、特別図柄表示装置４による特図ゲームの表示結果として導出表示される確定特別図柄を決定するためのテーブルである。各確定特別図柄決定用テーブル１３０及び１３１では、ランダムＲ３の値と確定特別図柄を示す設定データとが対応付けて格納されている。
【００６１】
図４に示す可変表示パターンテーブルメモリ１１４は、特図ゲームや飾り図柄の可変表示で使用される複数の可変表示パターンを記憶する。具体的には、可変表示パターンテーブルメモリ１１４は、図８に示す可変表示パターンテーブル１４０を格納する。
【００６２】
図８に示す可変表示パターンテーブル１４０には、例えば、複数の可変表示パターンと、各種タイマ１１８に設けられた可変表示時間タイマが計測する特別図柄及び飾り図柄の総可変表示時間と、可変表示開始コマンド８０ＸＸ（ｈ）のＥＸＴデータとして設定される制御コードと、が対応付けて格納されている。この実施の形態では、大当り、リーチハズレ、通常ハズレのそれぞれに対応して異なる可変表示パターンが用意されている。例えば、大当りに対応する可変表示パターンとして、リーチＡ〜リーチＥの大当り時可変表示パターンが用意されている。また、リーチＡの大当り時可変表示パターンには、大当り開始前再抽選演出表示の実行を伴うものと、伴わないものと、が用意されている。リーチハズレに対応する可変表示パターンとしては、リーチＡ〜リーチＥのリーチ時可変表示パターンが用意されている。通常ハズレに対応する可変表示パターンとしては、通常ハズレ時可変表示パターン（図８の可変表示パターン＃１）が用意されている。可変表示パターンは可変表示開始コマンドによって指定されることから、演出制御基板１２の側においては、可変表示開始コマンドにて指定された可変表示パターンにより、画像表示装置５での飾り図柄の可変表示結果をハズレとするか大当りとするか、ハズレの場合にリーチとするか否か、及び、大当りの場合に大当り開始前再抽選演出表示を実行するか否かを特定することができる。この実施の形態では、リーチＢ〜リーチＥの可変表示パターンは、予告演出で用いられたキャラクタが特定の数ストックされているときに、その演出態様を変化させる。
【００６３】
図４に示す可変表示パターン決定用テーブルメモリ１１５は、図９（Ａ）に示すリーチ時可変表示パターン決定用テーブル１５０と、図９（Ｂ）に示す大当り時可変表示パターン決定用テーブル１５１と、を格納している。各可変表示パターン決定用テーブル１５０及び１５１は、表示結果を大当りあるいはリーチハズレとするときに、ランダムカウンタ１１１より抽出されるランダムＲ５の値に基づいて、複数種類ある可変表示パターンのうちから特図ゲームや飾り図柄の可変表示に使用するものを選択決定できるように構成されている。
【００６４】
ここで、リーチ時可変表示パターン決定用テーブル１５０と、大当り時可変表示パターン決定用テーブル１５１と、を比べると、各可変表示パターン（リーチの種類）に対するランダムＲ５の値の割当てが異なっている。すなわち、飾り図柄の可変表示における表示結果がリーチハズレとなるか、通常大当りとなるかに応じて、選択されるリーチ種類の割合が異なるものとなっている。これにより、表示結果が大当りとなる確率は、飾り図柄の可変表示中に出現するリーチの種類に応じて異なるものとなる。このように、リーチの種類毎に決められる表示結果が大当りとなる確率は、リーチの大当り信頼度、あるいは単に、リーチの信頼度とも称される。
【００６５】
図４に示す再抽選演出表示実行決定用テーブルメモリ１１６は、図１０に示す大当り終了後再抽選演出表示実行決定用テーブル１６０を格納している。大当り終了後再抽選演出表示実行決定用テーブル１６０は、ランダムカウンタ１１１より抽出されるランダムＲ６の値に基づいて、画像表示装置５にて大当り終了後再抽選演出表示を実行するか否かを決定できるように構成されている。
【００６６】
フラグメモリ１１７は、パチンコ遊技機１における遊技の進行を制御するために用いられる複数種類のフラグを設定するためのものである。例えば、フラグメモリ１１７には、特別図柄プロセスフラグ、普通図柄プロセスフラグ、大当りフラグ、確変確定フラグ、確変中フラグ、大当り終了後再抽選演出表示フラグ、入力状態フラグ、エラーフラグ及びタイマ割込フラグなどが設けられている。
【００６７】
特別図柄プロセスフラグは、後述する特別図柄プロセス処理（図２５）において、どの処理を選択・実行すべきかを指示する。普通図柄プロセスフラグは、普通図柄プロセス処理において、どの処理を選択・実行すべきかを指示する。大当りフラグは、特別図柄表示装置４による特図ゲームの表示結果が大当りとなるときにオン状態にセットされ、ハズレとなるときにクリアされオフ状態となる。なお、大当りフラグは、大当り終了時にクリアされオフ状態になるようにしてもよい。
【００６８】
確変確定フラグは、特別図柄表示装置４による特図ゲーム及び画像表示装置５による飾り図柄の可変表示を開始するときに、飾り図柄の可変表示結果が確変大当りとなる旨の判定がなされると、オン状態にセットされ、大当り遊技状態が終了するときにクリアされてオフ状態になる。確変中フラグは、大当り遊技状態が終了するときに確変確定フラグがオンとなっていれば、オン状態にセットされ、通常大当りとなったことに基づく大当り遊技状態が終了するとき等にクリアされてオフ状態となる。
【００６９】
大当り終了後再抽選演出表示フラグは、大当り終了後再抽選演出表示が実行される旨の決定がなされたときにオン状態にセットされ、大当り遊技状態を終了するときにクリアされ、オフ状態となる。
【００７０】
入力状態フラグは、Ｉ／Ｏポート１０４に入力される各種信号の状態や各入賞口スイッチ７０から入力される検出信号の状態等に応じて各々セットあるいはクリアされる複数ビットからなるフラグである。エラーフラグは、パチンコ遊技機１において各種のエラーが発生したときに、発生したエラーの種類に対応するビットがセットされる複数ビットからなるフラグである。タイマ割込フラグは、所定時間が経過してタイマ割込みが発生するごとにオン状態にセットされる。
【００７１】
各種タイマ１１８は、遊技の制御に用いられる複数種類のタイマを含んで構成されている。例えば、各種タイマ１１８は、可変表示時間タイマや大当り終了演出表示時間タイマを含んでいる。可変表示時間タイマは、特図ゲームにおける特別図柄の残り可変表示時間に対応したタイマ値を記憶し、定期的にタイマ値をカウントダウンするダウンカウンタとして用いられる。この場合、可変表示時間タイマには、特別図柄表示装置４による特別図柄の可変表示が開始されるに際して決定された可変表示パターンに対応したタイマ初期値が設定される。大当り終了演出表示時間タイマは、画像表示装置５による大当り終了演出表示の実行時間を主基板１１側で計測するためのダウンカウンタであり、主基板１１から演出制御基板１２に対して大当り終了コマンドが送出されるに際して、後述する大当り終了後再抽選演出表示実行決定処理（図２９）での決定結果に対応したタイマ初期値が設定される。
【００７２】
図２に示すスイッチ回路１０７は、各入賞口スイッチ７０からの検出信号を取り込んで、遊技制御用マイクロコンピュータ１００に伝達する。ソレノイド回路１０８は、遊技制御用マイクロコンピュータ１００からの指令に従って各ソレノイド２１及び２２を駆動する。ソレノイド２１は、リンク機構を介して普通可変入賞球装置６の可動翼片に連結されている。ソレノイド２２は、リンク機構を介して特別可変入賞球装置７の開閉板に連結されている。
【００７３】
演出制御基板１２は、画像表示装置５における表示動作や、スピーカ８Ｌ，８Ｒからの音声出力動作、遊技効果ランプ９におけるランプの点灯動作及び消灯動作などの制御を行うものである。例えば、演出制御基板１２は、主基板１１から伝送される演出制御コマンドに基づいて画像表示装置５に画像の切換表示を実行させることなどにより、各種の演出表示を実行する制御を行う。また、演出制御基板１２には、音声出力回路１３やランプドライバ回路１４への制御信号を伝送する配線などが接続されている。
【００７４】
図１１は、演出制御基板１２のハードウェア構成例を示すブロック図である。演出制御基板１２は、ＣＰＵ２００と、ＲＯＭ２０１と、ＲＡＭ２０２と、ＶＤＰ（Video Display Processor）２０３と、ＣＧＲＯＭ（Character Generator ROM）２０４と、ＶＲＡＭ（Video RAM）２０５と、音声データ出力回路２０６と、ランプデータ出力回路２０７と、を備えている。
【００７５】
ＣＰＵ２００は、主基板１１から送信された演出制御コマンドを受信すると、ＲＡＭ２０２の所定領域をワークエリアとして用いながら、ＲＯＭ２０１から演出制御を行うための制御データを読み出す。こうして読み出した制御データに基づいて、ＣＰＵ２００は、ＶＤＰ２０３に描画指令を送るなどして画像表示装置５の表示制御を行ったり、音声データ出力回路２０６から音声出力回路１３に音声データを出力させるなどして音声出力制御を行ったり、ランプデータ出力回路２０７からランプドライバ回路１４にランプデータを出力させるなどしてランプ点灯制御を行ったりする。
【００７６】
ＶＤＰ２０３は、例えば画像表示装置５による画像表示を行うための表示制御機能及び高速描画機能を有し、ＣＰＵ２００からの描画指令に従った画像処理を実行する。また、ＣＰＵ２００とは独立した二次元のアドレス空間を持ち、そこにＶＲＡＭ２０５をマッピングしている。例えばＶＤＰ２０３は、ＣＧＲＯＭ２０４から読み出した画像データをＶＲＡＭ２０５の所定領域に展開する。そして、画像表示装置５に対してＲ（赤）、Ｇ（緑）、Ｂ（青）信号及び同期信号などからなる映像信号を出力する。一例として、Ｒ、Ｇ、Ｂ信号はそれぞれ８ビットで表され、画像表示装置５はＶＤＰ２０３からの指示に従ってＲ、Ｇ、Ｂのそれぞれを２５６階調、これらを合成して約１６７０万色の多色表示を行うことができる。なお、Ｒ、Ｇ、Ｂ信号のビット数は８ビット以外のビット数であってもよく、また、Ｒ、Ｇ、Ｂ信号の各ビット数が互いに異なる数であってもよい。
【００７７】
ＣＧＲＯＭ２０４は、画像表示装置５にて画像表示を行うために使用される各種の画像データを記憶しておくためのものである。例えば、ＣＧＲＯＭ２０４には、画像表示装置５にて表示される画像の中でも使用頻度の高いキャラクタ画像データ、具体的には、人物、動物、または、文字、図形もしくは記号等が予め記憶されていている。
【００７８】
ＶＲＡＭ２０５は、ＶＤＰ２０３による画像データの展開が行われるフレームバッファメモリである。
【００７９】
音声データ出力回路２０６は、ＣＰＵ２００からの制御指令を受けて音声出力回路１３に音声データを出力する。音声出力回路１３では、例えば音声データ出力回路２０６から受けた音声データにデジタル／アナログ変換を施すなどして音声信号を生成し、スピーカ８Ｌ、８Ｒに供給することによって音声を出力させる。
【００８０】
ランプデータ出力回路２０７は、ＣＰＵ２００からの制御指令を受けてランプドライバ回路１４にランプデータを出力する。ランプドライバ回路１４では、例えばランプデータ出力回路２０７から受けたランプデータに応じたランプ駆動信号を生成し、遊技効果ランプ９に供給することによってランプの点灯／消灯切換を行う。
【００８１】
また、演出制御基板１２は、図１２に示すように、受信コマンドバッファメモリ２１０と、ランダムカウンタ２１１と、表示制御パターンテーブルメモリ２１２と、飾り図柄決定用テーブルメモリ２１３と、フラグメモリ２１４と、各種タイマ２１５と、予告演出用テーブルメモリ２１６と、キャラクタ記憶メモリ２１７と、昇格演出決定用テーブルメモリ２１８と、を備えている。
【００８２】
図１２に示す受信コマンドバッファメモリ２１０には、主基板１１から受信した演出制御コマンドを格納するための受信コマンドバッファが複数設けられている。図１３は、受信コマンドバッファメモリ２１０の構成例を示す図である。図１３に示す例では、１２個の受信コマンドバッファが設けられており、受信したコマンドを格納する受信コマンドバッファは、コマンド受信個数カウンタで指定される。コマンド受信個数カウンタは、「０」〜「１１」の値をとる。各受信コマンドバッファは、例えば１バイトで構成され、複数の受信コマンドバッファをリングバッファとして使用することにより、２バイト構成の演出制御コマンドを６個格納することができる。
【００８３】
図１２に示すランダムカウンタ２１１は、飾り図柄の可変表示内容を決定するために用いられる各種乱数のカウントを行うものである。図１４は、ランダムカウンタ２１１によりカウントされる各乱数を示す説明図である。ランダムカウンタ２１１は、図１４に示すように、ランダムＲ１０〜Ｒ１６のカウントを行う。ランダムＲ１０は、大当り時における飾り図柄の確定図柄と、ハズレ時に左側の飾り図柄における確定図柄と、大当り終了後再抽選演出表示の再抽選結果として導出表示される大当り図柄と、を決定する乱数であり、「０」〜「２４９」の範囲の値をとる。ランダムＲ１１は、ハズレ時に中央の飾り図柄における確定図柄を決定する乱数であり、「０」〜「１６２」の範囲の値をとる。ランダムＲ１２は、リーチとしない通常ハズレ時に右側の飾り図柄における確定図柄を決定する乱数であり、「０」〜「７２」の範囲の値をとる。ランダムＲ１３は、大当り開始前再抽選演出表示が行われるときに、確定図柄が導出表示される前に仮停止表示される大当り図柄を決定する乱数であり、「０」〜「１０６」の範囲の値をとる。ランダムＲ１４は、予告演出を実行するか否かを決定する乱数であり、「０」〜「９９」の範囲の値をとる。ランダムＲ１５は、予告演出を実行すると決定されたときに予告演出で使用するキャラクタを決定する乱数であり、「０」〜「９９」の範囲の値をとる。ランダムＲ１６は、昇格演出の種別（昇格演出パターン）を決定する乱数であり、「０」〜「９９」の範囲の値をとる。
【００８４】
図１２に示す表示制御パターンテーブルメモリ２１２は、主基板１１から受けた演出制御コマンドに基づいて選択される表示制御パターン決定用テーブルを記憶する。表示制御パターンテーブルメモリ２１２は、例えば図１５に示す図柄表示制御パターンテーブル２２０などを含んでいる。
【００８５】
図１５に示す図柄表示制御パターンテーブル２２０は、複数種類の図柄表示制御パターンを格納する。各図柄表示制御パターンは、図１６に示すように、図柄表示制御プロセスタイマ設定値、図柄表示制御データなど、飾り図柄の表示状態を制御するためのデータからなり、時系列的に飾り図柄の可変表示速度や表示する図柄の大きさ、その表示状態での表示期間、キャラクタの切替タイミング等が設定されている。
【００８６】
図１２に示す飾り図柄決定用テーブルメモリ２１３は、画像表示装置５にて可変表示される飾り図柄の確定図柄や、大当り再抽選演出表示の実行時に仮停止表示される飾り図柄を決定するために用いられる複数種類の飾り図柄決定用テーブルを記憶する。具体的には、飾り図柄決定用テーブルメモリ２１３は、図１７（Ａ）に示す通常大当り時確定飾り図柄決定用テーブル２３０、図１７（Ｂ）に示す確変大当り時確定飾り図柄決定用テーブル２３１、図１７（Ｃ）に示す仮停止飾り図柄決定用テーブル２３２、図１８（Ａ）に示す左確定飾り図柄決定用テーブル２３３、図１８（Ｂ）に示す中確定飾り図柄決定用テーブル２３４、及び図１８（Ｃ）に示す右確定飾り図柄決定用テーブル２３５を格納する。
【００８７】
図１７（Ａ）に示す通常大当り時確定飾り図柄決定用テーブル２３０は、通常大当りとなるときや、大当り終了後再抽選演出表示が実行されるときに、画像表示装置５における飾り図柄の可変表示結果として、また、大当り終了後の遊技状態が通常遊技状態となるときに、大当り終了後再抽選演出表示の再抽選結果として、「左」、「中」、「右」の可変表示部にて導出表示される同一の通常大当り用飾り図柄を決定するためのテーブルである。例えば、通常大当り時確定飾り図柄決定用テーブル２３０は、ランダムＲ１０の値と、確定図柄として選択決定される通常大当り用飾り図柄の図柄番号と、を対応付ける決定用データなどから構成されている。
【００８８】
図１７（Ｂ）に示す確変大当り時確定飾り図柄決定用テーブル２３１は、確変大当りとなるときに、画像表示装置５における飾り図柄の可変表示結果として、また、大当り終了後再抽選演出表示の再抽選結果として、「左」、「中」、「右」の可変表示部にて導出表示される同一の確変大当り用飾り図柄を決定するためのテーブルである。例えば、確変大当り時確定飾り図柄決定用テーブル２３１は、ランダムＲ１０の値と、確定図柄として選択決定される確変大当り用飾り図柄の図柄番号とを対応付ける決定用データなどから構成されている。
【００８９】
図１７（Ｃ）に示す仮停止飾り図柄決定用テーブル２３２は、大当り開始前再抽選演出表示が行われるときに、確定図柄が導出表示される前に仮停止表示される大当り図柄を決定するためのテーブルである。例えば仮停止飾り図柄決定用テーブル２３２は、ランダムＲ１３の値と、仮停止表示される飾り図柄として選択決定される通常大当り用飾り図柄の図柄番号と、を対応付ける決定用データなどから構成されている。
【００９０】
図１８（Ａ）に示す左確定飾り図柄決定用テーブル２３３は、リーチハズレまたは通常ハズレとなるときに、画像表示装置５における飾り図柄の可変表示結果として「左」の可変表示部にて導出表示される飾り図柄を決定するためのテーブルである。例えば、左確定飾り図柄決定用テーブル２３３は、ランダムＲ１０の値と、「左」の可変表示部における確定図柄となる飾り図柄の図柄番号と、を対応付ける決定用データなどから構成されている。
【００９１】
図１８（Ｂ）に示す中確定飾り図柄決定用テーブル２３４は、リーチハズレまたは通常ハズレとなるときに、画像表示装置５における飾り図柄の可変表示結果として「中」の可変表示部にて導出表示される飾り図柄を決定するためのテーブルである。例えば、中確定飾り図柄決定用テーブル２３４は、ランダムＲ１１の値と、「左」の可変表示部における確定図柄の図柄番号に対する加算値と、を対応付ける決定用データなどから構成されている。すなわち、リーチハズレ時または通常ハズレ時には、ランダムＲ１１に基づき中確定飾り図柄決定用テーブル２３４を用いて決定した加算値を、左確定飾り図柄決定用テーブル２３３を用いて決定した確定図柄の図柄番号に加算することで、「中」の可変表示部における確定図柄を決定することができる。なお、リーチハズレ時に中確定飾り図柄決定用テーブル２３４を用いて決定された加算値が「０」である場合には、可変表示結果をハズレとするために、「中」の可変表示部における確定図柄の図柄番号を１加算するなどしてもよい。
【００９２】
図１８（Ｃ）に示す右確定飾り図柄決定用テーブル２３５は、通常ハズレとなるときに、画像表示装置５における飾り図柄の可変表示結果として「右」の可変表示部にて導出表示される飾り図柄を決定するためのテーブルである。例えば、右確定飾り図柄決定用テーブル２３５は、ランダムＲ１２の値と、「左」の可変表示部における確定図柄の図柄番号に対する加算値と、を対応付ける決定用データなどから構成されている。
【００９３】
図１２に示すフラグメモリ２１４は、画像表示装置５における表示状態や主基板１１からのコマンド受信に応じて各々セットあるいはクリアされる複数種類のフラグを設定するためのものである。例えば、フラグメモリ２１４には、演出制御プロセスフラグ、可変表示開始フラグ、有効フラグ、大当り終了演出表示中フラグ、タイマ割込フラグ、予告フラグ、昇格演出実行フラグなどが設けられている。
【００９４】
演出制御プロセスフラグは、後述する演出制御プロセス処理（図３６）において、どの処理を選択・実行すべきかを指示する。可変表示開始フラグは、主基板１１から可変表示開始コマンド８０ＸＸ（ｈ）を受信したときにオン状態にセットされる。有効フラグは、主基板１１から表示結果コマンド９０ＸＸ（ｈ）を受信したときにオン状態にセットされる。
【００９５】
大当り終了演出表示中フラグは、主基板１１から大当り終了コマンドＢ０ＸＸ（ｈ）を受信したときにオン状態にセットされる。タイマ割込フラグは、所定時間が経過してタイマ割込みが発生するごとにオン状態にセットされる。予告フラグは、画像表示装置５において予告演出を実行するときにオン状態にセットされる。昇格演出実行フラグは、画像表示装置５において昇格演出を実行するときにオン状態にセットされる。
【００９６】
各種タイマ２１５は、画像表示装置５の表示制御に用いられる複数種類のタイマを含んで構成される。例えば、各種タイマ２１５は、図柄表示制御プロセスタイマや、可変表示時間タイマ、大当り終了演出表示時間タイマを含んでいる。
【００９７】
図柄表示制御プロセスタイマは、図柄表示プロセステーブルに設定されているプロセスタイマ値をカウントダウンすることにより、画像表示装置にて特別図柄を表示制御パターンに従った態様で可変表示させる可変表示期間を計測する。
【００９８】
可変表示時間タイマは、特別図柄表示装置４による特図ゲームに対応して画像表示装置５にて実行される飾り図柄の可変表示時間を演出制御基板１２側で計測するためのものである。例えば、可変表示時間タイマは、飾り図柄の可変表示が実行される残り時間に対応したタイマ値を記憶し、定期的にタイマ値をカウントダウンするダウンカウンタとして用いられる。この場合、可変表示時間タイマには、画像表示装置５における飾り図柄の可変表示が開始されるに際して、主基板１１から送信された可変表示開始コマンドにて示された可変表示パターンに対応したタイマ初期値が設定される。
【００９９】
大当り終了演出表示時間タイマは、画像表示装置５による大当り終了演出表示の実行時間を演出制御基板１２側で計測するためのダウンカウンタであり、主基板１１から送信される大当り終了コマンドにて示された後述する大当り終了後再抽選演出表示実行決定処理（図２９）での決定結果に対応したタイマ初期値が設定される。
【０１００】
図１２に示す予告演出用テーブルメモリ２１２は、画像表示装置５にて実行される予告演出に用いられるキャラクタや、予告演出を実行するか否か、及び予告演出で用いるキャラクタを決定するためのテーブルを記憶する。具体的には、図１９に示す予告決定用テーブル２３６と、図２０に示すキャラクタ決定用テーブル２３７〜２３９とを含んでいる。
【０１０１】
図１９に示す予告決定用テーブル２３６は、主基板１１から送信される可変表示コマンドが大当り用であるか、はずれ用であるかにもとづいて予告演出を実行するか否かを決定するためのテーブルである。例えば、予告演出決定用テーブル２３６は、大当り用であるかはずれ用であるか毎に、ランダムＲ１４の値と予告を実行するか否とを対応付ける決定用データなどから構成となっている。図１９に示すように、表示結果が大当りとなる場合に、はずれとなる場合よりも予告演出が実行される割合が高いように判定値が割り振られている。
【０１０２】
図２０（Ａ）に示すキャラクタ決定用テーブル２３７は、ストックされたキャラクタの数（キャラクタ記憶数）が０個または３個のときに、予告演出で用いるキャラクタを決定するためのテーブルである。例えば、キャラクタ決定用テーブル２３７は、ランダムＲ１５の値とキャラクタの種別とを対応付ける決定用データなどから構成されている。
【０１０３】
図２０（Ｂ）に示すキャラクタ決定用テーブル２３８は、キャラクタ記憶数が１個のときに、予告演出で用いるキャラクタを決定するためのテーブルである。例えば、キャラクタ決定用テーブル２３８は、記憶しているキャラクタの種別毎に、ランダムＲ１５の値とキャラクタの種別とを対応付ける決定用データなどから構成されている。
【０１０４】
図２０（Ｃ）に示すキャラクタ決定用テーブル２３９は、キャラクタ記憶数が２個のときに、予告演出で用いるキャラクタを決定するためのテーブルである。例えば、キャラクタ決定用テーブル２３９は、記憶しているキャラクタの種別毎に、ランダムＲ１５の値とキャラクタの種別とを対応付ける決定用データなどから構成されている。
【０１０５】
なお、この実施の形態では、予告演出に用いられるキャラクタとして３種類のキャラクタが用意される（キャラクタＡ、キャラクタＢ、キャラクタＣ）。キャラクタ記憶数が１又は２個の場合、すでに記憶しているキャラクタ以外のキャラクタにより予告演出を実行するように、キャラクタ決定用テーブルに判定値が割り振られている。また、キャラクタ記憶数が０又は３個のときは、３種類のキャラクタが均等に決定される構成である。この実施の形態では、予告演出で用いられるキャラクタの種別は、大当りとなる信頼度とは無関係に決定される構成としたが、キャラクタの種別により大当りとなる信頼度を異ならせるようにしてもよい。例えば、特定の種別のキャラクタが大当りとなる場合に決定されやすいようにすればよい。
【０１０６】
図１２に示すキャラクタ記憶メモリ２１７は、画像表示装置５にて予告演出で用いられたキャラクタを記憶するための領域である。図２１は、キャラクタ記憶メモリ２１７の構成例を示す図である。図２１に示すように、キャラクタ記憶メモリ２１７では、キャラクタの種別と記憶しているキャラクタの記憶順を示すデータとを対応付けて記憶する。このように、キャラクタ記憶メモリ２１７では、記憶していうるキャラクタの種別及びその記憶順を特定可能である。なお、この実施の形態では、それぞれのキャラクタを１個ずつまで記憶する構成である。キャラクタ記憶メモリ２１７において、対応する画像データを記憶するようにしてもよいし、その他記憶したキャラクタを特定可能なデータとして記憶するようにしてもよい。また、キャラクタ記憶表示エリア５Ａには、キャラクタ記憶メモリ２１７に記憶されているキャラクタを表示させるが、キャラクタをそのまま表示させてもよく、そのキャラクタを特定可能な画像を表示させるようにしてもよい。
【０１０７】
図１２に示す昇格演出決定用テーブルメモリ２１８は、画像表示装置５にて実行される昇格演出のパターンを決定するためのテーブルを記憶する。具体的には、図２２（Ａ）に示す昇格有り用昇格演出決定用テーブル（記憶数３）２４０と、図２２（Ｂ）に示す昇格無し用昇格演出決定用テーブル（記憶数３）２４１と、図２２（Ｃ）に示す昇格演出決定用テーブル（記憶数２）２４２とを含んでいる。
【０１０８】
図２２（Ａ）に示す昇格有り用昇格演出決定用テーブル２４０は、通常大当りから確変大当りに昇格させる場合に、昇格演出のパターンを決定するためのテーブルである。例えば、昇格有り用昇格演出決定用テーブル２４０は、ランダムＲ１６の値と昇格演出パターンとを対応付ける決定用データなどから構成されている。昇格有り用昇格演出決定用テーブル２４０は、キャラクタ記憶メモリ２１７に記憶されるキャラクタが３の時に使用される。
【０１０９】
図２２（Ｂ）に示す昇格無し用昇格演出決定用テーブル２４１は、通常大当りから確変大当りに昇格させない場合に、昇格演出のパターンを決定するためのテーブルである。例えば、昇格無し用昇格演出決定用テーブル２４１は、ランダムＲ１６の値と昇格演出パターンとを対応付ける決定用データなどから構成されている。昇格無し用昇格演出決定用テーブル２４１は、キャラクタ記憶メモリ２１７に記憶されるキャラクタが３の時に使用される。
【０１１０】
図２２（Ｃ）に示す昇格演出決定用テーブル２４２は、キャラクタ記憶メモリ２１７に記憶されるキャラクタが２のときに場合に、昇格演出のパターンを決定するためのテーブルである。例えば、昇格演出決定用テーブル２４２は、ランダムＲ１６の値と昇格演出パターンとを対応付ける決定用データなどから構成されている。この実施の形態では、キャラクタ記憶メモリ２１７に記憶されるキャラクタが２のときに場合は、キャラクタ記憶メモリ２１７に記憶されるキャラクタを使用した昇格演出パターンに決定されるようになっている。
【０１１１】
この実施の形態では、キャラクタＡ、Ｂ、Ｃを組み合わせた複数の昇格演出パターンが用意されている。図２２に示すように、通常大当りから確変大当りに昇格させる場合に、昇格させない場合よりキャラクタＡ及びＢを用いた昇格演出パターンに決定されやすい。また、キャラクタＡ、Ｂ及びＣを用いた昇格演出パターンは、通常大当りから確変大当りに昇格させる場合にのみ決定される。このように、昇格演出パターンにより、昇格するか否かの期待度が異なるため、昇格演出に遊技者の注意を惹きつけることができるので、遊技の興趣を向上させることができる。
【０１１２】
次に、本実施例におけるパチンコ遊技機１の動作（作用）を説明する。図２３は、主基板１１に搭載された遊技制御用マイクロコンピュータ１００が実行する遊技制御メイン処理を示すフローチャートである。主基板１１では、所定の電源基板からの電源電圧が供給されると、遊技制御用マイクロコンピュータ１００が起動し、ＣＰＵ１０３が、まず、図２３のフローチャートに示す遊技制御メイン処理を実行する。遊技制御メイン処理を開始すると、ＣＰＵ１０３は、割込禁止に設定した後（ステップＳ１）、必要な初期設定を行う（ステップＳ２）。この初期設定では、例えば、ＲＡＭ１０２がクリアされる。また、遊技制御用マイクロコンピュータ１００に内蔵されたＣＴＣ（カウンタ／タイマ回路）のレジスタ設定を行う。これにより、以後、所定時間（例えば、２ミリ秒）ごとにＣＴＣから割込要求信号がＣＰＵ１０３へ送出され、ＣＰＵ１０３は定期的にタイマ割込処理を実行することができる。初期設定が終了すると、割込を許可した後（ステップＳ３）、ループ処理に入る。
【０１１３】
図２３に示す遊技制御メイン処理を実行したＣＰＵ１０３は、ＣＴＣからの割込要求信号を受信して割込要求を受け付けると、図２４のフローチャートに示す遊技制御割込処理を実行する。
【０１１４】
遊技制御割込処理を開始すると、ＣＰＵ１０３は、まず、所定のスイッチ処理を実行することにより、スイッチ回路１０７を介して各入賞口スイッチ７０から入力される検出信号の状態を判定する（ステップＳ１１）。続いて、所定のエラー処理を実行することにより、パチンコ遊技機１の異常診断を行い、その診断結果に応じて必要ならば警告を発生可能とする（ステップＳ１２）。この後、所定の判定用乱数を更新する判定用乱数更新処理（ステップＳ１３）、所定の表示用乱数を更新する表示用乱数更新処理（ステップＳ１４）と、を順次実行する。
【０１１５】
次に、ＣＰＵ１０３は、特別図柄プロセス処理を実行する（ステップＳ１５）。特別図柄プロセス処理では、遊技状態に応じてパチンコ遊技機１を所定の順序で制御するために、フラグメモリ１１７に設けられた特別図柄プロセスフラグに従って該当する処理が選択されて実行される。特別図柄プロセス処理に続いて、ＣＰＵ１０３は、普通図柄プロセス処理を実行する（ステップＳ１６）。普通図柄プロセス処理では、普通図柄表示装置４０を所定の順序で制御するために、フラグメモリ１１７に設けられた普通図柄プロセスフラグに従って該当する処理が選択されて実行される。
【０１１６】
さらに、ＣＰＵ１０３は、所定のコマンド制御処理を実行することにより、主基板１１から演出制御基板１２等のサブ側の制御基板に対して制御コマンドを送出し、遊技状態に合わせた演出動作等の動作制御を指示する（ステップＳ１７）。例えば、ＣＰＵ１０３が所定のコマンド送信テーブルに設定された制御データに基づいてＩ／Ｏポート１０４からの信号出力動作を制御することなどにより、演出制御基板１２等のサブ側の制御基板に対して、遊技の進行を制御する制御信号を送信させる。このコマンド制御処理により主基板１１から送出された演出制御コマンドを演出制御基板１２のＣＰＵ２００が受け取り、その表示制御コマンドに従って画像表示装置５の表示制御などが行われる。
【０１１７】
また、ＣＰＵ１０３は、所定の情報出力処理を実行することにより、各種出力データの格納領域の内容をＩ／Ｏポート１０４に含まれる各出力ポートに出力する（ステップＳ１８）。この情報出力処理では、主基板１１から所定の情報端子基板に、大当り情報、始動情報、確率変動情報などをホール管理用コンピュータに対して出力する指令の送出も行われる。
【０１１８】
続いて、ＣＰＵ１０３は、所定のソレノイド出力処理を実行することにより、所定の条件が成立したときに普通可変入賞球装置６における可動翼片の可動制御や特別可変入賞球装置７における開閉板の開閉駆動を行う（ステップＳ１９）。この後、所定の賞球処理を実行することにより、各入賞口スイッチ７０から入力された検出信号に基づく賞球数の設定などを行い、払出制御基板に対して払出制御コマンドを出力可能とする（ステップＳ２０）。
【０１１９】
その後、ＣＰＵ１０３は、特別図柄表示装置４の各セグメントＬＥＤや各ドットＬＥＤの点灯／消灯動作を制御する特別図柄表示制御処理（ステップＳ２１）と、普通図柄表示装置４０のＬＥＤの点灯／消灯動作を制御する普通図柄表示制御処理（ステップＳ２２）と、を順次実行する。
【０１２０】
図２５は、ステップＳ１５にて実行される特別図柄プロセス処理を示すフローチャートである。特別図柄プロセス処理を開始すると、ＣＰＵ１０３は、まず、遊技球が普通可変入賞球装置６に入賞したか否かを、各入賞口スイッチ７０に含まれる始動球検出スイッチから入力される検出信号や、フラグメモリ１１７に設けられた入力状態フラグなどをチェックすることにより、判別する（ステップＳ１０１）。遊技球が入賞して始動球検出スイッチからの検出信号がオン状態となった場合（ステップＳ１０１；Ｙｅｓ）、入賞処理を実行する（ステップＳ１０２）。一方、遊技球が入賞していない場合（ステップＳ１０１；Ｎｏ）には、入賞処理をスキップする。
【０１２１】
図２６は、ステップＳ１０２の入賞処理を示すフローチャートである。この入賞処理において、ＣＰＵ１０３は、まず、特図保留メモリ１１０が記憶している始動入賞記憶数が最大値の「４」であるか否かを判別する（ステップＳ２０１）。
【０１２２】
始動入賞記憶数が「４」であるときには（ステップＳ２０１；Ｙｅｓ）、今回の入賞による始動検出は無効として、そのまま入賞処理が終了する。一方、始動入賞記憶数が４未満であるときには（ステップＳ２０１；Ｎｏ）、特図保留メモリ１１０の始動入賞記憶数を１加算し（ステップＳ２０２）、ランダムカウンタ１１１よりランダムＲ１の値を抽出し（ステップＳ２０３）、抽出したランダムＲ１の値を特図保留メモリ１１０の空エントリの先頭にセットする（ステップＳ２０４）。
【０１２３】
この後、ＣＰＵ１０３は、フラグメモリ１１７に格納されている特別図柄プロセスフラグの値に基づいて、図２５に示すステップＳ１１０〜Ｓ１１６の７個の処理のいずれかを選択する。以下に、ステップＳ１１０〜Ｓ１１６の各処理について説明する。
【０１２４】
ステップＳ１１０の特別図柄通常処理は、特別図柄プロセスフラグの値が初期値「０」のときに実行される処理である。この処理において、ＣＰＵ１０３は、図２７に示すように、まず、特図保留メモリ１１０が記憶している保留記憶数が「０」であるか否かを判別する（ステップＳ２１１）。ここで、特図保留メモリ１１０において、保留番号「１」に対応した大当り判定用乱数Ｒ１の値等の各種データが記憶されていない場合には、保留記憶数が「０」であると判別される。保留記憶数が「０」であれば（ステップＳ２１１；Ｙｅｓ）、特別図柄通常処理を終了する。
【０１２５】
一方、保留記憶数が「０」ではないと判別すると（ステップＳ２１１；Ｎｏ）、特図保留メモリ１１０から保留番号「１」に対応して格納されているランダムＲ１の値を読み出す（ステップＳ２１２）。この際、保留記憶数を「１」減算し、且つ、特図保留メモリ１１０の第２〜第４エントリ（保留番号「２」〜「４」）に格納されたランダムＲ１の値を１エントリずつ上位にシフトする（ステップＳ２１３）。
【０１２６】
その後、ＣＰＵ１０３は、ステップＳ２１２の処理にて読み出したランダムＲ１の値に基づき、特別図柄表示装置４にて実行される特図ゲームにおける表示結果として、大当り図柄（例えば図柄番号が奇数の特別図柄）を停止表示するか、ハズレ図柄（例えば図柄番号が偶数の特別図柄）を停止表示するかを判定する特別図柄判定処理を実行する（ステップＳ２１４）。この特別図柄判定処理を実行した後、ＣＰＵ１０３は、特別図柄プロセスフラグの値を可変表示パターン設定処理に対応した値である「１」に更新する（ステップＳ２１５）。
【０１２７】
図２８及び図２９は、図２７に示すステップＳ２１４にて実行される特別図柄判定処理を示すフローチャートである。この特別図柄判定処理において、ＣＰＵ１０３は、図２８に示すように、まず、フラグメモリ１１７に設けられている確変中フラグをチェックして高確率状態（確変中）であるか否かを判別し（ステップＳ３０１）、確変中ではなければ（ステップＳ３０１；Ｎｏ）、通常遊技状態であると判断し、特図ゲームの表示結果を大当りとするか否かを判定するためのテーブルとして、図６（Ａ）に示すような通常時大当り判定用テーブル１２０を設定する（ステップＳ３０２）。これに対して、確変中であれば（ステップＳ３０１；Ｙｅｓ）、図６（Ｂ）に示すような確変時大当り判定用テーブル１２１を設定する（ステップＳ３０３）。
【０１２８】
続いて、ＣＰＵ１０３は、ステップＳ２１２の処理にて読み出したランダムＲ１の値に基づき、ステップＳ３０２又はＳ３０３の処理にて設定した大当り判定用テーブル１２０又は１２１を用いて特図ゲームの表示結果を大当りとするか否かを判定する大当り判定処理を実行する（ステップＳ３０４）。そして、ハズレとすることに決定した場合には（ステップＳ３０５；Ｎｏ）、フラグメモリ１１７に設けられた大当りフラグをクリアしてオフ状態とした後（ステップＳ３０６）、ステップＳ３１２の処理へと進む。
【０１２９】
これに対して、大当りとすることに決定した場合には（ステップＳ３０５；Ｙｅｓ）、フラグメモリ１１７に設けられた大当りフラグをオン状態にセットする（ステップＳ３０７）。続いて、ＣＰＵ１０３は、ランダムカウンタ１１１よりランダムＲ２の値を抽出し（ステップＳ３０８）、抽出したランダムＲ２の値が奇数であるか偶数であるかにより、確変大当りとするか通常大当りとするかを判定する確変判定処理を実行する（ステップＳ３０９）。
【０１３０】
抽出したランダムＲ２の値が奇数である場合には、確変大当りとするものと判定して（ステップＳ３１０；Ｙｅｓ）、フラグメモリ１１７に設けられた確変確定フラグをオン状態にセットする（ステップＳ３１１）。一方、偶数である場合には、通常大当りにするものと判定して（ステップＳ３１０；Ｎｏ）、ステップＳ３１１の処理をスキップする。
【０１３１】
続いて、ＣＰＵ１０３は、フラグメモリ１１７に設けられた大当りフラグがオンとなっているか否かを判定する（ステップＳ３１２)。この判定の結果、大当りフラグがオフの場合には（ステップＳ３１２；Ｎｏ）、特別図柄表示装置４による特図ゲームの確定図柄を決定するためのテーブルとして、図７（Ａ）に示すハズレ時確定図柄決定用テーブル１３０を設定する（ステップＳ３１３）。これに対して、大当りフラグがオンであれば（ステップＳ３１２；Ｙｅｓ）、図７（Ｂ）に示すような大当り時確定図柄決定用テーブル１３１を設定する（ステップＳ３１４）。
【０１３２】
続いて、ＣＰＵ１０３は、ランダムカウンタ１１１よりランダムＲ３の値を抽出し（ステップＳ３１５）、抽出したランダムＲ３の値に基づき、ステップＳ３１３又はＳ３１４の処理にて設定したハズレ時確定特別図柄決定用テーブル１３０又は大当り時確定特別図柄決定用テーブル１３１を用いて、今回の特図ゲームにおける確定図柄を決定する確定図柄決定処理を実行する（ステップＳ３１６）。
【０１３３】
そして、ＣＰＵ１０３は、フラグメモリ１１７に設けられた大当りフラグがオンとなっているか否かを再度判定し（図２９のステップＳ３１７）、オフである場合には（ステップＳ３１７；Ｎｏ）、ハズレの表示結果に対応する制御データを、所定のコマンド送信テーブルに設定するなどして、表示結果コマンド９０００（ｈ）を演出制御基板１２に対して送出可能に設定する（ステップＳ３１８）。
【０１３４】
これに対して、大当りフラグがオンである場合には（ステップＳ３１７；Ｙｅｓ）、さらに確変確定フラグがオンとなっているか否かを判定する（ステップＳ３１９）。この判定の結果、確変確定フラグがオフの場合には（ステップＳ３１９；Ｎｏ）、フラグメモリ１１７に設けられた大当り終了後再抽選演出表示フラグをオン状態にセットすると共に（ステップＳ３２０）、通常大当りの表示結果に対応する制御データを、所定のコマンド送信テーブルに設定するなどして、表示結果コマンド９００１（ｈ）を演出制御基板１２に対して送出可能に設定する（ステップＳ３２１）。
【０１３５】
また、確変確定フラグがオンの場合には（ステップＳ３１９；Ｙｅｓ）、ランダムカウンタ１１１よりランダムＲ６の値を抽出し（ステップＳ３２２）、抽出したランダムＲ６の値に基づき、図１０に示す大当り終了後再抽選演出表示実行決定用テーブル１６０を用いて、大当り終了後再抽選演出表示を実行するか否かを決定する大当り終了後再抽選演出表示実行決定処理を実行する（ステップＳ３２３）。
【０１３６】
ステップＳ３２３の大当り終了後再抽選演出表示実行決定処理にて大当り終了後再抽選演出表示を実行しない旨の決定がなされた場合には（ステップＳ３２４；Ｎｏ）、大当り終了後再抽選演出表示の実行指令を含まない確変大当りの表示結果に対応する制御データを、所定のコマンド送信テーブルに設定するなどして、表示結果コマンド９００２（ｈ）を演出制御基板１２に対して送出可能に設定する（ステップＳ３２５）。
【０１３７】
一方、ステップＳ３２３の大当り終了後再抽選演出表示実行決定処理にて大当り終了後再抽選演出表示を実行する旨の決定がなされたときには（ステップＳ３２４；Ｙｅｓ）、フラグメモリ１１７に設けられた大当り終了後再抽選演出表示フラグをオン状態にセットすると共に（ステップＳ３２６）、大当り終了後再抽選演出表示の実行指令を含む確変大当りの表示結果に対応する制御データを、所定のコマンド送信テーブルに設定するなどして、表示結果コマンド９００３（ｈ）を演出制御基板１２に対して送出可能に設定する（ステップＳ３２７）。
【０１３８】
図２５に示すステップＳ１１１の可変表示パターン設定処理は、特別図柄プロセスフラグの値が「１」のときに実行される処理である。この処理において、ＣＰＵ１０３は、図３０に示すように、まず、フラグメモリ１１７に設けられた大当りフラグがオンとなっているか否かを判別する（ステップＳ２２１）。大当りフラグがオフであるときには（ステップＳ２２１；Ｎｏ）、ランダムカウンタよりランダムＲ４の値を抽出し（ステップＳ２２２）、抽出したランダムＲ４の値に基づいて、リーチとするか否かを判定するリーチ判定処理を実行する（ステップＳ２２３）。
【０１３９】
リーチとしない場合には（ステップＳ２２４；Ｎｏ）、今回の特図ゲーム及び飾り図柄の可変表示で使用する可変表示パターンとして、図８に示す可変表示パターンテーブル１４０に格納された通常ハズレの可変表示パターン＃１を選択決定する（ステップＳ２２５）。これに対して、リーチとする場合には（ステップＳ２２４；Ｙｅｓ）、可変表示パターンを選択するためのテーブルとして、図９（Ａ）に示すリーチ時可変表示パターン決定用テーブル１５０を設定する（ステップＳ２２６）。
【０１４０】
また、ステップＳ２２１の処理にて大当りフラグがオンであると判別したときには（ステップＳ２２１；Ｙｅｓ）、可変表示パターンを選択するためのテーブルとして、図９（Ｂ）に示す大当り時可変表示パターン決定用テーブル１５１を設定する（ステップＳ２２７）。
【０１４１】
ＣＰＵ１０３は、ランダムカウンタ１１１よりランダムＲ５の値を抽出し（ステップＳ２２８）、抽出したランダムＲ５の値に基づいて、ステップＳ２２６又はＳ２２７の処理にて設定した可変表示パターン決定用テーブルのうちから、今回の特図ゲーム及び飾り図柄の可変表示で使用する可変表示パターンを選択決定する（ステップＳ２２９）。
【０１４２】
ステップＳ２２５又はＳ２２９の処理にて可変表示パターンを選択決定した後、この選択決定された可変表示パターンに対応する制御データを、所定のコマンド送信テーブルにセットするなどして、可変表示開始コマンド８０ＸＸ（ｈ）を演出制御基板１２に対して送信可能に設定する（ステップＳ２３０）。
【０１４３】
この後、今回の特図ゲームで用いられる可変表示パターンにおける特別図柄の可変表示時間に対応したタイマ初期値が、各種タイマ１１８に設けられた可変表示時間タイマに設定される（ステップＳ２３１）。また、このときには、特別図柄表示装置４において特別図柄の可変表示を開始させるための設定なども行われる。その後、ＣＰＵ１０３は、特別図柄プロセスフラグの値を可変表示制御処理に対応した値である「２」に更新して、可変表示パターン設定処理を終了する（ステップＳ２３２）。
【０１４４】
図２５に示すステップＳ１１２の特別図柄可変表示処理は、特別図柄プロセスフラグの値が「２」のときに実行される処理である。この処理において、ＣＰＵ１０３は、各種タイマ１１８に設けられた可変表示時間タイマにより経過時間を計測し、経過時間が可変表示パターンに対応する特別図柄の可変表示時間に達したか否かを判定する。この後、可変表示時間タイマがタイムアウトすることにより可変表示パターンに対応した特別図柄の総可変表示時間に達した旨の判定がなされると、特別図柄プロセスフラグの値を特別図柄停止処理に対応した値である「３」に更新する。
【０１４５】
ステップＳ１１３の特別図柄停止処理は、特別図柄プロセスフラグの値が「３」のときに実行される処理である。この処理において、ＣＰＵ１０３は、フラグメモリ１１７に設けられている大当りフラグをチェックして、可変表示結果が大当りであるかハズレであるかを判定し、大当りであるときには、大当り開始コマンドＡ０００（ｈ）を主基板１１から演出制御基板１２に対して送出するための設定を行う。具体的には、所定の制御データを所定のコマンド送信テーブルに設定するなどして、大当り開始コマンドＡ０００（ｈ）を演出制御基板１２に対して送出可能に設定する。また、パチンコ遊技機１が高確率状態となっているときには、高確率状態から通常遊技状態に戻すか否かを判定し、戻すと判定すると、パチンコ遊技機１における遊技状態を高確率状態から通常遊技状態に移行させる。具体的には、高確率状態にて実行された特図ゲームの回数を、ＲＡＭ１０２等に設けられた所定の確変カウンタを用いるなどしてカウントし、高確率状態にて実行された特図ゲームの回数が例えば１００回に達すると、高確率状態から通常遊技状態に戻すと判定し、フラグメモリ１１７に設けられた確変中フラグをクリアしてオフ状態にするなどして、パチンコ遊技機１における遊技状態を高確率状態から通常遊技状態に移行させる。そして、可変表示結果が大当りになるときは、特別図柄プロセスフラグの値を大入賞口開放前処理に対応した値である「４」に更新し、ハズレとなるときには、特別図柄プロセスフラグの値を「０」に更新する。
【０１４６】
ステップＳ１１４の大入賞口開放前処理は、特別図柄プロセスフラグの値が「４」のときに実行される処理である。この処理において、ＣＰＵ１０３は、大入賞口としての特別可変入賞球装置７を開放する制御を開始するための設定を行う。そして、特別可変入賞球装置７を開放する制御を開始するとともに、特別図柄プロセスフラグの値を大入賞口開放中処理に対応した値である「５」に更新する。
【０１４７】
ステップＳ１１５の大入賞口開放中処理は、特別図柄プロセスフラグの値が「５」のときに実行される処理である。この処理において、ＣＰＵ１０３は、開成された特別可変入賞球装置７への遊技球の入賞検出、開成時間の計測、及びラウンド数表示のための表示制御コマンド設定等を行う。そして、例えば、１回の大当りについて、特別可変入賞球装置７の開成回数をカウントし、開成回数が例えば１５回に達していれば、特定遊技状態（大当り遊技状態）を終了する条件が成立したとして特別図柄プロセスフラグの値を大当り終了処理に対応した値である「６」に更新する。一方、開成回数が１５回に達していなければ、特別可変入賞球装置７を一旦閉成した後、所定時間が経過するのを待って再度開成する。
【０１４８】
ステップＳ１１６の大当り終了処理は、特別図柄プロセスフラグの値が「６」のときに実行される処理である。この処理において、ＣＰＵ１０３は、図３１に示すように、まず、フラグメモリ１１７に設けられた大当り終了演出表示中フラグがオンとなっているか否かを判定する（ステップＳ２４１）。大当り終了演出表示中フラグがオフのときには（ステップＳ２４１；Ｎｏ）、続いて大当り終了後再抽選演出表示フラグがオンとなっている否かを判定する（ステップＳ２４２）。
【０１４９】
大当り終了後再抽選演出表示フラグがオフであれば（ステップＳ２４２；Ｎｏ）、大当り終了後再抽選演出表示が行われない確変大当りの終了時に対応する制御データを、所定のコマンド送信テーブルに設定するなどして、大当り終了コマンドＢ０００（ｈ）を演出制御基板１２に対して送出可能に設定する（ステップＳ２４３）。
【０１５０】
続いて、ＣＰＵ１０３は、フラグメモリ１１７に設けられた確変確定フラグをクリアしてオフ状態にすると共に、確変中フラグをオン状態にセットする（ステップＳ２４４）。その後、大当り終了後再抽選演出表示の実行を伴わない確変大当りの終了時の大当り終了演出表示の実行時間（例えば４秒）に対応するタイマ初期値が、各種タイマ１１８に設けられた大当り終了演出表示時間タイマに設定される（ステップＳ２４５）。
【０１５１】
これに対し、大当り終了後再抽選演出表示フラグがオンのときには（ステップＳ２４２；Ｙｅｓ）、ＣＰＵ１０３は、大当り終了後再抽選演出表示フラグをクリアしてオフ状態とした後（図３２のステップＳ２４６）、フラグメモリ１１７に設けられた確変確定フラグがオンであるか否かを判別する（ステップＳ２４７）。
【０１５２】
確変確定フラグがオフであれば（ステップＳ２４７；Ｎｏ）、大当り終了後再抽選演出表示により高確率状態に昇格しないときに対応する制御データを、所定のコマンド送信テーブルに設定するなどして、大当り終了コマンドＢ００１（ｈ）を演出制御基板１２に対して送出可能に設定する（ステップＳ２４８）。その後、ＣＰＵ１０３は、確変中フラグをクリアしてオフ状態にする（ステップＳ２４９）。すなわち、通常大当りに基づく大当り遊技状態が終了するときには、確率向上状態が終了して通常遊技状態へと戻る。
【０１５３】
一方、確変確定フラグがオンであれば（ステップＳ２４７；Ｙｅｓ）、大当り終了後再抽選演出表示により高確率状態に昇格するときに対応する制御データを、所定のコマンド送信テーブルに設定するなどして、大当り終了コマンドＢ００２（ｈ）を演出制御基板１２に対して送出可能に設定する（ステップＳ２５０）。その後、ＣＰＵ１０３は、確変確定フラグをクリアしてオフ状態にすると共に、確変中フラグをオン状態にセットする（ステップＳ２５１）。
【０１５４】
ステップＳ２４９又はＳ２５１の処理の後、大当り終了後再抽選演出表示の実行を伴うときの大当り終了演出表示の実行時間（例えば１２秒）に対応するタイマ初期値が、各種タイマ１１８に設けられた大当り終了演出表示時間タイマに設定される（ステップＳ２５２）。
【０１５５】
そして、ステップＳ２４５又はＳ２５２の処理にて大当り終了演出表示時間タイマの設定が行われた後には、フラグメモリ１１７に設けられた大当り終了演出表示中フラグがオン状態にセットされる（図３１のステップＳ２５３）。
【０１５６】
また、ステップＳ２４１の処理にて大当り終了演出表示中フラグがオンであると判定されたときには（ステップＳ２４１；Ｙｅｓ）、各種タイマ１１８に設けられている大当り終了演出表示時間タイマにおけるタイマ値を１減算してタイマ値の更新を行う（ステップＳ２５４）。そして、更新された大当り終了演出表示時間タイマのタイマ値が「０」となっているか否かを判定する（ステップＳ２５５）。
【０１５７】
ここで、タイマ値が「０」となっていれば（ステップＳ２５５；Ｙｅｓ）、大当り終了演出表示時間タイマがタイムアウトしたとして、フラグメモリ１１７に設けられている大当り終了演出表示中フラグをクリアしてオフ状態にした後（ステップＳ２５６）、特別図柄プロセスフラグの値を初期値である「０」に更新して、大当り終了処理を終了する（ステップＳ２５７）。一方、タイマ値が「０」となっていないときには（ステップＳ２５５；Ｎｏ）、大当り終了演出表示時間タイマが未だタイムアウトしていないものとして、特別図柄プロセスフラグを更新することなく大当り終了処理を終了する。
【０１５８】
次に、演出制御基板１２における動作を説明する。図３３は、演出制御基板１２に搭載された演出制御用のＣＰＵ２００が実行する演出制御メイン処理を示すフローチャートである。演出制御メイン処理を開始すると、図３３に示すように、まず、所定の初期化処理を実行することにより、ＲＡＭ２０２のクリアや各種初期値の設定、また演出制御基板１２に搭載された図示しないＣＴＣ（カウンタ／タイマ回路）のレジスタ設定等を行う
（ステップＳ３１）。
【０１５９】
その後、ＣＰＵ２００は、所定のタイマ割込フラグを監視し、タイマ割込フラグがセットされるまでループ処理を実行する（ステップＳ３２；Ｎｏ）。この実施の形態では、ＣＰＵ２００にて３３ミリ秒ごとにタイマ割込みが発生し、このタイマ割込みが発生すると、所定のタイマ割込処理を実行することにより、タイマ割込フラグがセットされる。
【０１６０】
ＣＰＵ２００では、３３ミリ秒ごとに発生するタイマ割込みとは別に、主基板１１からの演出制御コマンドを受信するための割込みが発生する。この割込みは、主基板１１からの演出制御ＩＮＴ信号がオン状態となることにより発生する割込みである。演出制御ＩＮＴ信号がオン状態となることによる割込みが発生すると、ＣＰＵ２００は、自動的に割込禁止状態に設定するが、自動的に割込禁止状態にならないＣＰＵを用いている場合には、割込禁止命令（ＤＩ命令）を発行することが好ましい。
【０１６１】
主基板１１からの演出制御ＩＮＴ信号がオン状態となることによりＣＰＵ２００において割込みが発生することで、図３４のフローチャートに示すコマンド受信割込処理の実行が開始される。このコマンド受信割込処理において、ＣＰＵ２００は、まず、各レジスタの値をスタックに退避する（ステップＳ４１）。続いて、演出制御コマンドデータの入力に割り当てられて主基板１１から送信された制御信号を受信する所定の入力ポートなどから、演出制御コマンドを読み込む（ステップＳ４２）。そして、２バイト構成の演出制御コマンドのうちの１バイト目であるか否かを判別する（ステップＳ４３）。ここで、演出制御コマンドの１バイト目（ＭＯＤＥ）と２バイト目（ＥＸＴ）とは、受信側で直ちに区別可能に構成されている。すなわち、先頭ビットによって、ＭＯＤＥとしてのデータを受信したのかＥＸＴとしてのデータを受信したのかを、受信側において直ちに検出できる。受信したコマンドの先頭ビットが「１」である場合には、２バイト構成である演出制御コマンドのうちの有効な１バイト目（ＭＯＤＥデータ）を受信したと判別される。
【０１６２】
ステップＳ４３の処理にて１バイト目のＭＯＤＥデータであると判別したときには（ステップＳ４３；Ｙｅｓ）、受信コマンドバッファメモリ２１０にて、コマンド受信個数カウンタにより指定される受信コマンドバッファに、受信したコマンドを格納する（ステップＳ４４）。ステップＳ４４の処理を実行した後には、ステップＳ５０の処理へと進む。一方、演出制御コマンドの１バイト目でなければ（ステップＳ４３；Ｎｏ）、１バイト目のＭＯＤＥデータを既に受信したか否かを判別する（ステップＳ４５）。１バイト目のＭＯＤＥデータを既に受信したか否かは、受信コマンドバッファに格納されているコマンドデータを確認することにより、判別することができる。
【０１６３】
１バイト目を既に受信している場合には（ステップＳ４５；Ｙｅｓ）、今回受信した１バイトのうちの先頭ビットが「０」であるか否かを判別し、先頭ビットが「０」であれば、有効な２バイト目を受信したとして、コマンド受信個数カウンタにより指定される次の受信コマンドバッファに、受信したコマンドを格納する（ステップＳ４６）。なお、ステップＳ４５の処理にて演出制御コマンドの１バイト目を受信していないと判別した場合や（ステップＳ４５；Ｎｏ）、２バイト目として受信したデータのうちの先頭ビットが「０」でない場合には、ステップＳ５０の処理へと進む。
【０１６４】
ステップＳ４６の処理にて２バイト目のコマンドデータを格納すると、コマンド受信個数カウンタの値を２加算し（ステップＳ４７）、その値が「１２」以上であるか否かを判別する（ステップＳ４８）。「１２」以上であれば（ステップＳ４８；Ｙｅｓ）、コマンド受信個数カウンタをクリアして、その値を「０」に戻す（ステップＳ４９）。一方、「１２」未満のときには（ステップＳ４８；Ｎｏ）、ステップＳ４９の処理をスキップする。その後、ステップＳ４１の処理にて退避されていたレジスタを復帰し（ステップＳ５０）、割込許可に設定する（ステップＳ５１）。
【０１６５】
こうしたコマンド受信割込処理により、主基板１１から送信された演出制御コマンドが受信コマンドバッファメモリ２１０に設けられた受信コマンドバッファに格納される一方で、図３３に示すステップＳ３２の処理にてタイマ割込みの発生が確認される。タイマ割込みの発生が確認されたときには（ステップＳ３２；Ｙｅｓ）、フラグメモリ２１４に設けられたタイマ割込フラグをクリアしてオフ状態とした後に、所定のコマンド解析処理を実行する（ステップＳ３３）。
【０１６６】
コマンド解析処理が終了すると、ＣＰＵ２００は、所定のランダムカウンタがカウントするランダムの値を更新するためのカウンタ更新処理（ステップＳ３４）などを実行した後、演出制御プロセス処理を実行する（ステップＳ３５）。
【０１６７】
図３５は、図３３に示すステップＳ３３のコマンド解析処理を示すフローチャートである。このコマンド解析処理において、ＣＰＵ２００は、図３５に示すように、まず、受信コマンドバッファメモリ２１０に設けられたコマンド受信テーブルに、主基板１１から受信した演出制御コマンドが格納されているか否かを確認する（ステップＳ４０１）。
【０１６８】
コマンド受信テーブルに受信コマンドが格納されている場合（ステップＳ４０１；Ｙｅｓ）、ＣＰＵ２００は、コマンド受信テーブルから受信コマンドを読み出し（ステップＳ４０２）、この読み出した受信コマンドが可変表示開始コマンド８０ＸＸ（ｈ）であれば（ステップＳ４０３；Ｙｅｓ）、そのコマンドのＥＸＴデータをＲＡＭ２０２に確保された可変表示パターン格納エリアに格納してセーブするとともに（ステップＳ４０４）、フラグメモリ２１４に設けられた可変表示開始フラグをオン状態にセットし（ステップＳ４０５）、ステップＳ４０１の処理へとリターンする。
【０１６９】
これに対して、ステップＳ４０２の処理にて読み出した受信コマンドが可変表示開始コマンド８０ＸＸ（ｈ）ではないときには（ステップＳ４０３；Ｎｏ）、そのコマンドが表示結果コマンド９０ＸＸ（ｈ）であるか否かを判別する（ステップＳ４０６）。
【０１７０】
ステップＳ４０２の処理にて読み出した受信コマンドが表示結果コマンド９０ＸＸ（ｈ）であれば（ステップＳ４０６；Ｙｅｓ）、そのコマンドのＥＸＴデータをＲＡＭ２０２に確保された表示結果格納エリアに格納してセーブするとともに（ステップＳ４０７）、フラグメモリ２１４に設けられた有効フラグをオン状態にセットし（ステップＳ４０８）、ステップＳ４０１の処理へとリターンする。
【０１７１】
これに対して、ステップＳ４０２の処理にて読み出した受信コマンドが表示結果コマンド９０ＸＸ（ｈ）ではないときには（ステップＳ４０６；Ｎｏ）、そのコマンドが大当り開始コマンドＡ０００（ｈ）であるか否かを判別する（ステップＳ４０９）。
【０１７２】
ステップＳ４０２の処理にて読み出した受信コマンドが大当り開始コマンドＡ０００（ｈ）であれば（ステップＳ４０９；Ｙｅｓ）、フラグメモリ２１４に設けられた大当り開始フラグをオン状態にセットし（ステップＳ４１０）、ステップＳ４０１の処理へとリターンする。
【０１７３】
これに対して、ステップＳ４０２の処理にて読み出した受信コマンドが大当り開始コマンドＡ０００（ｈ）ではないときには（ステップＳ４０９；Ｎｏ）、そのコマンドがそのコマンドが大当り終了コマンドＢ０ＸＸ（ｈ）であるか否かを判別する（ステップＳ４１１）。
【０１７４】
ステップＳ４０２の処理にて読み出した受信コマンドが大当り終了コマンドＢ０ＸＸ（ｈ）であれば（ステップＳ４１１；Ｙｅｓ）、そのコマンドのＥＸＴデータをＲＡＭ２０２に確保された大当り終了演出表示内容格納エリアに格納してセーブするとともに（ステップＳ４１２）、フラグメモリ２１４に設けられた大当り終了フラグをオン状態にセットする（ステップＳ４１３）。
【０１７５】
これに対して、ステップＳ４０２の処理にて読み出した受信コマンドがその他の演出制御コマンドである場合には（ステップＳ４１１；Ｎｏ）、受信コマンドに対応するコマンド受信フラグをセットし（ステップＳ４１４）、ステップＳ４０１の処理へとリターンする。
【０１７６】
一方、ステップＳ４０１の処理にてコマンド受信テーブルに受信コマンドが格納されていないと判別した場合には（ステップＳ４０１；Ｎｏ）、そのままコマンド解析処理を終了する。
【０１７７】
図３６は、ステップＳ３５の演出制御プロセス処理を示すフローチャートである。この演出制御プロセス処理において、ＣＰＵ２００は、フラグメモリ２１４に設けられている演出制御プロセスフラグの値に基づいて、図３６に示すステップＳ４２０〜Ｓ４２６の６個の処理のいずれかを選択する。以下に、ステップＳ４２０〜Ｓ４２６の各処理について説明する。
【０１７８】
ステップＳ４２０の可変表示開始コマンド受信待ち処理は、演出制御プロセスフラグの値が「０」のときに実行される処理である。この処理において、ＣＰＵ２００は、フラグメモリ２１４に設けられた可変表示開始フラグがオンとなっているか否かを判別する。上述したコマンド解析処理において、可変表示開始コマンドが受信コマンドバッファから読み出されたときには、可変表示開始フラグがオン状態にセットされている。可変表示開始フラグがオン状態であれば、可変表示開始フラグをクリアしてオフ状態とし、演出制御プロセスフラグの値を予告選択処理に対応した値である「１」に更新する。一方、可変表示開始フラグがオフのときには、そのまま可変表示開始コマンド受信待ち処理を終了する。
【０１７９】
ステップＳ４２１の予告選択処理は、演出制御プロセスフラグの値が「１」のときに実行される処理である。図３７は、図３６のステップＳ４２１にて実行される予告選択処理の一例を示すフローチャートである。図３７に示す予告選択処理を開始すると、ＣＰＵ２００は、まず、ランダムカウンタ２１１よりランダムＲ１４の値を抽出し（ステップＳ６０１）、抽出したランダムＲ１４の値に基づき、図１９に示す予告決定用テーブル２３６を用いて予告演出を実行するか否かを決定する（ステップＳ６０２）。
【０１８０】
そして、ステップＳ６０２にて予告演出を実行すると決定したか否かを判定する（ステップＳ６０３）。予告演出を実行すると判定した場合（ステップＳ６０３；Ｙｅｓ）、ＣＰＵ２００は、フラグメモリ２１４に設けられた予告フラグをオン状態にセットする（ステップＳ６０４）。ステップＳ４２３の飾り図柄可変表示処理において、この予告フラグをチェックすることにより、予告演出の実行の有無が判定される。
【０１８１】
続いて、ランダムカウンタ２１１よりランダムＲ１４の値を抽出し（ステップＳ６０５）、抽出したランダムＲ１５の値と、キャラクタ記憶メモリ２１７に記憶されているキャラクタの種別に基づき、図２０に示すキャラクタ決定用テーブル２３７〜２３９を用いて予告演出で用いるキャラクタの種別を決定する（ステップＳ６０６）。ここで決定されたキャラクタを用いた予告演出がステップＳ４２３の飾り図柄可変表示処理において実行される。
【０１８２】
ステップＳ６０６の処理を終えると、ＣＰＵ２００は、例えばＲＡＭ２０２の可変表示パターン格納エリアに格納された可変表示開始コマンドのＥＸＴデータを読み取るなどして、可変表示パターンを特定する（ステップＳ６０７）。そして、ステップＳ６０６の処理にて特定した可変表示パターンが大当り時可変表示パターンであるか否かを判定する（ステップＳ６０８）。ステップＳ６０７の処理にて特定した可変表示パターンが大当り時可変表示パターンでないときには（ステップＳ６０８；Ｎｏ）、ステップＳ６０６にて決定されたキャラクタの種別をキャラクタ記憶メモリ２１７に記憶する（ステップＳ６０９）。この際に、キャラクタ記憶メモリ２１７には、記憶した順番を特定可能に記憶される。なお、この実施の形態では、記憶するキャラクタの総数は３までである。従って、キャラクタの記憶数が３である場合（即ち、全ての種別のキャラクタが記憶されている場合）、この処理はスキップされる。また、ステップＳ６０９において、記憶されたキャラクタを、予告演出終了後に画像表示装置５のキャラクタ記憶表示エリア５Ａに表示させるための設定も行われる。これにより、遊技者が記憶されている（ストックされている）キャラクタを確認することができるようになる。なお、可変表示パターンが大当り時可変表示パターンであると判定した場合（ステップＳ６０８；Ｙｅｓ）、にもこの処理はスキップされるが、ステップＳ６０６にて決定された予告演出自体は実行される（ステップＳ４２３）。
【０１８３】
ステップＳ６０９の処理を終えると、またはステップＳ６０３で予告演出を実行しないと判定した場合（ステップＳ６０３；Ｎｏ）、ステップＳ６０８で可変表示パターンが大当り時可変表示パターンであると判定した場合（ステップＳ６０８；Ｙｅｓ）、ＣＰＵ２００は、演出制御プロセスフラグの値を演出制御設定処理に対応した値である「２」に更新して（ステップＳ５２７）、予告選択処理を終了する。なお、予告選択処理では、ステップＳ６０１、Ｓ６０２にて予告を実行するか否かを決定し、予告を実行する場合ステップＳ６０５、Ｓ６０６の処理で予告の種別を決定していた。これに限定されず、予告を実行するか否か及び予告の種別を１段階で決定するようにしてもよい。即ち、予告の実行の有無、及び実行する場合の予告の種別に判定値が振られた予告決定用テーブルを用意し、抽出したランダムＲ１４の値に基づき、予告を実行するか否か及び予告の種別を決定するようにすればよい。また、上記ステップＳ６０６では、１種類のキャラクタを用いた予告演出を決定するようにしていたが、複数種類のキャラクタを用いた予告演出を決定できるようにしてもよい。この場合、ステップＳ６０９の処理では、複数のキャラクタの種別がキャラクタ記憶メモリ２１７に記憶されることとなる。
【０１８４】
ステップＳ４２２の演出制御設定処理は、演出制御プロセスフラグの値が「２」のときに実行される処理である。図３８及び図３９は、図３６のステップＳ４２２にて実行される演出制御設定処理の一例を示すフローチャートである。図３８及び図３９に示す演出制御設定処理を開始すると、ＣＰＵ２００は、まず、例えばＲＡＭ２０２の可変表示パターン格納エリアに格納された可変表示開始コマンドのＥＸＴデータを読み取るなどして、可変表示パターンを特定する（ステップＳ５０１）。
【０１８５】
そして、ステップＳ５０１の処理にて特定した可変表示パターンが大当り時可変表示パターンであるか否かを判定する（ステップＳ５０２）。ステップＳ５０１の処理にて特定した可変表示パターンが大当り時可変表示パターンでないときには（ステップＳ５０２；Ｎｏ）、さらにこの可変表示パターンがリーチ時可変表示パターンであるか否かを判定する（ステップＳ５０３）。
【０１８６】
ステップＳ５０１の処理にて特定した可変表示パターンがリーチ時可変表示パターンでなければ（ステップＳ５０３；Ｎｏ）、ＣＰＵ２００は、通常時可変表示パターンであると判断して、ランダムカウンタ２１１よりランダムＲ１０の値を抽出し（ステップＳ５０４）、抽出したランダムＲ１０の値に基づき、図１８（Ａ）に示す左確定飾り図柄決定用テーブル２３３を用いて左確定図柄を決定する（ステップＳ５０５）。
【０１８７】
また、ＣＰＵ２００は、ランダムカウンタ２１１よりランダムＲ１１の値を抽出し（ステップＳ５０６）、抽出したランダムＲ１１の値に基づき、図１８（Ｂ）に示す中確定飾り図柄決定用テーブル２３４を用いて中確定図柄を決定する（ステップＳ５０７）。さらに、ＣＰＵ２００は、ランダムカウンタ２１１よりランダムＲ１２の値を抽出し（ステップＳ５０８）、抽出したランダムＲ１２の値に基づき、図１８（Ｃ）に示す右確定飾り図柄決定用テーブル２３５を用いて右確定図柄を決定する（ステップＳ５０９）。この後、ＣＰＵ２００は、ステップＳ５２４の処理へと進む。
【０１８８】
一方、ステップＳ５０１の処理にて特定した可変表示パターンがリーチ時可変表示パターンであれば（ステップＳ５０３；Ｙｅｓ）、ＣＰＵ２００は、ランダムカウンタ２１１よりランダムＲ１０の値を抽出し（ステップＳ５１０）、抽出したランダムＲ１０の値に基づき、図１８（Ａ）に示す左確定飾り図柄決定用テーブル２３３を用いて左確定図柄を決定する（ステップＳ５１１）。また、左確定図柄と同一の図柄番号である飾り図柄を右確定図柄とすることを決定すると共に（ステップＳ５１２）、左・右確定図柄とは異なる図柄番号の飾り図柄を中確定図柄とすることを決定する（ステップＳ５１３）。具体的には、ＣＰＵ２００は、まず、ランダムカウンタ２１１よりランダムＲ１１の値を抽出し、抽出したランダムＲ１１の値に基づき、図１８（Ｂ）に示す中確定飾り図柄決定用テーブル２３４を用いて加算値を決定する。そして、決定した加算値が「０」以外の値であれば、決定した加算値を、ステップＳ５１２の処理にて決定した左確定図柄の図柄番号に加算することで、中確定図柄を決定する。一方、決定した加算値が「０」である場合には、任意の値（例えば「１」）を、ステップＳ５１２の処理にて決定した左確定図柄の図柄番号に加算することで、中確定図柄を決定する。この後、ＣＰＵ２００は、ステップＳ５２４の処理へと進む。
【０１８９】
また、ステップＳ５０１の処理にて特定した可変表示パターンが大当り時可変表示パターンであるときには（ステップＳ５０２；Ｙｅｓ）、さらにこの大当り時可変表示パターンが大当り開始前再抽選演出表示の実行を伴うものであるか否かを判定する（図３９のステップＳ５１４）。
【０１９０】
大当り開始前再抽選演出表示の実行を伴うものであれば（ステップＳ５１４；Ｙｅｓ）、ＣＰＵ２００は、ランダムカウンタ２１１よりランダムＲ１３の値を抽出し（ステップＳ５１５）、抽出したランダムＲ１３の値に基づき、図１７（Ｃ）に示す仮停止飾り図柄決定用テーブル２３２を用いて、大当り組合せとなる仮停止図柄を決定する（ステップＳ５１６）。一方、ステップＳ５０１の処理にて特定した可変表示パターンが大当り開始前再抽選演出表示の実行を伴わない大当り可変表示パターンであれば（ステップＳ５１４；Ｎｏ）、ＣＰＵ２００は、ステップＳ５１５及びＳ５１６の処理をスキップする。
【０１９１】
続いて、ＣＰＵ２００は、例えばＲＡＭ２０２の表示結果格納エリアに格納された表示結果コマンドのＥＸＴデータを読み取るなどして、表示結果を特定する（ステップＳ５１７）。そして、ステップＳ５１７の処理にて特定した表示結果が通常大当りであるか確変大当りであるかを判定する（ステップＳ５１８）。
【０１９２】
ステップＳ５１７の処理にて特定した表示結果が確変大当りであるときには（ステップＳ５１８；Ｙｅｓ）、さらにこの確変大当りが大当り終了後再抽選演出表示の実行を伴うものであるか否かを判定する（ステップＳ５１９）。大当り終了後再抽選演出表示の実行を伴わないものであるときには（ステップＳ５１９；Ｎｏ）、確定飾り図柄を決定するためのテーブルとして、図１７（Ｂ）に示す確変大当り時確定飾り図柄決定用テーブル２３１を設定する（ステップＳ５２０）。
【０１９３】
大当り終了後再抽選演出表示の実行を伴う確変大当りであるときには（ステップＳ５１９；Ｙｅｓ）、さらにキャラクタ記憶メモリ２１７に記憶されるキャラクタの数（キャラクタ記憶数）が２以上であるか否かを判定する（ステップＳ５１９Ａ）。キャラクタ記憶数が２以上でないときには（ステップＳ５１９Ａ；Ｎｏ）、確定飾り図柄を決定するためのテーブルとして、図１７（Ｂ）に示す確変大当り時確定飾り図柄決定用テーブル２３１を設定する（ステップＳ５２０）。
【０１９４】
一方、ステップＳ５１７の処理にて特定した表示結果が通常大当りであるときや（ステップＳ５１８；Ｎｏ）、キャラクタ記憶数が２以上であるときには（ステップＳ５１９Ａ；Ｙｅｓ）、大当り終了後再抽選演出表示（昇格演出）を実行するものと判定して昇格演出実行フラグをセットして（ステップＳ５１９Ｂ）、確定飾り図柄を決定するためのテーブルとして、図１７（Ａ）に示す通常大当り時確定飾り図柄決定用テーブル２３０を設定する（ステップＳ５２１）。
【０１９５】
このように、この実施の形態では、主基板１１の側で大当り終了後再抽選演出表示（昇格演出）を実行すると決定した場合であって、かつキャラクタ記憶数が２以上である場合に、演出制御基板１２の側で大当り終了後再抽選演出表示を実行する。この実施の形態では、予告演出で使用しストックされたキャラクタを用いた演出により昇格演出を実行する。従って、キャラクタ記憶数が特定の数（この実施の形態では２）に満たない場合には、ストックされたキャラクタの不足などにより演出が不自然なものとなる可能性がある。そのため、主基板１１の側で昇格演出を実行すると決定した場合であっても、演出が不自然なものとなることを防ぐために、キャラクタ記憶数が特定の数（この実施の形態では２）に満たない場合には昇格演出を実行せず、表示結果として確変大当り図柄を導出表示する構成としている。
【０１９６】
ステップＳ５２０又はＳ５２１の処理を終えると、ＣＰＵ２００は、ランダムカウンタよりランダムＲ１０の値を抽出し（ステップＳ５２２）、抽出したランダムＲ１０の値に基づき、ステップＳ５２０又はＳ５２１の処理にて設定した確定飾り図柄決定用テーブルを用いて、大当り組合せとなる確定飾り図柄を決定する（ステップＳ５２３）。
【０１９７】
続いて、ＣＰＵ２００は、ステップＳ５０１の処理にて特定した可変表示パターンに対応する図柄表示制御パターン決定処理を実行する（図３８のステップＳ５２４）。図４０は、図３８のステップＳ５２４にて実行される図柄表示パターン決定処理の一例を示すフローチャートである。図４０に示す図柄表示パターン決定処理では、ＣＰＵ２００は、まず、ＲＡＭ２０２の可変表示パターン格納エリアに格納されたＥＸＴデータに基づいて、リーチＢ〜リーチＥの可変表示パターンであるか否かを判定する（ステップＳ６２１）。
【０１９８】
リーチＢ〜リーチＥの可変表示パターンであれば（ステップＳ６２１；Ｙｅｓ）、さらにキャラクタ記憶メモリ２１７に記憶されるキャラクタの数（キャラクタ記憶数）が３であるか否かを判定する（ステップＳ６２２）。キャラクタ記憶数が３であるときには（ステップＳ６２２；Ｙｅｓ）、フラグメモリ２１４に設けられた昇格演出実行フラグがオン状態であるか否かを判定する（ステップＳ６２３）。昇格演出実行フラグがオン状態でなければ（ステップＳ６２３；Ｎｏ）、ＣＰＵ２００は、図１５に示す図柄表示パターンテーブル２２０からキャラクタを使用するリーチＢ〜リーチＥの図柄表示制御パターンを選択する（ステップＳ６２４）。キャラクタ記憶数が３でないときには（ステップＳ６２２；Ｎｏ）、または、ステップＳ６２３で昇格演出実行フラグがオン状態であれば（ステップＳ６２３；Ｙｅｓ）、図１５に示す図柄表示パターンテーブル２２０からキャラクタを使用しないリーチＢ〜リーチＥの図柄表示制御パターンを選択する（ステップＳ６２５）。ステップＳ６２４にてキャラクタを使用する図柄表示制御パターンが選択された場合、そのリーチ演出が実行された後、キャラクタ記憶メモリ２１７を初期化する設定がなされる（ステップＳ６２６）。また、リーチ演出でキャラクタが使用される毎に、そのキャラクタをキャラクタ記憶表示エリア５Ａから消去する制御がなされる。なお、キャラクタをキャラクタ記憶表示エリア５Ａから消去する制御は演出に合わせたタイミングで行われるが、キャラクタ記憶メモリ２１７の初期化は、キャラクタを使用するリーチ演出を実行することが決定されたとき等、演出が実行される前に行うようにしてもよい。キャラクタを使用する他の演出についても同様である。
【０１９９】
ステップＳ６２１でリーチＢ〜リーチＥの可変表示パターンでなかった場合（ステップＳ６２１；Ｎｏ）、又はステップＳ６２６、ステップＳ６２５の処理を終えると、図１５に示す図柄表示制御パターンテーブル２２０のうちから、ステップＳ６２４、ステップＳ６２５にて選択した図柄表示制御パターン、又は可変表示パターンに対応した図柄表示制御パターンを決定する（ステップＳ６２７）。その後、図柄制御パターン決定処理を終える。
【０２００】
リーチＢ〜リーチＥの可変表示パターンでは、キャラクタ記憶数が特定の数（この実施の形態では３）になっている場合であって昇格演出を実行しない場合、それ以外の場合とは異なる図柄表示制御パターンが用意されている。ステップＳ６２２において、キャラクタ記憶数が特定の数となっているか否かを判定しているので、キャラクタ記憶数とリーチ演出とに矛盾が生じることを防止することができる。また、予告演出で使用したキャラクタをリーチ演出に使用するので、予告演出とリーチ演出とに関連性を持たせることができ、遊技性を向上させることができる。なお、この実施の形態では、リーチＢ〜リーチＥの可変表示パターンでは、キャラクタ記憶数が３のとき（キャラクタＡ〜Ｃを記憶しているとき）に、キャラクタＡ〜Ｃの全てを用いたリーチ演出を実行している。これに限定されず、リーチごとにキャラクタの使用確率を変えてもよい。この場合、ステップＳ６２３においてランダムカウンタより所定ランダム値を抽出し、リーチパターンに応じた判定値により、いずれのキャラクタを使用するかの判定を行うようにすればよい。また、ステップＳ６２２において、キャラクタ記憶数が３のときにＹｅｓであると判定していたが、キャラクタ記憶数とリーチ演出とに矛盾が生じることがなければ必要なキャラクタ記憶数を変更してもよい。例えば、変動時間の短いリーチＢやリーチＣの可変表示パターンのときには、キャラクタ記憶数が１以上のときにＹｅｓと判定し、ステップＳ６２３では、当該記憶しているキャラクタを用いたリーチ演出の図柄表示制御パターンを選択するようにすればよい。また、記憶しているキャラクタのうちから、いずれのキャラクタを使用するかの判定を行うようにしてもよい。記憶されているキャラクタの一部を使用するリーチ演出を選択する場合には、大当りとなるか否かにより選択されやすいキャラクタを設けて、キャラクタの相違により遊技者の期待感を高めるようにしてもよい。また、記憶されているキャラクタの一部を使用するリーチ演出を選択する場合には、ステップＳ６２６にてキャラクタ記憶メモリ２１７から使用したキャラクタのみを消去するようにしてもよい。
【０２０１】
ステップＳ５２４の図柄制御パターン決定処理を終えると、ＣＰＵ２００は、ＶＤＰ２０３に対して所定の描画命令を送出するなどして、飾り図柄の可変表示を開始するための表示設定を行う（図３８のステップＳ５２５）。この際、ステップＳ５２４の処理にて決定した図柄表示制御パターンに従って、各種タイマ２１５に設けられている図柄表示制御プロセスタイマの設定なども行われる。
【０２０２】
そして、ステップＳ５０１の処理にて特定した可変表示パターンが示す総可変表示時間に対応するタイマ初期値を、各種タイマ２１５に設けられている可変表示時間タイマにセットしてカウントダウン動作を開始させることによって、飾り図柄の可変表示時間の計測を開始する（ステップＳ５２６）。この後、演出制御プロセスフラグの値を飾り図柄可変表示処理に対応した値である「３」に更新して（ステップＳ５２７）、演出制御設定処理を終了する。
【０２０３】
図３６のステップＳ４２３の飾り図柄可変表示処理は、演出制御プロセスフラグの値が「３」のときに実行される処理である。この処理において、予告フラグをチェックすることにより、予告演出の実行有無を判定し、実行すると判定した場合は、ステップＳ６０６で決定された予告演出を実行する。また、この処理においてステップＳ４２２の演出制御設定処理で設定された図柄表示制御パターンに基づき、大当り開始前再抽選演出表示や、リーチ演出が実行される。さらに、予告演出やリーチ演出に伴ったキャラクタ表示の増減（予告演出で使用したキャラクタのキャラクタ記憶表示エリア５Ａへの追加表示、リーチ演出で使用したキャラクタのキャラクタ記憶表示エリア５Ａからの消去）を実行する。ここで追加表示されたキャラクタはその後もキャラクタ記憶表示エリア５Ａに表示され続ける。具体的には、ＣＰＵ２００は、各種タイマ２１５に含まれる図柄表示制御プロセスタイマがタイムアウトするごとに、図柄表示制御パターンテーブルにおける読出位置を切り替え、その読出位置から読み出された図柄表示制御プロセスタイマ設定値及び図柄表示制御データに従って、画像表示装置５の表示制御を変更する。そして、各種タイマ２１５に設けられている可変表示時間タイマがタイムアウトすると、大当り開始コマンド受信待ち時間タイマに対して予め定められたタイマ初期値を設定し、その大当り開始コマンド受信待ち時間タイマのカウントダウン動作を開始すると共に、演出制御プロセスフラグの値を大当り開始コマンド受信待ち処理に対応した値である「４」に更新する。
【０２０４】
ステップＳ４２４の大当り開始コマンド受信待ち処理は、演出制御プロセスフラグの値が「４」のときに実行される処理である。この処理において、ＣＰＵ２００は、主基板１１から送信された大当り開始コマンドを受信したか否かを判定する。そして、大当り開始コマンドを受信したきには、飾り図柄の可変表示結果が大当りであると判断して、演出制御プロセスフラグの値を大当り演出処理に対応した値である「５」に更新する。一方、主基板１１から大当り開始コマンドを受信することなく、各種タイマ２１５に設けられた大当り開始コマンド受信待ち時間タイマがタイムアウトしたときには、飾り図柄の可変表示結果がハズレであると判断して、演出制御プロセスフラグの値を初期値である「０」に更新する。
【０２０５】
ステップＳ４２５の大当り演出処理は、演出制御プロセスフラグの値が「５」のときに実行される処理である。この処理において、ＣＰＵ２００は、画像表示装置５における表示動作を制御することにより、大当り遊技状態に応じた画像を表示する制御を行う。例えば、主基板１１から受信した大当りラウンド数指示コマンドに対応したラウンド数を、画像表示装置５上に表示させることにより、遊技者に対して報知可能とする。そして、大当り遊技状態において実行されるラウンド遊技が最終ラウンド（例えば、１５回目）になると、演出制御プロセスフラグの値を大当り終了演出処理に対応した値である「６」に更新する。
【０２０６】
ステップＳ４２６の大当り終了演出処理は、演出制御プロセスフラグの値が「６」のときに実行される処理である。図４１及び図４２は、図３６のステップＳ４２６にて実行される大当り終了演出処理の一例を示すフローチャートである。図４１及び図４２に示す大当り終了演出処理を開始すると、ＣＰＵ２００は、まず、フラグメモリ２１４に設けられた大当り終了演出表示中フラグがオンとなっているか否かを判定する（ステップＳ５３１）。大当り終了演出表示中フラグがオフのときには（ステップＳ５３１；Ｎｏ）、続いてフラグメモリ２１４に設けられた大当り終了フラグがオンとなっているか否かを判定することにより、主基板１１から送信された大当り終了コマンドＢ０ＸＸ（ｈ）を受信したか否かを判定する（ステップＳ５３２）。
【０２０７】
大当り終了コマンドＢ０ＸＸ（ｈ）を受信していないときには（ステップＳ５３２；Ｎｏ）、そのまま大当り終了演出処理を終了する。一方、大当り終了コマンドＢ０ＸＸ（ｈ）を受信したときには（ステップＳ５３２；Ｙｅｓ）、例えばＲＡＭ２０２の大当り終了演出表示内容格納エリアに格納された大当り終了コマンドのＥＸＴデータを読み取るなどして、大当り終了演出表示の内容を特定する（ステップＳ５３３）。このとき、フラグメモリ２１４に設けられている大当り終了フラグは、クリアされオフ状態となる。
【０２０８】
続いて、ＣＰＵ２００は、ステップＳ５３３の処理にて特定した大当り終了演出表示の内容が大当り終了後再抽選演出表示の実行を伴うものであるか否かを判定する（ステップＳ５３４）。大当り終了後再抽選演出表示の実行を伴わないものであれば（ステップＳ５３４；Ｎｏ）、ＣＰＵ２００は、ＶＤＰ２０３に対して所定の描画命令を送出するなどして、画像表示装置５にて大当り終了後再抽選演出表示の実行を伴わない大当り終了演出表示を開始するための設定を行う（ステップＳ５３５）。その後、大当り終了後再抽選演出表示の実行を伴わない大当り終了演出表示の実行時間（例えば４秒）に対応するタイマ初期値が、各種タイマ２１５に設けられた大当り終了演出表示時間タイマに設定される（ステップＳ５３６）。
【０２０９】
一方、大当り終了後再抽選演出表示の実行を伴うものであるときには（ステップＳ５３４；Ｙｅｓ）、フラグメモリ２１４に設けられた昇格演出実行フラグがオン状態となっているか否かを判別する。（図４２のステップＳ５３６Ａ）。昇格演出実行フラグがオン状態となっている場合（ステップＳ５３６Ａ；Ｙｅｓ）、さらに大当り終了後再抽選演出表示により行われる再抽選の結果が、大当り終了後の遊技状態を通常遊技状態から高確率状態に昇格させるものであるか否かを判定する（ステップＳ５３７）。
【０２１０】
大当り終了後再抽選演出表示により行われる再抽選の結果が、大当り終了後の遊技状態を通常遊技状態から高確率状態に昇格させないものであるときには（ステップＳ５３７；Ｎｏ）、再可変表示後に導出表示する飾り図柄を決定するためのテーブルとして、図１７（Ａ）に示す通常大当り時確定飾り図柄決定用テーブル２３０を設定する（ステップＳ５３８）。一方、大当り終了後再抽選演出表示により行われる再抽選の結果が、大当り終了後の遊技状態を通常遊技状態から高確率状態に昇格させるものであるときには（ステップＳ５３７；Ｙｅｓ）、再可変表示後に導出表示する飾り図柄を決定するためのテーブルとして、図１７（Ｂ）に示す確変大当り時確定飾り図柄決定用テーブル２３１を設定する（ステップＳ５３９）。
【０２１１】
ＣＰＵ２００は、ランダムカウンタよりランダムＲ１０の値を抽出し（ステップＳ５４０）、抽出したランダムＲ１０の値に基づき、ステップＳ５３８又はＳ５３９の処理にて設定した確定飾り図柄決定用テーブルを用いて、大当り組合せとなる再変動後の確定飾り図柄を決定する（ステップＳ５４１）。
【０２１２】
次に、ＣＰＵ２００は、昇格演出パターンを決定するための昇格演出決定処理を実行する（ステップＳ５４１Ａ）。図４３は、昇格演出決定処理の詳細を示すフローチャートである。昇格演出決定処理では、ＣＰＵ２００は、まず、大当り終了後再抽選演出表示により行われる再抽選の結果が、大当り終了後の遊技状態を通常遊技状態から高確率状態に昇格させるものであるか否かを判定する（ステップＳ６３１）。大当り終了後再抽選演出表示により行われる再抽選の結果が、大当り終了後の遊技状態を通常遊技状態から高確率状態に昇格させるものであるときには（ステップＳ６３１；Ｙｅｓ）、キャラクタ記憶数が３であれば昇格演出パターンを決定するためのテーブルとして、図２２（Ａ）に示す昇格有り用昇格演出決定用テーブルテーブル２４０を設定する（ステップＳ６３２）。一方、大当り終了後の遊技状態を通常遊技状態から高確率状態に昇格させないものであるときには（ステップＳ６３１；Ｎｏ）、キャラクタ記憶数が３であれば昇格演出パターンを決定するためのテーブルとして、図２２（Ｂ）に示す昇格無し用昇格演出決定用テーブル２４１を設定する（ステップＳ６３３）。なお、キャラクタ記憶数が２の場合、大当り終了後の遊技状態を通常遊技状態から高確率状態に昇格させるか否かにかかわらずステップＳ６３２及びＳ６３３では昇格演出パターンを決定するためのテーブルとして、図２２（Ｃ）に示す昇格演出決定用テーブル２４２が設定される。大当り終了後の遊技状態を通常遊技状態から高確率状態に昇格させない場合であって、キャラクタ記憶数が２未満の場合は、例えばキャラクタを使用しない昇格演出を実行する。
【０２１３】
そして、ＣＰＵ２００は、ランダムカウンタよりランダムＲ１６の値を抽出し（ステップＳ６３４）、抽出したランダムＲ１６の値に基づき、ステップＳ６３２又はＳ６３３の処理にて設定した昇格演出決定用テーブルを用いて、昇格演出パターンを決定する（ステップＳ６３５）。その後、キャラクタ記憶メモリ２１７の記憶内容を初期化して（キャラクタ記憶数を０に更新して）（ステップＳ６３６）、昇格演出実行フラグをクリアしてオフ状態とし（ステップＳ６３７）、昇格演出決定処理を終える。
【０２１４】
このように、昇格演出決定処理では、大当り終了後再抽選演出表示により行われる再抽選の結果が、大当り終了後の遊技状態を通常遊技状態から高確率状態に昇格させるものであるか否かによって異なる昇格演出決定用テーブルにより昇格演出パターンを決定する。従って、昇格演出パターンの種別毎に昇格する期待度を異ならせることができ、遊技性を向上させることができる。なお、記憶されているキャラクタの一部を使用する昇格演出パターンを決定した場合には、ステップＳ６３６にてキャラクタ記憶メモリ２１７から当該一部のキャラクタのみを消去するようにしてもよい。
【０２１５】
ステップＳ５４１Ａにて昇格演出決定処理を終えると、ＣＰＵ２００は、ＶＤＰ２０３に対して所定の描画命令を送出するなどして、画像表示装置５にて大当り終了後再抽選演出表示の実行を伴う大当り終了演出表示を開始するための設定を行う（図４２のステップＳ５４２）。また、ステップＳ５３６Ａにて昇格演出実行フラグがオン状態でなかった場合（ステップＳ５３６Ａ；Ｎｏ）、ＣＰＵ２００は、ＶＤＰ２０３に対して所定の描画命令を送出するなどして、画像表示装置５にて大当り終了後再抽選演出表示の実行を伴わない大当り終了演出表示を開始するための設定を行う（ステップＳ５４２Ａ）。その後、大当り終了後再抽選演出表示の実行を伴う大当り終了演出表示の実行時間（例えば１２秒）に対応するタイマ初期値が、各種タイマ２１５に設けられた大当り終了演出表示時間タイマに設定される（ステップＳ５４３）。即ち、昇格演出実行フラグがオン状態でないことにより、演出制御基板１２の側で大当り終了後再抽選演出表示を実行しないとしたときも、大当り終了後再抽選演出表示の実行を伴う大当り終了演出表示の実行時間（例えば１２秒）に対応するタイマ初期値が設定される。このため、主基板１１と演出制御基板１２との間の実行時間の整合を保つことができる。
【０２１６】
そして、ステップＳ５３６又はＳ５４３の処理にて大当り終了演出表示時間タイマの設定が行われた後には、フラグメモリ２１４に設けられた大当り終了演出表示中フラグがオン状態にセットされる（図４１のステップＳ５４４）。
【０２１７】
また、ステップＳ５３１処理にて大当り終了演出表示中フラグがオンであると判定されたときには（ステップＳ５３１；Ｙｅｓ）、各種タイマ２１５に設けられている大当り終了演出表示時間タイマにおけるタイマ値を１減算してタイマ値の更新を行う（ステップＳ５４５）。そして、更新された大当り終了演出表示時間タイマのタイマ値が「０」となっているか否かを判定する（ステップＳ５４６）。
【０２１８】
ここで、タイマ値が「０」となっていれば（ステップＳ５４６；Ｙｅｓ）、大当り終了演出表示時間タイマがタイムアウトしたとして、フラグメモリ２１５に設けられている大当り終了演出表示中フラグをクリアしてオフ状態にした後（ステップＳ５４７）、演出制御プロセスフラグの値を初期値である「０」に更新して、大当り終了演出処理を終了する（ステップＳ５４８）。一方、タイマ値が「０」となっていないときには（ステップＳ５４６；Ｎｏ）、大当り終了演出表示時間タイマが未だタイムアウトしていないものとして、演出制御プロセスフラグを更新することなく大当り終了演出処理を終了する。
【０２１９】
以下、パチンコ遊技機１における具体的な制御の一例について説明する。
【０２２０】
演出制御基板１２にて、主基板１１から通常ハズレの可変表示パターンコマンド８０００（ｈ）を受信すると、ＣＰＵ２００はステップＳ４２１の予告選択処理を実行する。このとき、予告を実行することに決定され（ステップＳ６０３；Ｙｅｓ）、キャラクタＡによる予告演出を実行することに決定されると（ステップＳ６０６）、図４４に示すように（１）画像表示装置５において飾り図柄の可変表示を開始させた後、（２）キャラクタＡを画像表示装置５に表示させる予告演出が実行される。（３）そして、演出制御設定処理において決定された（ステップＳ５０４〜Ｓ５０９）ハズレ図柄が導出表示されるとともに、予告決定処理でストックされた（ステップＳ６０９）キャラクタＡがキャラクタ記憶表示エリア５Ａに表示される。
【０２２１】
また、キャラクタＢによる予告演出を実行することに決定されると（ステップＳ６０６）、図４５に示すように（１）画像表示装置５において飾り図柄の可変表示を開始させた後、（２）キャラクタＢを画像表示装置５に表示させる予告演出が実行される。（３）そして、演出制御設定処理において決定された（ステップＳ５０４〜Ｓ５０９）ハズレ図柄が導出表示されるとともに、予告決定処理でストックされた（ステップＳ６０９）キャラクタＢがキャラクタ記憶表示エリア５Ａに表示される。
【０２２２】
また、キャラクタＣによる予告演出を実行することに決定されると（ステップＳ６０６）、図４６に示すように（１）画像表示装置５において飾り図柄の可変表示を開始させた後、（２）キャラクタＣを画像表示装置５に表示させる予告演出が実行される。（３）そして、演出制御設定処理において決定された（ステップＳ５０４〜Ｓ５０９）ハズレ図柄が導出表示されるとともに、予告決定処理でストックされた（ステップＳ６０９）キャラクタＣがキャラクタ記憶表示エリア５Ａに表示される。
【０２２３】
上記のようにして、キャラクタＡ〜キャラクタＣがストックされた状態で、演出制御基板１２にて、主基板１１からリーチＢの可変表示パターンコマンド（８０２０（ｈ）や８０２１（ｈ）など）を受信すると、ＣＰＵ２００は図柄制御パターン決定処理を実行する。そして、リーチＢの可変表示パターンであるのでステップＳ６２１でＹｅｓであると判定し、キャラクタ記憶数も３であるのでステップＳ６２２でもＹｅｓであると判定する。これにより、ＣＰＵ２００はキャラクタを使用するリーチ演出の図柄表示制御パターンを選択し決定する（ステップＳ６２４、Ｓ６２７）。例えば、図４７に示すように（１）（２）画像表示装置５においてリーチＢに対応する演出（例えば所定のキャラクタが敵と対決する演出）が実行され、（３）例えばキャラクタＡ〜キャラクタＣを画像表示装置５に表示させる演出（例えば所定のキャラクタを応援する演出）が実行される。また、この表示例では、リーチ演出に使用したキャラクタをキャラクタ記憶表示エリア５Ａから消去する制御がなされている。その後、表示結果が導出表示される。
【０２２４】
また、キャラクタＡ〜キャラクタＣがストックされた状態で、演出制御基板１２にて、主基板１１からリーチＣの可変表示パターンコマンドを受信すると、ＣＰＵ２００は図柄制御パターン決定処理を実行する。そして、リーチＣの可変表示パターンであるのでステップＳ６２１でＹｅｓであると判定し、キャラクタ記憶数も３であるのでステップＳ６２２でもＹｅｓであると判定する。これにより、ＣＰＵ２００はキャラクタを使用するリーチ演出の図柄表示制御パターンを選択し決定する（ステップＳ６２４、Ｓ６２７）。なお、リーチＣの可変表示時間はリーチＢの可変表示時間より長く設定されている。例えば、図４８に示すように（１）（２）画像表示装置５においてリーチＣに対応する演出（例えば所定のキャラクタが敵と対決する演出）が実行され、（３）所定のキャラクタが敗北する演出を行う。このような対決のリーチ演出では、キャラクタが敗北した場合はずれとなる。従って、この時点で遊技者ははずれになると認識する。（４）その後、キャラクタＡ〜キャラクタＣを画像表示装置５に表示させる演出（例えば所定のキャラクタを応援する演出）が実行され、（５）リーチＣに対応する演出（例えば所定のキャラクタが復活する演出）が実行され、リーチ演出が継続される。また、この表示例では、リーチ演出に使用したキャラクタをキャラクタ記憶表示エリア５Ａから消去する制御がなされている。その後、表示結果が導出表示される。
【０２２５】
また、キャラクタＡ〜キャラクタＣがストックされた状態で、演出制御基板１２にて、主基板１１からリーチＤの可変表示パターンコマンドを受信すると、ＣＰＵ２００は図柄制御パターン決定処理を実行する。そして、リーチＤの可変表示パターンであるのでステップＳ６２１でＹｅｓであると判定し、キャラクタ記憶数も３であるのでステップＳ６２２でもＹｅｓであると判定する。これにより、ＣＰＵ２００はキャラクタを使用するリーチ演出の図柄表示制御パターンを選択し決定する（ステップＳ６２４、Ｓ６２７）。なお、リーチＤの可変表示時間はリーチＣの可変表示時間より長く設定されている。例えば、図４９に示すように（１）（２）画像表示装置５においてリーチＤに対応する演出（例えば所定のキャラクタが敵と対決する演出）が実行され、（３）所定のキャラクタが敗北する演出を行う。（４）その後、キャラクタＡを画像表示装置５に表示させる演出（例えばキャラクタＡが所定のキャラクタを応援する演出）が実行され、（５）リーチＤに対応する演出（例えば所定のキャラクタが復活する演出）が実行され、リーチ演出が継続される。（６）その後、所定のキャラクタが再び敗北する演出を行う。（７）そして、キャラクタＢとキャラクタＣを画像表示装置５に表示させる演出（例えばキャラクタＢとキャラクタＣが所定のキャラクタを応援する演出）が実行され、（８）リーチＤに対応する演出（例えば所定のキャラクタが再び復活する演出）が実行され、リーチ演出が継続される。この表示例では、リーチ演出に使用したキャラクタ毎に、キャラクタ記憶表示エリア５Ａから消去する制御がなされている。そして、その後、表示結果が導出表示される。
【０２２６】
また、キャラクタＡ〜キャラクタＣがストックされた状態で、演出制御基板１２にて、主基板１１からリーチＥの可変表示パターンコマンドを受信すると、ＣＰＵ２００は図柄制御パターン決定処理を実行する。そして、リーチＥの可変表示パターンであるのでステップＳ６２１でＹｅｓであると判定し、キャラクタ記憶数も３であるのでステップＳ６２２でもＹｅｓであると判定する。これにより、ＣＰＵ２００はキャラクタを使用するリーチ演出の図柄表示制御パターンを選択し決定する（ステップＳ６２４、Ｓ６２７）。なお、リーチＥの可変表示時間はリーチＤの可変表示時間より長く設定されている。例えば、図５０及び図５１に示すように（１）（２）画像表示装置５においてリーチＥに対応する演出（例えば所定のキャラクタが敵と対決する演出）が実行され、（３）所定のキャラクタが敗北する演出を行う。（４）その後、キャラクタＡを画像表示装置５に表示させる演出（例えばキャラクタＡが所定のキャラクタを応援する演出）が実行され、（５）リーチＥに対応する演出（例えば所定のキャラクタが復活する演出）が実行され、リーチ演出が継続される。（６）その後、所定のキャラクタが再び敗北する演出を行う。（７）そして、キャラクタＢを画像表示装置５に表示させる演出（例えばキャラクタＢが所定のキャラクタを応援する演出）が実行され、（８）リーチＥに対応する演出（例えば所定のキャラクタが再び復活する演出）が実行され、リーチ演出が継続される。（９）その後、所定のキャラクタが再び敗北する演出が行われ、（１０）キャラクタＣを画像表示装置５に表示させる演出（例えばキャラクタＣが所定のキャラクタを応援する演出）が実行され、（１１）リーチＥに対応する演出（例えば所定のキャラクタが再び復活する演出）が実行され、リーチ演出が継続される。この表示例では、リーチ演出に使用したキャラクタ毎に、キャラクタ記憶表示エリア５Ａから消去する制御がなされている。そして、その後、表示結果が導出表示される。
【０２２７】
図４７〜図５１に示したように、演出制御基板１１の側でリーチＢ〜リーチＥの可変表示パターンコマンドを受信した場合であって、キャラクタ記憶数が３の場合、その可変表示時間に合わせてキャラクタＡ〜Ｃを全て使用させる演出が実行される。なお、図４７〜図５１に示した例は一例であり、キャラクタＡ〜Ｃの一部を使用する演出パターンがあってもよい。そして、使用するキャラクタの組合せや数により信頼度を異ならせるようにしてもよい。また、キャラクタがストックされていないときに、演出制御基板１２にてリーチＢ〜Ｅの可変表示パターンコマンドを受信した場合については上述の例と異なる演出が実行される。即ち、ＣＰＵ２００は図柄制御パターン決定処理のステップＳ６２２でＮｏであると判定し、キャラクタを使用しないリーチ演出の図柄表示制御パターンを選択し決定する（ステップＳ６２５、Ｓ６２７）。この場合、図４７〜図５１に示した例とは異なる演出が行われることとなる。例えば、図４７〜図５１では、キャラクタＡ〜Ｃが応援する演出を実行していたが、これを実行せずに所定のキャラクタが敗北した状態から復活するような演出を実行するようにすればよい。
【０２２８】
また、キャラクタＡ〜キャラクタＣがストックされた状態で、演出制御基板１２にて、主基板１１から例えばリーチＢ大当りの可変表示パターンコマンド（８０２１（ｈ））を受信すると、ステップＳ４２２の演出制御設定処理を実行する。そして、ＣＰＵ２００はステップＳ５１９にてＹｅｓであると判定し、キャラクタ記憶数が３なのでステップＳ５１９ＡにおいてもＹｅｓであると判定する。即ち、昇格演出を実行することに決定する。そして、大当り終了後再抽選演出表示（昇格有り）を指定する大当り終了コマンドＢ００２（ｈ）を受信すると、ステップＳ４２６の大当り終了演出処理の昇格演出決定処理において、ステップＳ６３２〜Ｓ６３５の処理を実行することにより、例えば、キャラクタＡ〜Ｃを使用する昇格演出パターンに決定される。この場合、画像表示装置５では、図５２に示すように（１）〜（４）可変表示パターンに対応したリーチ演出が実行され、（５）通常大当り図柄が導出表示される。そして、大当り遊技状態となった後、（６）大当り遊技状態が終了した旨の表示がなされる。（７）その後、キャラクタＡ〜Ｃを使用する昇格演出が実行され、（８）確変大当り図柄が導出表示されるなど高確率状態に昇格した旨の表示がなされる。このように、大当り開始後再抽選演出表示で昇格演出を実行する場合は、大当り終了演出表示時間の制約があるため、演出に使用するキャラクタを一度に表示させる演出などが実行される。なお、（７）の昇格演出に使用される画像データは、昇格演出パターン毎に用意されていてもよいし、キャラクタ毎に昇格演出用の画像データを用意して、昇格演出に使用するキャラクタに対応する画像データを重畳させて表示するようにしてもよい。また、昇格演出は、大当り終了演出実行中に演出用画像をカットインさせるようにして実行してもよいし、大当り終了演出全体を変更することで実行するようにしてもよい。昇格演出に使用される画像データが昇格演出パターン毎に用意される場合、図１６に示したような図柄表示制御パターン（昇格演出時に用いられるもの）が、昇格演出パターン毎に設けられている。例えば、キャラクタＡ＋Ｂ＋Ｃを使用する昇格演出パターンでは、キャラクタＡ＋Ｂ＋Ｃの３人が敵と戦う演出を行わせるためのデータが用いられる。キャラクタＡ＋Ｂを使用する昇格演出パターンでは、キャラクタＡ＋Ｂの２人が敵と戦う演出を行わせるためのデータが用いられる。ただし、昇格演出が一連のムービーにより行われるものである場合には、ＣＰＵ２００はいずれの昇格演出を行うかを特定可能な信号をＶＤＰ２０３に送信するのみで、ムービー再生による表示制御はＶＤＰ２０３が行う。また、昇格演出に使用するキャラクタに対応する画像データを重畳させて表示する場合や、大当り終了演出実行中に演出用画像をカットインさせる場合は、図１６に示したような図柄表示制御パターンは、昇格有り、昇格無しで各１つずつ、もしくは複数種類ある場合でも、キャラクタの種類に対応して設けられるものではない。例えばキャラクタＡ＋Ｂ＋Ｃを使用する昇格演出パターンでは、共通の昇格演出中の特定のタイミングにおいて、キャラクタＡ＋Ｂ＋Ｃのデータを重畳表示させたり、割込表示させたりする。キャラクタＡ＋Ｂを使用する昇格演出パターンでは、特定のタイミングにおいてキャラクタＡ＋Ｂを重畳表示させたり、割込表示させたりする。
【０２２９】
一方、キャラクタＡのみがストックされた状態で、演出制御基板１２にて、主基板１１から例えばリーチＢ大当りの可変表示パターンコマンド（８０２１（ｈ））を受信すると、ステップＳ４２２の演出制御設定処理を実行する。そして、ＣＰＵ２００はステップＳ５１９にてＹｅｓであると判定するが、キャラクタ記憶数が１なのでステップＳ５１９ＡにおいてはＮｏであると判定する。即ち、昇格演出を実行しないことに決定する。そして、大当り終了後再抽選演出表示（昇格有り）を指定する大当り終了コマンドＢ００２（ｈ）を受信すると、ステップＳ４２６の大当り終了演出処理ではステップＳ５３６ＡにてＮｏであると判定され、昇格演出を伴わない大当り終了演出表示を開始するための設定がなされる（ステップＳ５４２Ａ）。この場合、画像表示装置５では、図５３に示すように（１）〜（４）可変表示パターンに対応したリーチ演出が実行され、（５）確変大当り図柄が導出表示される。そして、大当り遊技状態となった後、（６）大当り遊技状態が終了した旨の表示がなされ、（７）高確率状態に突入した旨の表示がなされる。
【０２３０】
上記実施の形態の図４３に示した、昇格演出決定処理では、大当り終了後再抽選演出表示により行われる再抽選の結果が、大当り終了後の遊技状態を通常遊技状態から高確率状態に昇格させるものであるか否かによって、ステップＳ６３２にて図２２（Ａ）に示した昇格有り用昇格演出決定用テーブル２４０、また、ステップＳ６３３にて図２２（Ｂ）に示した昇格無し用昇格演出決定用テーブル２４１を用いて昇格演出パターンを決定していた。これらの昇格演出決定用テーブルでは、キャラクタの組合せを変えることにより昇格演出パターンを複数用意し、キャラクタの組合せごとに昇格する期待度を変化させていた。昇格演出パターンは、予告演出に使用したキャラクタを用いるものであればこれに限定されない。例えば、ステップＳ６３２にて図５４（Ａ）に示した昇格有り用昇格演出決定用テーブル２４３を用いて昇格演出パターンを決定し、また、ステップＳ６３３にて図５４（Ｂ）に示した昇格無し用昇格演出決定用テーブル２４４を用いて昇格演出パターンを決定するようにしてもよい。図５４の例では、昇格演出パターンとして、キャラクタ記憶メモリ２１７に記憶された順番にキャラクタを表示させる昇格演出パターンと、逆順にキャラクタを表示させる昇格演出パターンと、が用意される。そして、昇格する場合に、記憶された順番にキャラクタを表示させる昇格演出パターンに決定されやすくして、昇格しない場合は、逆順の昇格演出パターンに決定されやすくしている。このように、キャラクタの表示される順番により、昇格する期待度を変化させるようにしてもよい。これによっても、昇格演出パターンの種別毎に昇格する期待度を異ならせることができ、遊技性を向上させることができる。
【０２３１】
以上説明したように、本発明の実施の形態にかかるパチンコ遊技機１では、予告選択処理において、予告で使用するキャラクタをストックして（ステップＳ６０９）、昇格演出決定処理において、そのストックしたキャラクタを用いた昇格演出を決定している（ステップＳ６３１〜Ｓ６３５）。このように、記憶されているキャラクタに基づいた昇格演出を実行することが可能になり、昇格演出のバリエーションを増やすことができ、演出が単調になることなく遊技の興趣を向上させることができる。
【０２３２】
また、予告演出選択処理において、可変表示パターンがはずれの可変表示パターンのときにのみ、予告演出で使用するキャラクタを記憶する（ステップＳ６０８、Ｓ６０９）ように構成した。このように、はずれのときの演出内容を記憶し、その記憶内容が昇格演出に反映されるのではずれ変動と昇格演出とに関連性を持たせることができ、遊技の興趣を向上させることができる。
【０２３３】
また、演出制御設定処理において、主基板１１の側で大当り終了後再抽選演出表示（昇格演出）を実行すると決定した場合であって（ステップＳ５１８；Ｙｅｓ）、キャラクタ記憶数が２以上ある場合に（ステップＳ５１９Ａ；Ｙｅｓ）、演出制御基板１２の側で大当り終了後再抽選演出表示を実行すると判定している。キャラクタ記憶数が特定の数（この実施の形態では２）に満たない場合には昇格演出を実行せず、記憶されている所定画像の数が少ない又はない場合に昇格演出を実行する割合を減らすことができるので、演出が不自然になることがない。また、昇格演出のバリエーションを確保することができるので、遊技の興趣を保つことできる。
【０２３４】
また、主基板１１から送信されたコマンドに基づき、演出制御基板１２の側で予告選択処理により予告の有無、予告の種別を決定し、演出制御設定処理により演出パターンを決定している。これにより、各基板の制御負担を分散し軽減させることができる。
【０２３５】
また、昇格演出決定処理では、大当り終了後再抽選演出表示により行われる再抽選の結果が、大当り終了後の遊技状態を通常遊技状態から高確率状態に昇格させるものであるか否かによって異なる昇格演出決定用テーブルにより昇格演出パターンを決定する。従って、昇格演出パターンにより、昇格する期待度を異ならせることができ、いずれのキャラクタの組合せにより昇格演出が実行されるかに遊技者の注意を惹きつけることができるので、遊技の興趣を向上させることができる。
【０２３６】
また、図５４の例では、昇格演出パターンとして、キャラクタ記憶メモリ２１７に記憶された順番にキャラクタを表示させる昇格演出パターンと、逆順にキャラクタを表示させる昇格演出パターンと、が用意される。そして、昇格する場合に、記憶された順番にキャラクタを表示させる昇格演出パターンに決定されやすくして、昇格しない場合は、逆順の昇格演出パターンに決定されやすくしている。このように、キャラクタの表示される順番により、昇格する期待度を変化させるようにしてもよい。これによっても、昇格演出パターンの種別毎に遊技者に異なる期待感を与えることができるので、遊技の興趣を向上させることができる。
【０２３７】
また、昇格演出決定処理において、昇格演出パターンを決定した後に、キャラクタ記憶メモリ２１７の記憶内容を初期化している（ステップＳ６３６）。このように、一度使用したキャラクタをクリアすることで、昇格演出のパターンが単調になることを防止でき、遊技の興趣をさらに向上させることができる。
【０２３８】
また、リーチＢ〜リーチＥの可変表示パターンでは、キャラクタ記憶数が特定の数（この実施の形態では３）になっている場合、特定の数未満のときとは異なる図柄表示制御パターンが用意されている。ステップＳ６２２において、キャラクタ記憶数が特定の数となっているか否かを判定しているので、キャラクタ記憶数とリーチ演出とに矛盾が生じることを防止することができる。また、予告演出で使用したキャラクタをリーチ演出に使用するので、予告演出とリーチ演出とに関連性を持たせることができ、演出が単調になることなく遊技の興趣を向上させることができる。
【０２３９】
この発明は上記実施の形態に限定されるものではなく、様々な変形及び応用が可能である。
【０２４０】
例えば、上記実施の形態では、演出制御設定処理において、キャラクタ記憶数が特定の数に以上の場合は１００％昇格演出を実行し、特定の数に満たない場合は昇格演出を実行しないものとしていたが、ステップＳ５１９Ａにおいてランダムカウンタより所定ランダム値を抽出し、キャラクタ記憶数に応じた判定値により昇格演出を実行するか否かの判定を行うようにしてもよい。例えば、図５５に示すような昇格演出実行決定用テーブル２４５を用いて判定を実行するようにすればよい。図５５に示すように、キャラクタ記憶メモリ２１７に記憶されているキャラクタに応じて、昇格演出を実行する確率を異ならせるようにすればよい。また、キャラクタ記憶数が０の場合でも昇格演出を実行するようにしてもよい。この場合には、予告演出で使用するキャラクタ以外を用いた昇格演出を実行するようにすればよい。
【０２４１】
また、上記実施の形態の図４３に示した、昇格演出決定処理では、キャラクタ記憶数が２の場合、昇格演出パターンを決定するためのテーブルとして、図２２（Ｃ）に示す昇格演出決定用テーブル２４２が設定されるとして説明した。これに限定されず、キャラクタ記憶数が２の場合においても、大当り終了後再抽選演出表示により行われる再抽選の結果が、大当り終了後の遊技状態を通常遊技状態から高確率状態に昇格させるものであるか否かによって昇格演出決定用テーブルを変えるようにしてもよい。例えば、図５６（Ａ）〜（Ｃ）に示す昇格有り用昇格演出決定用テーブル２４６〜２４８を、キャラクタ記憶メモリ２１７に記憶されているキャラクタに応じてステップＳ６３２の処理で設定するようにすればよい。また、（Ｄ）〜（Ｆ）に示す昇格無し用昇格演出決定用テーブル２４９〜２５１を、キャラクタ記憶メモリ２１７に記憶されているキャラクタに応じてステップＳ６３３の処理で設定するようにすればよい。
【０２４２】
キャラクタを使用しない昇格演出パターン、キャラクタを１つ使用する昇格演出パターン、キャラクタを２つ使用する昇格演出パターン、及びキャラクタを３つ使用する昇格演出パターンを用意する場合、キャラクタを１つずつ表示させていく昇格演出を実行するようにしてもよい。大当り終了演出表示時間は限られているため、この場合は、例えば、大当り遊技状態のラウンド中から大当り終了演出表示にかけて昇格演出を開始するようにすればよい。例えば、図５７に示すように、昇格演出を大当り遊技状態の１３ラウンドから開始するようにすればよい。図５７（Ａ）に示すように、キャラクタを使用しない昇格演出パターンでは、大当り遊技状態の１３ラウンドに主人公と敵の対決を開始させて、昇格成功なら主人公が勝つ演出を実行し、昇格失敗の場合主人公が負ける演出を実行する。
図５７（Ｂ）に示すように、キャラクタを１つ（キャラクタＡ）を使用する昇格演出パターンでは、大当り遊技状態の１３ラウンドに主人公と敵の対決を開始させて、主人公が倒れる演出を実行する。そして１４ラウンドの開始時にキャラクタＡが主人公を助けるなどの演出を実行し、続いて主人公が立ち上がる演出を実行する。そして、主人公とキャラクタＡとが敵と対決する演出を実行する。その後、昇格成功なら主人公が勝つ演出を実行し、昇格失敗の場合主人公が負ける演出を実行する。図５７（Ｂ）に示すように、キャラクタを１つ（キャラクタＡ）を使用する昇格演出パターンでは、大当り遊技状態の１３ラウンドに主人公と敵の対決を開始させて、主人公が倒れる演出を実行する。１４ラウンドの開始時にキャラクタＡが主人公を助けるなどの演出を実行し、続いて主人公が立ち上がる演出を実行する。そして、主人公とキャラクタＡとが敵と対決する演出を実行する。その後、昇格成功なら主人公が勝つ演出を実行し、昇格失敗の場合主人公が負ける演出を実行する。図５７（Ｃ）に示すように、キャラクタを２つ（キャラクタＡとＢ）を使用する昇格演出パターンでは、１４ラウンドの途中まではキャラクタＡを使用する昇格演出パターンと同様の演出を行う。そして、１４ラウンドの最後に主人公とキャラクタＡが倒れる演出を実行する。１５ラウンドの開始時にキャラクタＢが主人公とキャラクタＡを助けるなどの演出を実行し、続いて主人公とキャラクタＡが立ち上がる演出を実行する。そして、主人公とキャラクタＡとキャラクタＢとが敵と対決する演出を実行する。その後、昇格成功なら主人公が勝つ演出を実行し、昇格失敗の場合主人公が負ける演出を実行する。図５７（Ｄ）に示すように、キャラクタを３つ（キャラクタＡとＢとＣ）を使用する昇格演出パターンでは、１５ラウンドの途中まではキャラクタＡとＢを使用する昇格演出パターンと同様の演出を行う。そして、１５ラウンドの最後に主人公とキャラクタＡとキャラクタＢとが倒れる演出を実行する。大当り終了演出表示の開始時にキャラクタＣが主人公とキャラクタＡとキャラクタＢを助けるなどの演出を実行し、続いて主人公とキャラクタＡとキャラクタＢとが立ち上がる演出を実行する。そして、主人公とキャラクタＡとキャラクタＢとキャラクタＣが敵と対決する演出を実行する。その後、昇格成功なら主人公が勝つ演出を実行し、昇格失敗の場合主人公が負ける演出を実行する。このように大当りラウンド中から昇格演出を実行し、昇格演出の実行時間を確保するようにしてもよい。
【０２４３】
また、昇格演出の実行の有無は、主基板１１の決定結果（特別図柄決定処理のステップＳ３２２、Ｓ３２３の決定結果）に基づき、演出制御基板１２の側において決定していた（演出制御設定処理のステップＳ５１９、Ｓ５１９Ａ）。この実行の有無について演出制御基板１２の側のみで決定するようにしてもよい。例えば、特別図柄決定処理において、ステップＳ３１９で確変確定フラグがオン状態であると（ステップＳ３１９；Ｙｅｓ）、ステップＳ３２２、Ｓ３２３の処理は実行せず、確変大当りであることを示す表示結果コマンドを送信可能に設定して処理を終了する。そして、演出制御設定処理のステップＳ５１９において、表示結果を判定する処理に代えて、ランダムカウンタ２１１から抽出したランダムの値に基づき、昇格演出を実行するか否かを判定するようにすればよい。この場合、大当り終了後再抽選演出表示（昇格演出）の実行を伴わない大当り終了演出表示の実行時間を、大当り終了後再抽選演出表示（昇格演出）の実行を伴う大当り終了演出表示の実行時間と同じ時間（例えば１２秒）を設定するようにする。
【０２４４】
また、パチンコ遊技機１に遊技者の操作に基づく操作信号を演出制御基板１１に送出可能な操作手段を設け、該操作手段の操作に基づいて、昇格演出パターンを決定するようにしてもよい。例えば、昇格演出決定処理のステップＳ６３２、Ｓ６３３において、操作手段による操作があったか否かにより、異なる昇格演出決定用テーブルを設定するようにすればよい。
【０２４５】
また、上記実施の形態において、演出制御基板１２側のＣＰＵ２００は、主基板１１から送信される可変表示開始コマンド８０ＸＸ（ｈ）に基づいて大当り開始前再抽選演出表示の実行の有無を判定し、表示結果コマンド９０ＸＸ（ｈ）に基づいて大当り終了後再抽選演出表示の実行の有無を判定するものとして説明した。しかしながら、この発明はこれに限定されるものではなく、例えば可変表示開始コマンド８０ＸＸ（ｈ）から、大当り開始前再抽選演出表示の実行の有無と、大当り終了後再抽選演出表示の実行の有無と、の双方を特定できるようにしてもよい。
【０２４６】
この場合には、図５８に示すように、３種類の表示結果コマンド９０ＸＸ（ｈ）を設けるようにし、このうち、コマンド９０００（ｈ）は、飾り図柄の可変表示結果が大当りとならないことを示しものとし、コマンド９００１（ｈ）は、大当り終了後の遊技状態が高確率状態にならないことを示すものとし、コマンド９００２（ｈ）は、大当り終了後の遊技状態が高確率状態になることを示すものとすればよい。
【０２４７】
また、可変表示パターンテーブル１４１には、図５９に示すように、通常ハズレ時可変表示パターン及びリーチＡ〜Ｅのリーチ時可変表示パターンに加えて、大当り開始前再抽選演出表示と大当り終了後再抽選演出表示との実行を共に伴わないリーチＡ〜リーチＥの大当り時可変表示パターンと、大当り開始前再抽選演出表示の実行のみを伴うリーチＡの大当り時可変表示パターンと、大当り終了後再抽選演出表示の実行のみを伴うリーチＡ〜リーチＥの大当り時可変表示パターンと、大当り開始前再抽選演出表示と大当り終了後再抽選演出表示との実行を共に伴うリーチＡの大当り時可変表示パターンと、からなる可変表示パターンテーブル１４１を格納しておく。
【０２４８】
さらに、可変表示パターン決定用テーブルメモリ１１５には、図９（Ａ）に示すリーチ時可変表示パターン決定用テーブル１５０と、図６０に示す通常大当り時可変表示パターン決定用テーブル１５２と、図６１に示す確変大当り時可変表示パターン決定用テーブル１５３と、を格納しておく。
【０２４９】
そして、図２７に示すステップＳ２１４の特別図柄判定処理では、図２８のステップＳ３１６の確定図柄決定処理の後、図６２に示すように、フラグメモリ１１７に設けられた大当りフラグがオンとなっているか否かを判定し（ステップＳ３３１）、オフであれば（ステップＳ３３１；Ｎｏ）、ハズレの表示結果に対応する制御データを、所定のコマンド送信テーブルに設定するなどして、表示結果コマンド９０００（ｈ）を演出制御基板１２に対して送出可能に設定するようにする（ステップＳ３３２）。
【０２５０】
一方、大当りフラグがオンのときには（ステップＳ３３１；Ｙｅｓ）、さらに確変確定フラグがオンとなっているか否かを判定し（ステップＳ３３３）、確変確定フラグがオフであれば（ステップＳ３３３；Ｎｏ）、通常大当りの表示結果に対応する制御データを、所定のコマンド送信テーブルに設定するなどして、表示結果コマンド９００１（ｈ）を演出制御基板１２に対して送出可能に設定するようにする（ステップＳ３３４）。
【０２５１】
一方、確変確定フラグがオンのときには（ステップＳ３３３；Ｙｅｓ）、確変大当りの表示結果に対応する制御データを、所定のコマンド送信テーブルに設定するなどして、表示結果コマンド９００２（ｈ）を演出制御基板１２に対して送出可能に設定するようにする（ステップＳ３３５）。
【０２５２】
また、図２５に示すステップＳ１１１の可変表示パターン設定処理では、図６３に示すように、まず、フラグメモリ１１７に設けられた大当りフラグがオンとなっているか否かを判別する（ステップＳ２６１）。大当りフラグがオンであれば（ステップＳ２６１；Ｙｅｓ）、さらに確変確定フラグがオンとなっているか否かを判定するようにする（ステップＳ２６２）。このとき、確変確定フラグがオフであれば（ステップＳ２６２；Ｎｏ）、図６０に示す通常大当り時可変表示パターン決定用テーブル１５２を設定するようにし（ステップＳ２６３）、オンであれば（ステップＳ２６２；Ｙｅｓ）、図６１に示す確変大当り時可変表示パターン決定用テーブル１５３を設定するようにする（ステップＳ２６４）。
【０２５３】
続いて、ＣＰＵ１０３は、ランダムカウンタ１１１よりランダムＲ５の値を抽出し（ステップＳ２６５）、抽出したランダムＲ５の値に基づいて、ステップＳ２６３又はＳ２６４の処理にて設定した可変表示パターン決定用テーブルのうちから、今回の特図ゲーム及び飾り図柄の可変表示で使用する可変表示パターンを選択決定するようにする（ステップＳ２６６）。
【０２５４】
そして、この選択決定された可変表示パターンが大当り終了後再抽選演出表示の実行を伴うものであるか否かを判定し（ステップＳ２６７）、伴うのであれば（ステップＳ２６７；Ｙｅｓ）、フラグメモリ１１７に設けられている大当り終了後再抽選演出表示フラグをオン状態に設定するようにし（ステップＳ２６８）、伴わないのであれば（ステップＳ２６７；Ｎｏ）、ステップＳ２６８の処理をスキップするようにする。
【０２５５】
その後、ステップＳ２６６の処理にて選択決定された可変表示パターンに対応する制御データを、所定のコマンド送信テーブルにセットするなどして、可変表示開始コマンド８０ＸＸ（ｈ）を演出制御基板１２に対して送信可能に設定するようにする（ステップＳ２６９）。この後、今回の特図ゲームで用いられる可変表示パターンにおける特別図柄の可変表示時間に対応したタイマ初期値が、各種タイマ１１８に設けられた可変表示時間タイマに設定される（ステップＳ２７０）。また、このときには、特別図柄表示装置４において特別図柄の可変表示を開始させるための設定なども行われる。その後、ＣＰＵ１０３は、特別図柄プロセスフラグの値を可変表示制御処理に対応した値である「２」に更新して、可変表示パターン設定処理を終了するようにする（ステップＳ２７１）。
【０２５６】
そして、図３６に示すステップＳ４２２の演出制御設定処理では、図６４に示すように、まず、図３８のステップＳ５０２の処理にて大当り時可変表示パターンであると判定されたときには（ステップＳ５０２；Ｙｅｓ）、さらにこの大当り時可変表示パターンが大当り開始前再抽選演出表示の実行を伴うものであるか否かを判定するようにする（ステップＳ５５１）。
【０２５７】
大当り開始前再抽選演出表示の実行を伴うものであれば（ステップＳ５５１；Ｙｅｓ）、ＣＰＵ２００は、ランダムカウンタ２１１よりランダムＲ１３の値を抽出し（ステップＳ５５２）、抽出したランダムＲ１３の値に基づき、図１７（Ｃ）に示す仮停止飾り図柄決定用テーブル２３２を用いて、大当り組合せとなる仮停止図柄を決定するようにする（ステップＳ５５３）。一方、ステップＳ５０１の処理にて特定した可変表示パターンが大当り開始前再抽選演出表示の実行を伴わない大当り時可変表示パターンであれば（ステップＳ５５１；Ｎｏ）、ＣＰＵ２００は、ステップＳ５５２及びＳ５５３の処理をスキップするようにする。
【０２５８】
さらに、ＣＰＵ２００は、ステップＳ５０１の処理にて特定した可変表示パターンが大当り終了後再抽選演出表示の実行を伴う大当り時可変表示パターンであるか否かを判定し（ステップＳ５５４）、大当り終了後再抽選演出表示の実行を伴う大当り時可変表示パターンであれば（ステップＳ５５４；Ｙｅｓ）、さらにキャラクタ記憶メモリ２１７に記憶されるキャラクタの数（キャラクタ記憶数）が２以上であるか否かを判定する（ステップＳ５５４Ａ）。大当り終了後再抽選演出表示の実行を伴わない大当り時可変表示パターンであれば（ステップＳ５５４；Ｎｏ）、またはキャラクタ記憶数が２以上でないときには（ステップＳ５５４Ａ；Ｎｏ）、確定飾り図柄を決定するためのテーブルとして、図１７（Ｂ）に示す確変大当り時確定飾り図柄決定用テーブル２３１を設定する（ステップＳ５５５）。キャラクタ記憶数が２以上であるときには（ステップＳ５５４Ａ；Ｙｅｓ）、大当り終了後再抽選演出表示を実行するものと判定して昇格演出実行フラグをセットして（ステップＳ５５４Ｂ）、図１７（Ａ）に示す通常大当り時確定飾り図柄決定用テーブル２３０を設定するようにする（ステップＳ５５６）。
【０２５９】
その後、ＣＰＵ２００は、ランダムカウンタよりランダムＲ１０の値を抽出し（ステップＳ５５７）、抽出したランダムＲ１０の値に基づき、ステップＳ５５５又はＳ５５６の処理にて設定した確定飾り図柄決定用テーブルを用いて、大当り組合せとなる確定飾り図柄を決定するようにする（ステップＳ５５８）。
【０２６０】
このようにすれば、演出制御基板１２のＣＰＵ２００は、主基板１１から送信された可変表示開始コマンド８０ＸＸ（ｈ）により、大当り開始前再抽選演出表示と大当り終了後再抽選演出表示との実行の指令の双方がなされた場合、であってキャラクタ記憶数が２以上である場合、表示結果コマンド９０ＸＸ（ｈ）により指定された表示結果が確変大当りであっても、大当り開始前再抽選演出表示では、再可変表示後に通常大当り組合せとなる飾り図柄を画像表示装置５に導出表示させて、飾り図柄の可変表示結果を通常大当りから確変大当りに昇格させず、その後に実行される大当り終了後再抽選演出表示において、大当り終了後の遊技状態を、飾り図柄の可変表示結果に対応する通常遊技状態から高確率状態に昇格させる。これにより、大当り開始前再抽選演出表示において、再可変表示後に確変大当り組合せとなる飾り図柄が導出表示されて確変大当りに昇格させた後に、大当り終了後再抽選演出表示が実行されるといった不都合を防止することができる。
また、演出制御基板１２のＣＰＵ２００は、大当り開始前再抽選演出表示を実行するか否かと、大当り終了後再抽選演出表示を実行するか否かと、を可変表示開始コマンド８０ＸＸ（ｈ）から特定することができる。このため、大当り開始前再抽選演出表示の実行を指令する演出制御コマンドや、大当り終了後再抽選演出表示の実行を指令する演出制御コマンドなどを別個設けなくても、大当り開始前再抽選演出表示や、大当り終了後再抽選演出表示を実行することができるようになる結果、パチンコ遊技機１は、演出制御コマンドの種類を減少させることができる。
【０２６１】
さらに、可変表示開始コマンド８０ＸＸ（ｈ）を、画像表示装置５による飾り図柄の可変表示結果をハズレとするか大当りとするか、ハズレの場合にリーチとするか否か、及び、大当りの場合に大当り開始前再抽選演出表示を実行するか否か、に加え、さらに大当り終了後の遊技状態を通常遊技状態とするか高確率状態とするかを示すものとし、表示結果コマンド９０ＸＸ（ｈ）を、画像表示装置５による飾り図柄の可変表示結果を示すものとしてもよい。この場合、可変表示開始コマンド８０ＸＸ（ｈ）が指定する可変表示パターンが通常大当り時可変表示パターンのときには、演出制御基板１２側のＣＰＵ２００は、大当り終了後の遊技状態を通常遊技状態にするものと特定するようにし、確変大当り時可変表示パターンのときには、大当り終了後の遊技状態を高確率状態にするものと特定するようにすればよい。そして、可変表示開始コマンド８０ＸＸ（ｈ）が指定する可変表示パターンが通常大当り時可変表示パターンのときや、可変表示開始コマンド８０ＸＸ（ｈ）が指定する可変表示パターンが確変大当り時可変表示パターンであり、且つ表示結果コマンド９０ＸＸ（ｈ）によって示される飾り図柄の可変表示結果が通常大当りであるときには、大当り終了後再抽選演出表示を実行するようにすればよい。
【０２６２】
この場合には、図６５に示すように、３種類の表示結果コマンド９０ＸＸ（ｈ）を設けるようにし、このうち、コマンド９０００（ｈ）は、飾り図柄の可変表示結果が大当りとならないことを示すものとし、コマンド９００１（ｈ）は、飾り図柄の可変表示結果が通常大当りとなることを示すものとし、コマンド９００２（ｈ）は、飾り図柄の可変表示結果が確変大当りとなることを示すものとすればよい。また、可変表示パターン決定用テーブルメモリ１１５には、図９（Ａ）に示すリーチ時可変表示パターン決定用テーブル１５０と、図６６に示す通常大当り時可変表示パターン決定用テーブル１５４と、図６７に示す確変大当り時可変表示パターン決定用テーブル１５５と、を格納しておく。
【０２６３】
そして、図２７に示すステップＳ２１４の特別図柄判定処理では、図２８のステップＳ３１６の確定図柄決定処理の後、図６８に示すように、フラグメモリ１１７に設けられた大当りフラグがオンとなっているか否かを判定し（ステップＳ３４１）、オフであれば（ステップＳ３４１；Ｎｏ）、ハズレの表示結果に対応する制御データを、所定のコマンド送信テーブルに設定するなどして、表示結果コマンド９０００（ｈ）を演出制御基板１２に対して送出可能に設定するようにする（ステップＳ３４２）。
【０２６４】
一方、大当りフラグがオンのときには（ステップＳ３４１；Ｙｅｓ）、さらに確変確定フラグがオンとなっているか否かを判定し（ステップＳ３４３）、確変確定フラグがオフであれば（ステップＳ３４３；Ｎｏ）、フラグメモリ１１７に設けられた大当り終了後再抽選演出表示フラグをオン状態にセットすると共に（ステップＳ３４４）、通常大当りの表示結果に対応する制御データを、所定のコマンド送信テーブルに設定するなどして、表示結果コマンド９００１（ｈ）を演出制御基板１２に対して送出可能に設定する（ステップＳ３４５）。
【０２６５】
一方、確変確定フラグがオンのときには（ステップＳ３４３；Ｙｅｓ）、ランダムカウンタ１１１よりランダムＲ６の値を抽出し（ステップＳ３４６）、抽出したランダムＲ６の値に基づき、図１０に示す大当り終了後再抽選演出表示実行決定用テーブル１６０を用いて、大当り終了後再抽選演出表示を実行するか否かを決定する大当り終了後再抽選演出表示実行決定処理を実行する（ステップＳ３４７）。
【０２６６】
ステップＳ３４７の大当り終了後再抽選演出表示実行決定処理にて大当り終了後再抽選演出表示を実行しない旨の決定がなされた場合には（ステップＳ３４８；Ｎｏ）、大当り終了後再抽選演出表示の実行指令を含まない確変大当りの表示結果に対応する制御データを、所定のコマンド送信テーブルに設定するなどして、表示結果コマンド９００２（ｈ）を演出制御基板１２に対して送出可能に設定する（ステップＳ３４９）。
【０２６７】
一方、ステップＳ３４７の大当り終了後再抽選演出表示実行決定処理にて大当り終了後再抽選演出表示を実行する旨の決定がなされたときには（ステップＳ３４８；Ｙｅｓ）、フラグメモリ１１７に設けられた大当り終了後再抽選演出表示フラグをオン状態にセットすると共に（ステップＳ３５０）、通常大当りの表示結果に対応する制御データを、所定のコマンド送信テーブルに設定するなどして、表示結果コマンド９００１（ｈ）を演出制御基板１２に対して送出可能に設定する（ステップＳ３５１）。
【０２６８】
そして、図３６に示すステップＳ４２２の演出制御設定処理では、図６９に示すように、まず、図３８のステップＳ５０２の処理にて大当り時可変表示パターンであると判定されたときには（ステップＳ５０２；Ｙｅｓ）、さらにこの大当り時可変表示パターンが大当り開始前再抽選演出表示の実行を伴うものであるか否かを判定するようにする（ステップＳ５６１）。
【０２６９】
大当り開始前再抽選演出表示の実行を伴うものであれば（ステップＳ５６１；Ｙｅｓ）、ＣＰＵ２００は、ランダムカウンタ２１１よりランダムＲ１３の値を抽出し（ステップＳ５６２）、抽出したランダムＲ１３の値に基づき、図１７（Ｃ）に示す仮停止飾り図柄決定用テーブル２３２を用いて、大当り組合せとなる仮停止図柄を決定するようにする（ステップＳ５６３）。一方、ステップＳ５０１の処理にて特定した可変表示パターンが大当り開始前再抽選演出表示の実行を伴わない大当り時可変表示パターンであれば（ステップＳ５６１；Ｎｏ）、ＣＰＵ２００は、ステップＳ５６２及びＳ５６３の処理をスキップするようにする。
【０２７０】
さらに、ＣＰＵ２００は、ステップＳ５０１の処理にて特定した可変表示パターンが確変大当り時可変表示パターンであるか否かを判定し（ステップＳ５６４）、確変大当り時可変表示パターンであれば（ステップＳ５６４；Ｙｅｓ）、続いて、例えばＲＡＭ２０２の表示結果格納エリアに格納された表示結果コマンドのＥＸＴデータを読み取るなどして、表示結果を特定する（ステップＳ５６５）。そして、ステップＳ５６５の処理にて特定した表示結果が通常大当りであるか確変大当りであるかを判定するようにする（ステップＳ５６６）。
【０２７１】
ステップＳ５６５の処理にて特定した表示結果が確変大当りであるときには（ステップＳ５６６；Ｙｅｓ）、可変表示開始コマンド８０ＸＸ（ｈ）によって示される可変表示パターンの種類と、表示結果コマンド９０ＸＸ（ｈ）によって示される飾り図柄の可変表示結果と、が共に確変大当りで合致していることから、大当り終了後再抽選演出表示が実行されないものと判断される。この結果、確定飾り図柄を決定するためのテーブルとしては、図１７（Ｂ）に示す確変大当り時確定飾り図柄決定用テーブル２３１が設定されることとなる（ステップＳ５６７）。
【０２７２】
これに対し、ステップＳ５６５の処理にて特定した表示結果が通常大当りであるときには（ステップＳ５６６；Ｎｏ）、可変表示開始コマンド８０ＸＸ（ｈ）によって示される可変表示パターンが確変大当り時可変表示パターンとなっており、表示結果コマンド９０ＸＸ（ｈ）によって示される飾り図柄の可変表示結果が通常大当りとなっていることから、大当り終了後再抽選演出表示が実行されるものと判断される。このとき、ＣＰＵ２００は、キャラクタ記憶メモリ２１７に記憶されるキャラクタ記憶数が２以上であるか否かを判定する（ステップＳ５６６Ａ）。キャラクタ記憶数が２以上でないときには（ステップＳ５６６Ａ；Ｎｏ）、大当り終了後再抽選演出表示を実行しないと判定して、確定飾り図柄を決定するためのテーブルとして、図１７（Ｂ）に示す確変大当り時確定飾り図柄決定用テーブル２３１を設定する（ステップＳ５６７）。また、キャラクタ記憶数が２以上であるときには（ステップＳ５６６Ａ；Ｙｅｓ）、大当り終了後再抽選演出表示を実行するものと判定して昇格演出実行フラグをセットして（ステップＳ５６６Ｂ）、可変表示時間経過時に導出表示される確定飾り図柄を決定するためのテーブルとしては、図１７（Ａ）に示す通常大当り時確定飾り図柄決定用テーブル２３０が設定されることとなる（ステップＳ５６８）。
【０２７３】
その後、ＣＰＵ２００は、ランダムカウンタよりランダムＲ１０の値を抽出し（ステップＳ５６９）、抽出したランダムＲ１０の値に基づき、ステップＳ５６７又はＳ５６８の処理にて設定した確定飾り図柄決定用テーブルを用いて、大当り組合せとなる確定飾り図柄を決定するようにする（ステップＳ５７０）。
【０２７４】
このようにすれば、演出制御基板１２のＣＰＵ２００は、主基板１１から送信された可変表示開始コマンド８０ＸＸ（ｈ）により、大当り開始前再抽選演出表示の実行の指令がなされ、可変表示開始コマンド８０ＸＸ（ｈ）が示す可変表示パターンの種類と表示結果コマンド９０ＸＸ（ｈ）が示す可変表示結果とに基づいて大当り終了後再抽選演出表示が実行されるものと判断した場合であって、キャラクタ記憶数が２以上であるときには、大当り開始前再抽選演出表示では、再可変表示後に通常大当り組合せとなる飾り図柄を画像表示装置５に導出表示させて、飾り図柄の可変表示結果を通常大当りから確変大当りに昇格させず、その後に実行される大当り終了後再抽選演出表示において、大当り終了後の遊技状態を、飾り図柄の可変表示結果に対応する通常遊技状態から高確率状態に昇格させる。これにより、大当り開始前再抽選演出表示において、再可変表示後に確変大当り組合せとなる飾り図柄が導出表示されて確変大当りに昇格させた後に、大当り終了後再抽選演出表示が実行されるといった不都合を防止することができる。
また、演出制御基板１２のＣＰＵ２００は、大当り開始前再抽選演出表示を実行するか否かを可変表示開始コマンド８０ＸＸ（ｈ）から特定することができ、大当り終了後再抽選演出表示を実行するか否かを可変表示開始コマンド８０ＸＸ（ｈ）と表示結果コマンド９０ＸＸ（ｈ）とから特定することができる。このため、大当り開始前再抽選演出表示の実行を指令する演出制御コマンドや、大当り終了後再抽選演出表示の実行を指令する演出制御コマンドなどを別個設けなくても、大当り開始前再抽選演出表示や、大当り終了後再抽選演出表示を実行することができるようになる結果、パチンコ遊技機１は、演出制御コマンドの種類を減少させることができる。
【０２７５】
また、上記実施の形態において、図２７に示すステップＳ２１４の特別図柄判定処理では、ステップＳ３１７及びＳ３１９の処理にて飾り図柄の可変表示結果が通常大当りであると判定されたときには、常に大当り終了後再抽選演出表示フラグがオン状態にセットされ（ステップＳ３２０）、大当り終了後再抽選演出表示の実行指令を伴う表示結果コマンド９００１（ｈ）が主基板１１から演出制御基板１２に対して送出される（ステップＳ３２１）ものとして説明した。即ち、上記実施の形態では、飾り図柄の可変表示結果が通常大当りのときには、常に大当り終了後再抽選演出表示が実行されるものとして説明した。
【０２７６】
しかしながら、本発明は、これに限定されず、例えばステップＳ３１７及びＳ３１９の処理にて飾り図柄の可変表示結果が通常大当りであると判定されたときにも、ランダムカウンタ１１１より抽出したランダムＲ６の値に基づいて、大当り終了後再抽選演出表示を実行するか否か決定を行うようにしてもよい。そして、大当り終了後再抽選演出表示を実行する旨の決定がなされたときには、大当り終了後再抽選演出表示フラグをオン状態にセットした後（ステップＳ３２０）、表示結果コマンド９００１（ｈ）を演出制御基板１２に対して送出するようにし、実行しない旨の決定がなされたときには、大当り終了後再抽選演出表示フラグをオン状態にセットすることなく、表示結果コマンド９００１（ｈ）を演出制御基板１２に対して送出するようにすればよい。このようにすれば、飾り図柄の可変表示結果が通常大当りの場合であっても、大当り終了後再抽選演出表示を実行する旨の決定がなされたときのみ、大当り終了後再抽選演出表示が実行されるようにすることができる。演出制御基板１２の側においては、上記実施の形態では、演出制御設定処理のステップＳ５１８の処理において表示結果が通常大当りであると判定されたときには（ステップＳ５１８；Ｎｏ）、大当り終了後再抽選演出表示（昇格演出）を実行するものと判定して昇格演出実行フラグをセットして（ステップＳ５１９Ｂ）、確定飾り図柄を決定するためのテーブルとして、図１７（Ａ）に示す通常大当り時確定飾り図柄決定用テーブル２３０を設定していた（ステップＳ５２１）。表示結果が通常大当りのときには、常に大当り終了後再抽選演出表示が実行されるものとしない場合は、表示結果が通常大当りであると判定されたときにも（ステップＳ５１８；Ｎｏ）、ステップＳ５１９Ａと同様にキャラクタ記憶数が特定の数（例えば２）以上であるか否かを判定して、昇格演出を実行する否かを判定するようにすればよい。そして、キャラクタ記憶数が特定の数（例えば２）以上である場合、（昇格演出）を実行するものと判定して昇格演出実行フラグをセットして、確定飾り図柄を決定するためのテーブルとして、通常大当り時確定飾り図柄決定用テーブル２３０を設定し、キャラクタ記憶数が特定の数未満である場合、昇格演出を実行しないものと判定して昇格演出実行フラグをセットせず、確定飾り図柄を決定するためのテーブルとして通常大当り時確定飾り図柄決定用テーブル２３０を設定するようにすればよい。
【０２７７】
また、上述の可変表示開始コマンド８０ＸＸ（ｈ）から、大当り開始前再抽選演出表示の実行の有無と、大当り終了後再抽選演出表示の実行の有無と、の双方を特定できるようにした変形例の場合には、飾り図柄の可変表示結果が通常大当りのときにも、図６１に示す確変大当り時可変表示パターン決定用テーブル１５３を用いるようにすればよい。このようにすれば、飾り図柄の可変表示結果が通常大当りの場合であっても、大当り終了後再抽選演出表示を実行する旨の決定がなされたときのみ、大当り終了後再抽選演出表示が実行されるようにすることができる。
【０２７８】
さらに、上述のように大当り終了後の遊技状態を通常遊技状態とするか高確率状態とするかを特定可能な可変表示コマンド８０ＸＸ（ｈ）を用いた変形例の場合には、例えばステップＳ３４１の処理にて特図ゲームの可変表示結果が大当りである旨の判定がなされ、ステップＳ３４３の処理にて大当り終了後の遊技状態を通常遊技状態とする旨の判定がなされたときにも、ランダムカウンタ１１１より抽出したランダムＲ６の値に基づいて、大当り終了後再抽選演出表示を実行するか否か決定を行うようにすればよい。そして、大当り終了後再抽選演出表示を実行する旨の決定がなされたときには、大当り終了後再抽選演出表示フラグをオン状態にセットした後（ステップＳ３４４）、通常大当りの表示結果コマンド９００１（ｈ）を演出制御基板１２に対して送出するようにし、実行しない旨の決定がなされたときには、大当り終了後再抽選演出表示フラグをオン状態にセットすることなく、通常大当りの表示結果コマンド９００１（ｈ）を演出制御基板１２に対して送出するようにすればよい。このようにすれば、飾り図柄の可変表示結果が通常大当りの場合であっても、大当り終了後再抽選演出表示を実行する旨の決定がなされたときのみ、大当り終了後再抽選演出表示が実行されるようにすることができる。
【０２７９】
上記実施の形態は、ストックしたキャラクタを使用した昇格演出は大当り終了後再抽選演出表示において実行していたが、これに限定されず、大当り開始前再抽選演出表示において実行するようにしてもよい。この場合、演出制御設定処理のステップＳ５１４にて、キャラクタ記憶数が特定の数（例えば２）以上であるか否かについても判定するようにする。そして、リーチＡ大当り（大当り開始前再抽選演出表示有り）の可変表示パターンであって、キャラクタ記憶数が特定の数以上であるときに、ステップＳ５１４にてＹｅｓであると判定するようにすればよい。また、ステップＳ５２４の図柄制御パターン決定処理のステップＳ６２７の処理において、リーチＡ大当り（大当り開始前再抽選演出表示有り）の可変表示パターンであるか否か、及び、キャラクタ記憶数が特定の数以上であるか否かを判定し、共にＹｅｓである場合キャラクタ記憶メモリ２１７に記憶されたキャラクタを使用した昇格演出を含む図柄表示制御パターンを決定するようにすればよい（例えば昇格演出決定処理を実行する）。このときに、昇格演出を実行することを示すフラグをオン状態にセットして、リーチ演出などを決定する処理でこのフラグをチェックしてリーチ演出などではキャラクタを使用しないようにする。なお、大当り開始前再抽選演出表示で昇格演出を実行する場合は、可変表示時間の制約があるため、ストックしたキャラクタを一度に表示させる演出などが実行される。また、大当り遊技状態終了後の最初の可変表示において、キャラクタ記憶メモリ２１７に記憶されたキャラクタを使用した昇格演出を実行するようにしてもよい。この場合も、大当り遊技状態終了後の最初の可変表示に対応するステップＳ６２７において、キャラクタ記憶メモリ２１７に記憶されたキャラクタを使用した昇格演出を含む図柄表示制御パターンを決定するようにすればよい。
【０２８０】
さらに、上記実施の形態では、特別遊技状態報知演出としての昇格演出は、演出制御基板１２側のＣＰＵ２００が主基板１１から大当り終了コマンドＢ０ＸＸ（ｈ）を受信したときに、大当り終了後再抽選演出表示として実行されるものとして説明した。しかしながら、本発明は、これに限定されるものではなく、例えば大当り遊技状態中に主基板１１から演出制御基板１２に対して送出される大当りラウンド数指示コマンドや、ラウンド遊技終了コマンドなどを受信したときに、特別遊技状態報知演出を実行するものとしてもよい。ここで、大当りラウンド数指示コマンドは、大当り遊技状態において開始されるラウンドの回数を示すものであり、ラウンド遊技終了コマンドは、ラウンド遊技が終了したことを示すものである。そして、このようにする場合には、大当りラウンド数指示コマンド及びラウンド遊技終了コマンドを、特別遊技状態報知演出の実行の有無を示すようなものとすればよい。
また、例えばランダムカウンタ１１１より抽出した所定の乱数値に基づいて、大当りラウンド数指示コマンドと、ラウンド遊技終了コマンドと、大当り終了コマンドと、のうちから選択決定したコマンドがＣＰＵ２００によって受信されたときに、特別遊技状態報知演出を実行するようにしてもよい。このようにすれば、遊技者が特別遊技状態報知演出の開始タイミングを特定しづらくなる結果、遊技者に特別遊技状態報知演出がなされるか否かについて興味を持たせることができるなど、遊技の興趣をより一層高めることができる。
さらに、特別遊技状態報知演出の実行指令を含む大当りラウンド数指示コマンド及びラウンド遊技終了コマンドを主基板１１から演出制御基板１２に送信して、ラウンド中やラウンド間のインターバルにおいて特別遊技状態報知演出を実行する場合には、何ラウンド目で特別遊技状態報知演出の実行を開始するかを、例えばランダムカウンタ１１１より抽出した所定の乱数値に基づいて決定するようにしてもよい。このときには、乱数値に基づいて決定したラウンド数をＲＡＭ１０２などに設けられた所定のカウンタにセットし、ラウンド遊技が終了する毎にカウンタのカウント値を１ずつ減算するようにすればよい。
そして、カウンタにおけるカウント値が「０」となったときには、特別遊技状態報知演出の実行指令を含む大当りラウンド数指示コマンド、或いはラウンド遊技終了コマンドを演出制御基板１２に対して送出可能に設定すると共に、ＲＡＭ１０２などに設けられた所定の特別遊技状態報知演出時間タイマに例えば１２秒に対応するタイマ初期値をセットして、特別遊技状態報知演出時間タイマによる計測をスタートさせるようにすればよい。
これに対して、演出制御基板１２の側では、ＣＰＵ２００が特別遊技状態報知演出の実行指令を含む大当りラウンド数指示コマンド、或いはラウンド遊技終了コマンドを主基板１１から受信したとき、画像表示装置５による特別遊技状態報知演出の実行を開始させると共に、ＲＡＭ２０２などに設けられた所定の特別遊技状態報知演出時間タイマに例えば１２秒に対応するタイマ初期値をセットして、特別遊技状態報知演出時間タイマによる計測をスタートさせるようにすればよい。
演出制御基板１２がラウンド遊技終了コマンドを受信したときに特別遊技状態報知演出の実行を開始させることにより、ラウンド間のインターバルにおいて特別遊技状態報知演出を実行させるようにする場合には、特別遊技状態報知演出の終了後に次のラウンド遊技が開始されるように、ＲＡＭ１０２に設けられた特別遊技状態報知演出時間タイマがタイムアウトしたときに大当りラウンド数指示コマンドを送出するようにすればよい。
【０２８１】
また、図８に示す可変表示パターンテーブル１４０では、通常ハズレに対応するパターンとして、可変表示パターン＃１のみが用意されているものとして説明したが、これに限定されるものではなく、リーチ時可変表示パターンなどと同様に、通常時可変表示パターンを複数用意してもよい。例えば、高確率状態では、通常遊技状態にて用いられる可変表示パターンに比べて特別図柄の可変表示時間が短い可変表示パターンが、通常時可変表示パターンとして用いられるようにしてもよい。あるいは、通常遊技状態で使用される通常ハズレに対応するパターンを複数用意しておき、リーチ時可変表示パターンなどと同様に、ランダムＲ５に基づき、所定の通常時可変表示パターン決定用テーブルを参照して特図ゲームなどで用いる可変表示パターンを決定するようにしてもよい。
【０２８２】
さらに、上記実施の形態では、特別遊技状態は、高確率状態であったが、本発明は、これに限定されるものではなく、例えば可変表示時間が通常遊技状態よりも短くなるようにする時短短縮状態であってもよい。
また、上記実施の形態における大当り開始前再抽選演出表示や大当り終了後再抽選演出表示は、大当り終了後の遊技状態を、遊技者にとって不利な通常遊技状態から、遊技者にとって有利な高確率状態に昇格させる演出表示であるとして説明した。しかしながら、本発明の特別遊技状態報知演出は、これに限定されるものではなく、例えば大当り遊技を、不利なものから有利なものに昇格させる演出表示であるものとしてもよい。具体的には、大当り遊技状態の開始時に画像表示装置５による表示で報知されたラウンド数や大入賞口の開放時間を、再抽選により昇格させるような演出表示を行うものとしてもよい。例えば大当り遊技状態の開始時にラウンド数を「７」回と報知しておき、その後所定の再抽選演出表示を画像表示装置５にて実行してラウンド数が「１５」回に昇格させた旨を報知するようにする態様であってもよいし、また、大当り遊技状態の開始時に大入賞口の開放時間を「１５」秒と報知しておき、その後所定の再抽選演出表示を画像表示装置５にて実行して大入賞口の開放時間が「３０」秒に昇格した旨を報知するような態様であってもよい。
さらに、特別遊技状態報知演出は、有利度合いが不利なものから有利なものへと昇格するものであれば任意であり、その他のものであっても構わない。
【０２８３】
上記実施の形態では、ＶＤＰ２０３や音声データ出力回路２０６やランプデータ出力回路２０７が演出制御基板１２に搭載され、ＣＰＵ２００が、ＶＤＰ２０３に描画指令を送るなどして画像表示装置５の表示制御を行ったり、音声データ出力回路２０６から音声出力回路１３に音声データを出力させるなどして音声出力制御を行ったり、ランプデータ出力回路２０７からランプドライバ回路１４にランプデータを出力させるなどしてランプ点灯制御を行ったりしていた。しかしながら、この発明はこれに限定されず、例えばＶＤＰ２０３や音声データ出力回路２０６やランプデータ出力回路２０７が、演出制御基板１２とは別個に配置された制御基板に搭載されてもよい。
【０２８４】
例えば、図７０に示すように、ＶＤＰ２０３が演出制御基板１２とは別個に配置された制御基板としての表示制御基板１５に搭載される場合、この表示制御基板１５には、演出制御基板１２からの表示制御コマンドが、上記実施の形態における描画指令に相当する制御信号として送信される。表示制御基板１５には、表示制御基板１５における動作を制御する表示制御マイクロコンピュータ２０８やＣＧＲＯＭ２０４やＶＲＡＭ２０５も搭載さる。表示制御基板１５において、表示制御マイクロコンピュータ２０８が、表示制御コマンドに対応した処理を実行することにより、画像表示装置５の表示制御を、演出制御基板１２とは別個に配置された表示制御基板１５の側にて実行するようにすればよい。この場合、演出制御基板１２には、上記表示制御コマンドの決定と送信を行う演出制御用マイクロコンピュータ２０９が搭載される。具体的には、演出制御用マイクロコンピュータ２０９は、昇格演出を実行するか否かの判定（図３９のステップＳ５１８〜Ｓ５１９Ａに対応する処理）、昇格演出の種類の決定（図４２のステップＳ５４１Ａに対応する処理）、予告演出の実行及び種類の決定（図３７のステップＳ６０１〜Ｓ６０９に対応する処理）などを実行し、各演出の有無や演出の種類に対応した表示制御コマンドを送信する。そして、表示制御基板１５の側で表示制御コマンドに基づいて、予告演出のキャラクタの表示や昇格演出を実行する（図３６のステップＳ４２３や図４２のＳ５４２に対応する処理を実行する）。なお、予告演出や昇格演出をカットインや重畳表示で行うのみで、演出の種類により音やランプの演出態様を異ならせない場合には、演出制御基板１２は演出制御コマンドの全部または一部をそのまま表示制御コマンドとして表示制御基板１５に送信し、表示制御基板１５の側で予告演出や昇格演出の実行の有無や種類を決定するようにしてもよい。また、このとき演出制御用マイクロコンピュータ２０９は、音声データ出力回路２０６から音声出力回路１３に音声データを出力させるなどして音声出力制御を行ったり、ランプデータ出力回路２０７からランプドライバ回路１４にランプデータを出力させるなどしてランプ点灯制御を行ったりする。
【０２８５】
音声データ出力回路２０６が演出制御基板１２とは別個に配置された制御基板としての音制御基板に搭載される場合、この音制御基板には、演出制御基板１２からの音制御コマンドが、上記実施の形態における音声データに相当する制御信号として送信される。音制御基板には、音制御基板における動作を制御する音声制御部も搭載さる。音制御基板において、音制御コマンドに対応した処理を実行することにより、音声出力回路１３を介したスピーカ８Ｌ、８Ｒにおける音声出力動作の制御を、演出制御基板１２とは別個に配置された音制御基板の側にて実行するようにすればよい。この場合、演出制御基板１２には、上記音制御コマンドの決定と送信を行う演出制御用マイクロコンピュータ２０９が搭載される。なお、演出制御基板１２は演出制御コマンドの全部または一部をそのまま音制御コマンドとして音制御基板に送信し、音制御基板の側で音声出力動作を決定するようにしてもよい。また、このとき演出制御用マイクロコンピュータ２０９は、ＶＤＰ２０３に描画指令を送るなどして画像表示装置５の表示制御を行ったり、ランプデータ出力回路２０７からランプドライバ回路１４にランプデータを出力させるなどしてランプ点灯制御を行ったりする。
【０２８６】
ランプデータ出力回路２０７が演出制御基板１２とは別個に配置された制御基板としてのランプ制御基板に搭載される場合、このランプ制御基板には、演出制御基板１２からランプ制御コマンドが、上記実施の形態におけるランプデータに相当する制御信号として送信される。ランプ制御基板には、ランプ制御基板における動作を制御するためのランプ制御部も搭載される。ランプ制御基板において、ランプ制御コマンドに対応した処理を実行することにより、ランプドライバ回路１４を介した遊技効果ランプ９における点灯動作等の制御を、演出制御基板１２とは別個に配置されたランプ制御基板の側にて実行するようにすればよい。この場合、演出制御基板１２には、上記ランプ制御コマンドの決定と送信を行う演出制御用マイクロコンピュータ２０９が搭載される。なお、演出制御基板１２は演出制御コマンドの全部または一部をそのままランプ制御コマンドとしてランプ制御基板に送信し、ランプ制御基板の側で遊技効果ランプ９における点灯動作等を決定するようにしてもよい。また、このとき演出制御用マイクロコンピュータ２０９は、ＶＤＰ２０３に描画指令を送るなどして画像表示装置５の表示制御を行ったり、音声データ出力回路２０６から音声出力回路１３に音声データを出力させるなどして音声出力制御を行ったりする。
【０２８７】
表示制御基板１５や音制御基板、ランプ制御基板などが演出制御基板１２とは別個に配置される場合、演出制御基板１２に搭載されたＣＰＵ２００（または演出制御用マイクロコンピュータ２０９）は、画像表示装置５やスピーカ８Ｌ、８Ｒ、遊技効果ランプ９といった演出用の電気部品による演出態様の一部又は全部を決定するための処理を実行すればよい。また、表示制御基板１５、音制御基板、ランプ制御基板などが演出制御基板１２とは別個に配置される場合は、これらのうち１つの基板が別個に配置される場合に限定されず、例えば、演出制御基板１２の他に表示制御と音制御とを実行可能な基板が設けられてもよく、これらの組合せは任意である。また、上流の基板として演出の制御を統括する基板（演出統括基板）を設け、下流の基板として各演出装置の動作を制御（表示制御、音制御、ランプ制御）する基板を１または複数設けるようにしてもよい。この場合は、演出（予告演出、リーチ演出、昇格演出など）の実行の有無や演出の種別を演出統括基板で決定し、決定された演出に対応する制御を下流の基板において実行するようにすればよい。また、これに限定されず、演出の決定の一部を下流の基板において行うようにしてもよく、演出の実行の一部を上流の基板において行うようにしてもよい。さらに、下流の基板が表示制御、音制御、ランプ制御などの演出制御のうち２以上演出制御を行うようにしてもよい。
【０２８８】
また、上記実施の形態のリーチ演出パターンは一例であり、他のリーチ演出パターンを用意してもよい。図７１〜図７３は、変形例のリーチ演出パターンとしての銃撃リーチの表示例である。この変形例ではサブ液晶５Ｂ、５Ｃ、５Ｄを備えている。図７１〜図７３に示すように、銃撃リーチでは、（１）画像表示装置５において可変表示を開始させる。（２）左図柄を停止させるとともに、サブ液晶５Ｃに演出用キャラクタを表示させ、また、画像表示装置５にはメインキャラクタを表示させる。また、画像表示装置５には「気をつけるのよ」との表示をさせ、それと同時にスピーカ８Ｌ、８Ｒから「気をつけるのよ」との音声を出力させる。（３）右図柄を停止させ、リーチとするとともに、メインキャラクタを画面右方向に移動させ、画像表示装置５から去る演出を行う。（４）画像表示装置５にメインキャラクタを突然表示させ、「いくぞっ！」の表示とともに音声も出力させる。（５）画像表示装置５が銃撃された演出を行う。（６）中図柄の変動が低速になる。（７）画像表示装置５に「ＮＥＸＴ」の表示がされるとともに、場面が切り替わる。（８）再びメインキャラが表示され、サブ液晶５Ｂに「銃撃せよ！」の文字、サブ液晶５Ｃにはメインキャラの視線方向の画像（廊下の画像）を表示させる。（９）画像表示装置５をメインキャラの視線方向の映像に切り替え、サブ液晶５Ｃに廊下を上から見たアングルの画像に切り替える。（１０）中図柄「１」が迫ってくる表示をさせる。（１１）中図柄「１」を打ち抜く表示をさせる。中図柄「２」〜「６」についても「１」と同様に打ち抜く表示をさせた後、（１２）中図柄「１」が迫ってくるが、打ち抜けない表示をさせる。（１３）中図柄を停止させ、大当り図柄を表示させる。
【０２８９】
図７４〜図７６は、変形例のリーチ演出パターンとしてのスキーリーチの表示例である。この変形例ではサブ液晶５Ｂ、５Ｃ、５Ｄを備えている。図７４〜図７６に示すように、スキーリーチでは、（１）画像表示装置５において可変表示を開始させる。（２）サブ液晶５Ｂに演出用アイテムを表示させ、サブ液晶５Ｃに演出用キャラクタを表示させ、また、画像表示装置５にはメインキャラクタさせる。また、画像表示装置５には「これを持っていけ！」との表示をさせ、それと同時にスピーカ８Ｌ、８Ｒから「これを持っていけ」との音声を出力させる。（３）左右図柄に異なる図柄を停止させ、メインキャラクタが右図柄に銃撃する演出を行う。（４）右図柄が打ち抜かれた演出を行う。（５）右図柄を左図柄と同じ図柄に変更し、リーチとするとともに、メインキャラクタを画面右方向に移動させ、画像表示装置５から去る演出を行う。（６）中図柄の変動が低速になる。（７）画像表示装置５に「ＮＥＸＴ」の表示がされるとともに、場面が切り替わる。（８）画像表示装置５にスキーヤーがジャンプをしていうる映像が表示され、サブ液晶５Ｂに「敵から逃げろ！」の文字、サブ液晶画像表示装置５Ｃに別アングルの画像を表示させる。（９）（１０）画像表示装置５に中図柄「８」が迫ってくる表示をさせる。（１１）画像表示装置５に「ＮＥＸＴ」の表示がされるとともに、場面が切り替わる。（１２）中図柄「６」がカーブを曲がってくる表示をさせる。（１３）中図柄「６」が迫ってきて振動する表示をさせる。（１４）中図柄「６」が「７」に変わる。（１５）中図柄を停止させ、大当り図柄を表示させる。
【０２９０】
図７７〜図８０は、変形例のリーチ演出パターンとしてのボートリーチの表示例である。この変形例ではサブ液晶５Ｂ、５Ｃ、５Ｄを備えている。図７７〜図８０に示すように、ボートリーチでは、（１）画像表示装置５において可変表示を開始させる。（２）メインキャラクタを画面右方向に移動させ、画像表示装置５から去る演出を行う。（３）左図柄を停止させる。（４）右図柄を停止させる（非リーチ）。（５）中図柄をハズレ図柄で停止させる。（６）全ての図柄を再変動させるとともに、サブ液晶５Ｂに「ＣＡＵＴＩＯＮ」の文字を右から左へスクロール表示させ、サブ液晶５Ｄが備える７セグメントのＬＥＤを点灯させる。（７）左図柄を停止させ、サブ液晶５Ｃに演出用キャラクタを表示させ、また、画像表示装置５にはメインキャラクタさせる。また、画像表示装置５には「気をつけるのよ」との表示をさせ、それと同時にスピーカ８Ｌ、８Ｒから「気をつけるのよ」との音声を出力させる。（８）右図柄を停止させ、リーチとするとともに、メインキャラクタを画面右方向に移動させ、画像表示装置５から去る演出を行う。（９）中図柄の変動が低速になる。（１０）画像表示装置５に「ＮＥＸＴ」の表示がされるとともに、場面が切り替わる。（１１）画像表示装置５にボートが向かってくる映像が表示され、サブ液晶５Ｂに「ボートを撃破せよ！」の文字、サブ液晶画像表示装置５の別アングルの画像を表示させる。（１２）画像表示装置５にボートがぶつかりあう映像を表示させる。ボートの間には中図柄「０」を表示させる。（１３）ボートが中図柄「２」に迫る表示をさせる。（１４）中図柄「２」が撃破される。（１５）濡れた中図柄「２」を表示させる。（１６）画像表示装置５に「ＮＥＸＴ」の表示がされるとともに、場面が切り替わる。（１７）ボートの前面からミサイルが発射される表示をさせる。（１８）（１９）ミサイルにより迫ってくる中図柄を撃破する表示をさせる。（２０）中図柄「０」が撃破できない表示をさせ、中図柄「０」を振動させる（２１）ボートの前面から再びミサイルが発射される表示をさせる。（２２）中図柄「０」を撃破する表示をさせる。（２３）濡れた中図柄「１」を表示させる。（２４）中図柄を停止させ、大当り図柄を表示させる。
【０２９１】
図８１、図８２は、変形例のリーチ演出パターンとしての７セグいきなり当りの表示例である。この変形例ではサブ液晶５Ｂ、５Ｃ、５Ｄを備えている。図８１、図８２に示すように、７セグいきなり当りでは、（１）画像表示装置５において可変表示を開始させる。（２）左図柄を停止させる。（３）右図柄を停止させる（リーチ）。（４）中図柄を揺らした状態で仮停止させる（ハズレ図柄）。（５）サブ液晶５Ｄが備える７セグメントのＬＥＤを点灯させる。（６）サブ液晶５Ｄが備える７セグメントのＬＥＤに「０００」を点灯させる（７）仮停止していた中図柄から稲妻が出る表示をさせる。（８）仮停止していた中図柄が爆発する表示をさせる。（９）中図柄を停止させ、大当り図柄を表示させる。
【０２９２】
加えて、本発明の遊技機は、パチンコ遊技機等の弾球遊技機において画像表示装置を有するものであれば、例えば、一般電役機、又はパチコンと呼ばれる確率設定機能付き弾球遊技機等であっても構わない。また、本発明は、入賞球の検出に応答して所定数の賞球を払い出す払出式遊技機に限定されるものではなく、遊技球を封入し入賞球の検出に応答して得点を付与する封入式遊技機にも適用することができる。
【０２９３】
さらに、パチンコ遊技機１の動作をシミュレーションするゲーム機などにも本発明を適用することができる。本発明を実現するためのプログラム及びデータは、コンピュータ装置等に対して、着脱自在の記録媒体により配布・提供される形態に限定されるものではなく、予めコンピュータ装置等の有する記憶装置にプリインストールしておくことで配布される形態を採っても構わない。さらに、本発明を実現するためのプログラム及びデータは、通信処理部を設けておくことにより、通信回線等を介して接続されたネットワーク上の、他の機器からダウンロードすることによって配布する形態を採っても構わない。
【０２９４】
そして、ゲームの実行形態も、着脱自在の記録媒体を装着することにより実行するものだけではなく、通信回線等を介してダウンロードしたプログラム及びデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行うことによりゲームを実行するような形態とすることもできる。
【図面の簡単な説明】
【０２９５】
【図１】本発明の実施の形態におけるパチンコ遊技機の正面図である。
【図２】パチンコ遊技機におけるシステム構成例を示すブロック図である。
【図３】演出制御コマンドの内容の一例を示す図である。
【図４】遊技制御用マイクロコンピュータの構成例を示すブロック図である。
【図５】主基板の側でカウントされる各乱数の例を示す図である。
【図６】大当り判定用テーブルの構成例を示す図である。
【図７】確定特別図柄決定用テーブルの構成例を示す図である。
【図８】可変表示パターンテーブルの構成例を示す図である。
【図９】可変表示パターン決定用テーブルの構成例を示す図である。
【図１０】大当り終了後再抽選演出表示実行決定用テーブルの構成例を示す図である。
【図１１】演出制御基板におけるハードウェア構成例を示すブロック図である。
【図１２】演出制御基板の構成例を示すブロック図である。
【図１３】受信コマンドバッファメモリの構成例を示す図である。
【図１４】演出制御基板の側でカウントされる各乱数の例を示す図である。
【図１５】図柄表示制御パターンテーブルの構成例を示す図である。
【図１６】図柄表示制御パターンの構成例を示す図である。
【図１７】確定飾り図柄決定用テーブルの構成例を示す図である。
【図１８】確定飾り図柄決定用テーブルの構成例を示す図である。
【図１９】予告決定用テーブルの構成例を示す図である。
【図２０】キャラクタ決定用テーブルの構成例を示す図である。
【図２１】キャラクタ記憶メモリの構成例を示す図である。
【図２２】昇格演出決定用テーブルの構成例を示す図である。
【図２３】遊技制御メイン処理の内容を示すフローチャートである。
【図２４】遊技制御割込処理の内容を示すフローチャートである。
【図２５】図２４における特別図柄プロセス処理の詳細を示すフローチャートである。
【図２６】図２５における入賞処理の詳細を示すフローチャートである。
【図２７】図２５における特別図柄通常処理の詳細を示すフローチャートである。
【図２８】図２７における特別図柄判定処理の詳細を示すフローチャートである。
【図２９】図２７における特別図柄判定処理の詳細を示すフローチャートである。
【図３０】図２５における可変表示パターン設定処理の詳細を示すフローチャートである。
【図３１】図２５における大当り終了処理の詳細を示すフローチャートである。
【図３２】図２５における大当り終了処理の詳細を示すフローチャートである。
【図３３】演出制御メイン処理の内容を示すフローチャートである。
【図３４】コマンド受信割込処理の内容を示すフローチャートである。
【図３５】図３３におけるコマンド解析処理の詳細を示すフローチャートである。
【図３６】図３３における演出制御プロセス処理の詳細を示すフローチャートである。
【図３７】図３６における予告選択処理の詳細を示すフローチャートである。
【図３８】図３６における演出制御設定処理の詳細を示すフローチャートである。
【図３９】図３６における演出制御設定処理の詳細を示すフローチャートである。
【図４０】図３８における図柄制御パターン決定処理の一例を示すフローチャートである。
【図４１】図３６における大当り終了演出処理の詳細を示すフローチャートである。
【図４２】図３６における大当り終了演出処理の詳細を示すフローチャートである。
【図４３】図４２における昇格演出決定処理の詳細を示すフローチャートである。
【図４４】画像表示装置における表示例を示す図である。
【図４５】画像表示装置における表示例を示す図である。
【図４６】画像表示装置における表示例を示す図である。
【図４７】画像表示装置における表示例を示す図である。
【図４８】画像表示装置における表示例を示す図である。
【図４９】画像表示装置における表示例を示す図である。
【図５０】画像表示装置における表示例を示す図である。
【図５１】画像表示装置における表示例を示す図である。
【図５２】画像表示装置における表示例を示す図である。
【図５３】画像表示装置における表示例を示す図である。
【図５４】昇格演出決定用テーブルの変形例を示す図である。
【図５５】昇格演出実行決定用テーブルの一例を示す図である。
【図５６】昇格演出決定用テーブルの他の変形例を示す図である。
【図５７】昇格演出の変形例のタイミングチャートである。
【図５８】変形例における表示結果コマンドの内容を示す図である。
【図５９】可変表示パターンテーブルの変形例を示す図である。
【図６０】変形例における通常大当り時可変表示パターン決定用テーブルの構成例を示す図である。
【図６１】変形例における確変大当り時可変表示パターン決定用テーブルの構成例を示す図である。
【図６２】図２７における特別図柄判定処理の変形例を示すフローチャートである。
【図６３】図２５における可変表示パターン設定処理の変形例を示すフローチャートである。
【図６４】図３６における演出制御設定処理の変形例を示すフローチャートである。
【図６５】変形例における表示結果コマンドの内容を示す図である。
【図６６】変形例における通常大当り時可変表示パターン決定用テーブルの構成例を示す図である。
【図６７】変形例における確変大当り時可変表示パターン決定用テーブルの構成例を示す図である。
【図６８】図２７における特別図柄判定処理の変形例を示すフローチャートである。
【図６９】図３６における演出制御設定処理の変形例を示すフローチャートである。
【図７０】変形例における演出制御基板の構成例を示すブロック図である。
【図７１】変形例における画像表示装置の表示例を示す図である。
【図７２】変形例における画像表示装置の表示例を示す図である。
【図７３】変形例における画像表示装置の表示例を示す図である。
【図７４】変形例における画像表示装置の表示例を示す図である。
【図７５】変形例における画像表示装置の表示例を示す図である。
【図７６】変形例における画像表示装置の表示例を示す図である。
【図７７】変形例における画像表示装置の表示例を示す図である。
【図７８】変形例における画像表示装置の表示例を示す図である。
【図７９】変形例における画像表示装置の表示例を示す図である。
【図８０】変形例における画像表示装置の表示例を示す図である。
【図８１】変形例における画像表示装置の表示例を示す図である。
【図８２】変形例における画像表示装置の表示例を示す図である。
【符号の説明】
【０２９６】
１  …  パチンコ遊技機
２  …  遊技盤
３  …  遊技機用枠
４  …  特別図柄表示装置
５  …  画像表示装置
６  …  普通可変入賞球装置
７  …  特別可変入賞球装置
８Ｌ、８Ｒ…  スピーカ
９  …  遊技効果ランプ
１１  …  主基板
１２  …  演出制御基板
１３  …  音声出力回路
１４  …  ランプドライバ回路
４０  …  普通図柄表示装置
７０  …  各入賞口スイッチ
１００  …  遊技制御用マイクロコンピュータ
１０１，２０１  …  ＲＯＭ
１０２，２０２  …  ＲＡＭ
１０３，２００  …  ＣＰＵ
１０４  …  Ｉ／Ｏポート
１０７  …  スイッチ回路
１０８  …  ソレノイド回路
１１０  …  特図保留メモリ
１１１，２１１  …  ランダムカウンタ
１１２  …  大当り判定用テーブルメモリ
１１３  …  確定特別図柄決定用テーブルメモリ
１１４  …  可変表示パターンテーブルメモリ
１１５  …  可変表示パターン決定用テーブルメモリ
１１６  …  再抽選演出表示実行決定用テーブルメモリ
１１７，２１４  …  フラグメモリ
１１８，２１５  …  各種タイマ
１２０  …  通常時大当り判定用テーブル
１２１  …  確変時大当り判定用テーブル
１３０  …  ハズレ時確定特別図柄決定用テーブル
１３１  …  大当り時確定特別図柄決定用テーブル
１４０  …  可変表示パターンテーブル
１４１  …  可変表示パターンテーブル
１５０  …  リーチ時可変表示パターン決定用テーブル
１５１  …  大当り時可変表示パターン決定用テーブル
１５２  …  通常大当り時可変表示パターン決定用テーブル
１５３  …  確変大当り時可変表示パターン決定用テーブル
１５４  …  通常大当り時可変表示パターン決定用テーブル
１５５  …  確変大当り時可変表示パターン決定用テーブル
１６０  …  大当り終了後再抽選演出表示実行決定用テーブル
２１０  …  受信コマンドバッファメモリ
２１２  …  表示制御パターンテーブルメモリ
２１３  …  飾り図柄決定用テーブルメモリ
【図１】
2008272265.tif 000003
【図２】
2008272265.tif 000004
【図３】
2008272265.tif 000005
【図４】
2008272265.tif 000006
【図５】
2008272265.tif 000007
【図６】
2008272265.tif 000008
【図７】
2008272265.tif 000009
【図８】
2008272265.tif 000010
【図９】
2008272265.tif 000011
【図１０】
2008272265.tif 000012
【図１１】
2008272265.tif 000013
【図１２】
2008272265.tif 000014
【図１３】
2008272265.tif 000015
【図１４】
2008272265.tif 000016
【図１５】
2008272265.tif 000017
【図１６】
2008272265.tif 000018
【図１７】
2008272265.tif 000019
【図１８】
2008272265.tif 000020
【図１９】
2008272265.tif 000021
【図２０】
2008272265.tif 000022
【図２１】
2008272265.tif 000023
【図２２】
2008272265.tif 000024
【図２３】
2008272265.tif 000025
【図２４】
2008272265.tif 000026
【図２５】
2008272265.tif 000027
【図２６】
2008272265.tif 000028
【図２７】
2008272265.tif 000029
【図２８】
2008272265.tif 000030
【図２９】
2008272265.tif 000031
【図３０】
2008272265.tif 000032
【図３１】
2008272265.tif 000033
【図３２】
2008272265.tif 000034
【図３３】
2008272265.tif 000035
【図３４】
2008272265.tif 000036
【図３５】
2008272265.tif 000037
【図３６】
2008272265.tif 000038
【図３７】
2008272265.tif 000039
【図３８】
2008272265.tif 000040
【図３９】
2008272265.tif 000041
【図４０】
2008272265.tif 000042
【図４１】
2008272265.tif 000043
【図４２】
2008272265.tif 000044
【図４３】
2008272265.tif 000045
【図４４】
2008272265.tif 000046
【図４５】
2008272265.tif 000047
【図４６】
2008272265.tif 000048
【図４７】
2008272265.tif 000049
【図４８】
2008272265.tif 000050
【図４９】
2008272265.tif 000051
【図５０】
2008272265.tif 000052
【図５１】
2008272265.tif 000053
【図５２】
2008272265.tif 000054
【図５３】
2008272265.tif 000055
【図５４】
2008272265.tif 000056
【図５５】
2008272265.tif 000057
【図５６】
2008272265.tif 000058
【図５７】
2008272265.tif 000059
【図５８】
2008272265.tif 000060
【図５９】
2008272265.tif 000061
【図６０】
2008272265.tif 000062
【図６１】
2008272265.tif 000063
【図６２】
2008272265.tif 000064
【図６３】
2008272265.tif 000065
【図６４】
2008272265.tif 000066
【図６５】
2008272265.tif 000067
【図６６】
2008272265.tif 000068
【図６７】
2008272265.tif 000069
【図６８】
2008272265.tif 000070
【図６９】
2008272265.tif 000071
【図７０】
2008272265.tif 000072
【図７１】
2008272265.tif 000073
【図７２】
2008272265.tif 000074
【図７３】
2008272265.tif 000075
【図７４】
2008272265.tif 000076
【図７５】
2008272265.tif 000077
【図７６】
2008272265.tif 000078
【図７７】
2008272265.tif 000079
【図７８】
2008272265.tif 000080
【図７９】
2008272265.tif 000081
【図８０】
2008272265.tif 000082
【図８１】
2008272265.tif 000083
【図８２】
2008272265.tif 000084